(57)【特許請求の範囲】
【請求項１】
始動操作手段の操作により、１回のゲームの開始となり、複数の図柄表示列の移動による図柄の変動表示が開始し、前記図柄表示列の個々に対応して設けられた停止操作手段の操作に応答して、当該操作された前記停止操作手段に対応する前記図柄表示列が停止し、すべての前記図柄表示列が停止した後、１回のゲームが終了となる遊技機において、
遊技状態を通常遊技状態と特別遊技状態とに移行させる状態移行手段と、
前記始動操作手段の操作に応答して、前記通常遊技状態では、入賞に対して遊技媒体の配当が規定された小役と、入賞に対して前記状態移行手段による遊技状態の前記通常遊技状態から前記特別遊技状態への移行が規定された特別遊技開始役とを少なくとも抽選対象の役に含む抽選を実行し、前記特別遊技状態では、前記通常遊技状態での抽選対象に含まれるすべての前記小役を少なくとも抽選対象の役に含む抽選を実行する抽選手段と、
すべての前記図柄表示列が停止した後、前記抽選手段による抽選で当選した役の入賞／非入賞を判定する入賞判定手段と、
１回のゲームに必要とされる遊技媒体の規定数を前記通常遊技状態と前記特別遊技状態とで異なる数に設定する規定数設定手段と、
を備え、
前記通常遊技状態中の入賞に対する配当が前記特別遊技状態の規定数以上である各小役については、前記特別遊技状態中の入賞に対する配当を、前記特別遊技状態の規定数と同じに設定し、前記通常遊技状態中の入賞に対する配当が前記特別遊技状態の規定数未満である各小役については、前記特別遊技状態中の入賞に対する配当を、前記通常遊技状態中の入賞に対する配当と同じに設定するとともに、前記抽選手段が、前記特別遊技状態中の各小役の当選確率が前記通常遊技状態中の各小役の当選確率以上となり、且つ、前記特別遊技状態中の不当選の確率が前記通常遊技状態よりも高くなるような抽選を実行することによって、前記特別遊技状態での出玉率を１００％未満に設定したことを特徴とする、遊技機。
【請求項２】
前記抽選手段は、抽選対象の役に入賞に対して遊技媒体のベットなしで次のゲームを行うことができる再遊技役を含み、前記特別遊技状態中の再遊技役の当選確率が前記通常遊技状態中における再遊技役の当選確率よりも低く、且つ、前記特別遊技状態中において、前記通常遊技状態中と比較して、再遊技役の当選確率が低い分だけ小役の当選確率または不当選の確率が上がるような抽選を実行することを特徴とする、請求項１に記載の遊技機。
【発明の詳細な説明】
【技術分野】
【０００１】
本発明は、スロットマシンなどの遊技機に関する。
【背景技術】
【０００２】
スロットマシンでは、メダルの投入またはベットボタンの操作によるメダルのベット（ＢＥＴ）後に、スタートレバーが操作されると、各周面に複数個の図柄が描かれた３個のリールが回転し始める。また、スタートレバーの操作を契機として、複数の役を抽選対象とする内部抽選が行われる。各リールに対応して設けられたストップボタンが操作されると、そのストップボタンに対応したリールが停止する。すべてのリールが停止した時点で、内部抽選で当選した役に対応づけられた図柄の組合せが有効化されている入賞ライン上に並ぶと、その役に応じた処理が行われる。以上がスロットマシンの１ゲームである。
【０００３】
通常ゲームでの内部抽選の抽選対象には、たとえば、入賞に対して所定枚数のメダルが払い出される小役、ＢＢ（ビッグボーナス）ゲームを実行する権利が付与されるＢＢ開始役が含まれる。ＢＢ開始役に入賞すると、通常ゲームよりも小役の当選確率が高く設定されたＢＢゲームが開始される。
【先行技術文献】
【特許文献】
【０００４】
【特許文献１】特許第４７６７５２９号公報
【発明の概要】
【発明が解決しようとする課題】
【０００５】
通常ゲームが実行されている通常遊技状態およびＢＢゲームが実行されている特別遊技状態の各期間における出玉率（スロットマシンに投入されるメダルの枚数に対して、遊技者に払い出されるメダルの枚数の割合を示す理論値）は、スロットマシンの基本的なゲーム性に大きく関与する。
【０００６】
現行機種では、一様に、特別遊技状態での小役の当選確率が通常遊技状態での小役の当選確率よりも高いことから、特別遊技状態における出玉率が１００％よりも大きく設計され、射幸性を抑えるため、通常遊技状態および特別遊技状態を合わせた全体での出玉率が一定以下になるように設計されている。そのため、いずれの現行機種でも、通常遊技状態での出玉率が低く、通常ゲームの興趣に欠けている。
【０００７】
本発明の目的は、通常遊技状態でのゲームの興趣を増すことができる、遊技機を提供することである。
【課題を解決するための手段】
【０００８】
以下、本発明について説明する。なお、発明の理解を容易にするため、添付図面の参照符号等を括弧書きにて付記するが、それにより本発明が表示の形態に限定されるものではない。
【０００９】
前記の目的を達成するため、本発明に係る遊技機（１）は、始動操作手段（１９）の操作により、１回のゲームの開始となり、複数の図柄表示列（４Ｌ，４Ｃ，４Ｒ）の移動による図柄の変動表示が開始し、図柄表示列（４Ｌ，４Ｃ，４Ｒ）の個々に対応して設けられた停止操作手段（２０Ｌ，２０Ｃ，２０Ｒ）の操作に応答して、当該操作された停止操作手段（２０Ｌ，２０Ｃ，２０Ｒ）に対応する図柄表示列（４Ｌ，４Ｃ，４Ｒ）が停止し、すべての図柄表示列（４Ｌ，４Ｃ，４Ｒ）が停止した後、１回のゲームが終了となる遊技機（１）において、遊技状態を通常遊技状態と特別遊技状態とに移行させる状態移行手段（３１）と、始動操作手段（１９）の操作に応答して、通常遊技状態では、入賞に対して遊技媒体の配当が規定された小役と、入賞に対して状態移行手段（３１）による遊技状態の通常遊技状態から特別遊技状態への移行が規定された特別遊技開始役とを少なくとも抽選対象の役に含む抽選を実行し、特別遊技状態では、通常遊技状態での抽選対象に含まれるすべての小役を少なくとも抽選対象の役に含む抽選を実行する抽選手段（３１）と、すべての図柄表示列（４Ｌ，４Ｃ，４Ｒ）が停止した後、抽選手段（３１）による抽選で当選した役の入賞／非入賞を判定する入賞判定手段（３１）と、１回のゲームに必要とされる遊技媒体の規定数を通常遊技状態と特別遊技状態とで異なる数に設定する規定数設定手段（３１）と、特別遊技状態における（１回のゲームでの）最大払出枚数が通常遊技状態における（１回のゲームでの）最大払出枚数よりも小さくなるように、規定数ごとに最大払出枚数を設定する最大払出枚数設定手段（３１）と、入賞判定手段（３１）により小役の入賞が判定された場合に、当該入賞に対して配当される遊技媒体の数以下、かつ、最大払出枚数設定手段により設定されている最大払出枚数以下の範囲で、遊技媒体を払い出す遊技媒体払出手段（３１）とを含む。
【００１０】
この構成によれば、通常遊技状態と特別遊技状態とでは、１回のゲームに必要とされる遊技媒体の規定数が異なる。また、通常遊技状態と特別遊技状態とでは、１回のゲームで払い出される遊技媒体の最大払出枚数が異なり、特別遊技状態での最大払出枚数は、通常遊技状態での最大払出枚数よりも小さい。そのため、特別遊技状態での小役の個々の当選確率がそれぞれ通常遊技状態での当該小役の当選確率以上に設定されていても、最大払出枚数の設定により、特別遊技状態における出玉率（ゲームに費やされる遊技媒体の数に対して、遊技者に払い出される遊技媒体の数の割合を示す理論値）を低く抑えることができる。その結果、射幸性を抑えるため、通常遊技状態および特別遊技状態を合わせた全体での出玉率を一定以下に抑えながら、通常遊技状態における出玉率を上げることができ、通常遊技状態におけるゲームの興趣を増すことができる。
【００１１】
たとえば、特別遊技状態における最大払出枚数を１回のゲームに必要とされる遊技媒体の規定数以下に設定することにより、特別遊技状態における出玉率を１００％以下にすることも可能である。これにより、特別遊技状態における出玉率が１００％よりも大きい現行機種と大きく異なるゲーム性を実現することができる。
【００１２】
抽選手段（３１）による抽選で複数の小役に同時当選し、入賞判定手段（３１）により複数の小役の入賞が判定された場合には、各入賞に対して配当される遊技媒体の数の合計が算出されて、その算出された合計以下、かつ、最大払出枚数設定手段（３１）により設定されている最大払出枚数以下の範囲で、遊技媒体が払い出されてもよい。
【００１３】
これにより、通常遊技状態および特別遊技状態の各遊技状態において、複数の小役に同時入賞した場合でも、遊技媒体の払出枚数を最大払出枚数以下に制限することができる。
【００１４】
特別遊技開始役は、通常遊技状態における抽選で当選すると、入賞判定手段（３１）により入賞が判定されるまで当選が持ち越されるので、通常遊技状態には、特別遊技開始役の当選が持ち越されていない非内部中状態と、特別遊技開始役の当選が持ち越されている内部中状態とが含まれる。
【００１５】
通常遊技状態における抽選の抽選対象には、停止操作手段（２０Ｌ，２０Ｃ，２０Ｒ）が正解となる操作順で操作された場合に入賞となる役である押し順小役が含まれており、内部中状態では、アシストタイムが実行されて、押し順小役を入賞させるための停止操作手段（２０Ｌ，２０Ｃ，２０Ｒ）の正解となる操作順に関する情報が報知されてもよい。
【００１６】
この場合、内部中状態において、アシストタイムの実行／非実行により、出玉率が最も高い状態とそれよりも低い状態とを発生させることができる。
【００１７】
これに加えて、特別遊技状態における出玉率を１００％以下にすれば、内部中状態かつアシストタイムの実行中に、遊技者が所有する遊技媒体の数が増大し、特別遊技状態では、遊技者が所有する遊技媒体の数が減少するゲーム性を実現することができる。
【００１８】
また、通常遊技状態における抽選での特別遊技開始役の当選が比較的に容易とされ、特別遊技開始役の入賞が困難であるように、図柄表示列（４Ｌ，４Ｃ，４Ｒ）における図柄の配列および図柄表示列（４Ｌ，４Ｃ，４Ｒ）の停止制御がなされることにより、通常遊技状態をほぼ内部中状態とすることができる。
【発明の効果】
【００１９】
本発明によれば、射幸性を抑えるため、通常遊技状態および特別遊技状態を合わせた全体での出玉率を一定以下に抑えながら、通常遊技状態における出玉率を上げることができ、通常遊技状態におけるゲームの興趣を増すことができる。
【図面の簡単な説明】
【００２０】
【図１】本発明の一実施形態に係るスロットマシンの斜視図である。
【図２】スロットマシンの電気的構成を示すブロック図である。
【図３】メイン基板において１ゲームごとに実行される処理の流れを示すフローチャートである。
【図４】左リール、中リールおよび右リールの各周面に描かれている図柄の配列を示す図である。
【図５】内部抽選の抽選対象である役の種類ならびに個々の役に対応づけられた図柄の組合せおよび配当数を示す図である。
【図６】遊技状態の遷移を示す図である。
【図７Ａ】抽選テーブルの内容を示す図（その１）である。
【図７Ｂ】抽選テーブルの内容を示す図（その２）である。
【図８】停止テーブルの内容を示す図である。
【図９Ａ】リンクテーブルの内容を示す図（その１）である。
【図９Ｂ】リンクテーブルの内容を示す図（その２）である。
【図１０】リンクテーブルの他の構成例を示す図である。
【図１１】図１０に示されるリンクテーブルに用いられている「タイプ１」および「タイプ２」について説明するための図である。
【図１２】配当数の他の設定例を説明するための図である。
【発明を実施するための形態】
【００２１】
以下では、本発明の実施の形態について、添付図面を参照しつつ詳細に説明する。
【００２２】
＜外観構成＞
【００２３】
図１は、本発明の一実施形態に係るスロットマシン１の斜視図である。
【００２４】
スロットマシン１は、前面が開放された箱型の本体２と、本体２の前面を開閉可能に設けられた前扉３とを備えている。
【００２５】
本体２内には、上下方向の中央部より少し上方の位置に、左リール４Ｌ、中リール４Ｃおよび右リール４Ｒが左右に並べて配置されている。左リール４Ｌ、中リール４Ｃおよび右リール４Ｒは、ドラム状のリール枠の周面にリール帯を巻着した構成を有しており、リール枠の中心で左右方向に延びる軸を中心に回転可能に設けられている。リール帯には、２１個の図柄が周方向に並べて配列されている。
【００２６】
前扉３には、左リール４Ｌ、中リール４Ｃおよび右リール４Ｒと対向する位置に、表示パネルユニット５が配置されている。
【００２７】
表示パネルユニット５には、左リール４Ｌ、中リール４Ｃおよび右リール４Ｒの周面の一部を視認可能にするためのリール窓６が形成されている。左リール４Ｌ、中リール４Ｃおよび右リール４Ｒの回転中は、リール窓６内に、左リール４Ｌ、中リール４Ｃおよび右リール４Ｒの図柄が次々に現れる（図柄の変動表示）。左リール４Ｌ、中リール４Ｃおよび右リール４Ｒが停止すると、リール窓６内に、左リール４Ｌ、中リール４Ｃおよび右リール４Ｒのそれぞれ３個の図柄、合計９個の図柄が表示される（図柄の停止表示）。
【００２８】
また、表示パネルユニット５には、遊技に関する基本的な情報を表示するための各種の表示器が備えられている。この表示器には、たとえば、クレジット数表示器７、配当数表示器８、３個のベット数表示ＬＥＤ９、リプレイ表示ＬＥＤ１０、スタート可否表示ＬＥＤ１１およびメダル受付可否表示ＬＥＤ１２が含まれる。クレジット数表示器７および配当数表示器８は、リール窓６の下方において、左右に並べて配置されている。クレジット数表示器７および配当数表示器８は、それぞれ２桁の数字を表示可能に構成されている。３個のベット数表示ＬＥＤ９は、クレジット数表示器７の左側において、上下に並べて配置されている。リプレイ表示ＬＥＤ１０、スタート可否表示ＬＥＤ１１およびメダル受付可否表示ＬＥＤ１２は、配当数表示器８の右側において、上下に並べて配置されている。
【００２９】
前扉３には、表示パネルユニット５の下方に、操作部１３が設けられている。操作部１３は、表示パネルユニット５の前面に対して前側に張り出しており、平坦な上面１４および前側に緩やかに凸湾曲した前面１５を有している。
【００３０】
上面１４の右端部には、メダル投入口１６が設けられている。上面１４の左端部には、ＭＡＸベットボタン１７および１枚ベットボタン１８が設けられている。１枚ベットボタン１８は、ＭＡＸベットボタン１７の左側に配置されている。
【００３１】
前面１５には、スタートレバー１９、左ストップボタン２０Ｌ、中ストップボタン２０Ｃ、右ストップボタン２０Ｒおよび精算ボタン２１が設けられている。左ストップボタン２０Ｌ、中ストップボタン２０Ｃおよび右ストップボタン２０Ｒは、前面１５の左右方向の中央部において、左からこの順に並べて配置されている。スタートレバー１９は、左ストップボタン２０Ｌの左側に配置されている。精算ボタン２１は、スタートレバー１９のさらに左側に配置されている。
【００３２】
メダル受付可否表示ＬＥＤ１２の点灯中は、メダル投入口１６からメダルが投入されると、その投入が受け付けられる。メダル受付可否表示ＬＥＤ１２の消灯中は、メダル投入口１６からメダルが投入されても、その投入が受け付けられず、前扉３の最下部に設けられたメダル排出口２２からメダルトレイ２３にメダルが排出される。
【００３３】
ゲームに対してメダルがベットされていない状態において、メダルの投入が受け付けられると、そのメダルがゲームにベットされ、１個のベット数表示ＬＥＤ９が点灯される。つづいて、メダルがメダル投入口１６から投入されると、２枚目のメダルがゲームに追加ベットされ、２個のベット数表示ＬＥＤ９が点灯される。さらに、メダルがメダル投入口１６から投入されると、３枚目のメダルがゲームに追加ベットされ、３個のベット数表示ＬＥＤ９が点灯される。スロットマシン１では、１ゲーム（１回のゲーム）に対して規定数（たとえば、２枚または３枚）のメダルがベットされると、１ゲームが開始可能となり、スタート可否表示ＬＥＤ１１が点灯されるとともに、リール窓６内に設定される所定の入賞ラインが有効化される。規定数のメダルがゲームにベットされている状態で、メダル投入口１６からメダルが投入された場合、その投入されたメダルは、５０枚を上限として、スロットマシン１にクレジットされる。クレジットされているメダルの枚数は、クレジット数表示器７に表示される。５０枚のメダルがクレジットされている状態で、メダル投入口１６からメダルが投入された場合、その投入されたメダルは、メダル排出口２２からメダルトレイ２３に排出される。
【００３４】
規定数以上のメダルがスロットマシン１にクレジットされ、ゲームに対してメダルがベットされていない状態において、ＭＡＸベットボタン１７が操作されると、そのクレジットされているメダルから規定数のメダルがゲームにベットされ、ベット数表示ＬＥＤ９およびスタート可否表示ＬＥＤ１１が点灯されるとともに、リール窓６内に設定される所定の入賞ラインが有効化される。また、クレジット数が規定数分だけ減り、クレジット数表示器７の表示が更新される。１枚ベットボタン１８が操作された場合には、クレジットされているメダルから１枚のメダルがゲームにベットされ、１個のベット数表示ＬＥＤ９が点灯されるとともに、クレジット数が１だけ減り、クレジット数表示器７の表示が更新される。
【００３５】
ベットされたメダルは、ゲームの開始とともに消費される。スタートレバー１９が操作されると、１ゲームが開始となり、左リール４Ｌ、中リール４Ｃおよび右リール４Ｒの順方向の回転が開始される。また、スタート可否表示ＬＥＤ１１およびメダル受付可否表示ＬＥＤ１２が消灯される。左ストップボタン２０Ｌ、中ストップボタン２０Ｃおよび右ストップボタン２０Ｒは、それぞれ左リール４Ｌ、中リール４Ｃおよび右リール４Ｒに対応して設けられている。左リール４Ｌ、中リール４Ｃおよび右リール４Ｒの回転開始後、左ストップボタン２０Ｌ、中ストップボタン２０Ｃおよび右ストップボタン２０Ｒが操作されると、それぞれ左リール４Ｌ、中リール４Ｃおよび右リール４Ｒの回転が停止される。
【００３６】
左リール４Ｌ、中リール４Ｃおよび右リール４Ｒのすべてが停止した時点で、有効化されている入賞ライン（以下、「有効ライン」という。）上に所定の図柄の組合せが並ぶと、その図柄の組合せに応じた処理が行われる。以上で１ゲームが終了となり、ベット数表示ＬＥＤ９が消灯され、メダル受付可否表示ＬＥＤ１２が点灯される。
【００３７】
たとえば、有効ライン上に小役に係る図柄の組合せが並ぶと、その小役に入賞となり、所定の配当数のメダルが最大払出枚数を上限として払い出され、その払い出されるメダルの枚数が配当数表示器（払出枚数表示器）８に表示される。
【００３８】
入賞に対して払い出されるメダルは、スロットマシン１に５０枚を上限としてクレジットされ、５０枚を超える分については、メダル排出口２２からメダルトレイ２３に排出される。メダルがクレジットされると、そのクレジットされた枚数分だけクレジット数が増え、クレジット数表示器７に表示されるクレジット数が更新される。
【００３９】
また、有効ライン上にリプレイ役（再遊技役）に係る図柄の組合せが並ぶと、そのリプレイ役に入賞となり、メダルのベットなしで次の１ゲームの実行が許可され、リプレイ表示ＬＥＤ１０が点灯される。この場合、前回のゲームと同数のメダルがベットされた状態となり、スタート可否表示ＬＥＤ１１が点灯される。
【００４０】
なお、便宜上、リプレイ役など、小役以外の役に当選した場合であっても、その当選役に対応した図柄の組合せが有効ライン上に並ぶことを「入賞」と表現する。
【００４１】
メダル受付可否表示ＬＥＤ１２が点灯され、１枚以上のメダルがクレジットされている状態で、精算ボタン２１が操作されると、クレジットされている全メダルがメダル排出口２２からメダルトレイ２３に排出されて、クレジット数表示器７の表示が「０」に更新される。
【００４２】
また、スロットマシン１には、液晶表示装置２４、１対のスピーカ２５Ｌ，２５Ｒおよび１対のスピーカ２６Ｌ，２６Ｒが搭載されている。液晶表示装置２４は、表示パネルユニット５の上方に配置されている。スピーカ２５Ｌ，２５Ｒは、液晶表示装置２４の左側および右側に分かれて配置されている。スピーカ２６Ｌ，２６Ｒは、メダル排出口２２の左側および右側に分かれて配置されている。遊技（ゲーム）の進行に合わせて、液晶表示装置２４に演出画像や各種の情報などが表示され、また、スピーカ２５Ｌ，２５Ｒ，２６Ｌ，２６Ｒから効果音などが出力される。
【００４３】
＜電気的構成＞
【００４４】
図２は、スロットマシン１の電気的構成を示すブロック図である。
【００４５】
スロットマシン１は、ゲームのための中枢的な処理を実行するメイン基板３１と、その中枢的な処理に付随する処理（演出のための処理など）を実行するサブ基板３２と、液晶表示装置２４を制御する液晶基板３３とを備えている。
【００４６】
メイン基板３１には、ＣＰＵ４１、ＲＯＭ４２、ＲＡＭ４３、入出力ポート４４およびデータ送出回路４５が備えられている。ＣＰＵ４１、ＲＯＭ４２、ＲＡＭ４３、入出力ポート４４およびデータ送出回路４５は、バスにより、データを通信可能に接続されている。また、メイン基板３１には、ＣＰＵ４１にクロックパルスを与えるクロック発生回路４６と、乱数を生成する乱数生成回路４７とが備えられている。
【００４７】
ＣＰＵ４１は、ＲＯＭ４２に格納されているプログラムを実行し、入出力ポート４４から入力される信号に基づいて、入出力ポート４４に接続されている各制御対象を制御する。
【００４８】
ＲＡＭ４３は、ＣＰＵ４１によるプログラムの実行時のワークエリアとして使用される。
【００４９】
入出力ポート（入力ポート）４４には、ＭＡＸベットボタン１７、１枚ベットボタン１８、スタートレバー１９、左ストップボタン２０Ｌ、中ストップボタン２０Ｃ、右ストップボタン２０Ｒ、精算ボタン２１、左リール位置検出センサ５１Ｌ、中リール位置検出センサ５１Ｃ、右リール位置検出センサ５１Ｒ、メダル投入センサ５２およびメダル払出センサ５３が接続されている。
【００５０】
入出力ポート（出力ポート）４４には、クレジット数表示器７、配当数表示器８、ベット数表示ＬＥＤ９、リプレイ表示ＬＥＤ１０、スタート可否表示ＬＥＤ１１およびメダル受付可否表示ＬＥＤ１２が制御対象として接続されている。また、入出力ポート（出力ポート）４４には、左リール４Ｌを回転駆動する左リール駆動モータ６１Ｌ、中リール４Ｃを回転駆動する中リール駆動モータ６１Ｃ、右リール４Ｒを回転駆動する右リール駆動モータ６１Ｒ、メダル投入口１６から投入されるメダルの受付／拒否を切り替えるためのメダルブロックソレノイド６２および本体２内に設けられたメダル貯留部（図示せず）からメダルを払い出すためのメダル払出駆動モータ６３が制御対象として接続されている。左リール駆動モータ６１Ｌ、中リール駆動モータ６１Ｃおよび右リール駆動モータ６１Ｒには、ステッピングモータが採用されている。
【００５１】
ＭＡＸベットボタン１７、１枚ベットボタン１８、スタートレバー１９、左ストップボタン２０Ｌ、中ストップボタン２０Ｃ、右ストップボタン２０Ｒおよび精算ボタン２１が操作されると、それらの個々に設けられたスイッチまたはセンサから信号が出力され、その信号が入出力ポート４４を介してＣＰＵ４１に入力される。また、左リール４Ｌ、中リール４Ｃおよび右リール４Ｒが１回転する度に、それぞれ左リール位置検出センサ５１Ｌ、中リール位置検出センサ５１Ｃおよび右リール位置検出センサ５１Ｒから信号が出力され、その信号が入出力ポート４４を介してＣＰＵ４１に入力される。メダル投入口１６からメダルが１枚投入される度に、メダル投入センサ５２から検出信号が出力され、その検出信号が入出力ポート４４を介してＣＰＵ４１に入力される。メダル払出駆動モータ６３が駆動されて、メダル貯留部からメダルが払い出される度に、メダル払出センサ５３から信号が出力され、その信号が入出力ポート４４を介してＣＰＵ４１に入力される。
【００５２】
ＣＰＵ４１は、内部抽選を実行し、左リール４Ｌ、中リール４Ｃおよび右リール４Ｒの停止後、有効ライン上に内部抽選での当選役に対応した図柄の組合せが並んでいるか否かを判定する。有効ライン上に当選役に対応した図柄の組合せが並んでいれば、ＣＰＵ４１は、その当選役に入賞と判定し、当選役に応じた処理を実行する。
【００５３】
また、ＣＰＵ４１は、データ送出回路４５を介して、サブ基板３２に各種データ（信号）を送出する。各種データには、ゲーム開始の条件が成立したことを表す信号、スタートレバー１９が操作されたことを表す信号、左ストップボタン２０Ｌが操作されたことを表す信号、中ストップボタン２０Ｃが操作されたことを表す信号、右ストップボタン２０Ｒが操作されたことを表す信号、および内部抽選の当選役に関する情報である当選役データなどが含まれる。
【００５４】
サブ基板３２には、データ入力回路７１が備えられている。データ入力回路７１は、メイン基板３１のデータ送出回路４５とデータを通信可能に接続されている。データ送出回路４５とデータ入力回路７１との間では、データ送出回路４５からデータ入力回路７１への一方向に通信が行われ、データ入力回路７１からデータ送出回路４５への通信は行われない。
【００５５】
また、サブ基板３２には、ＣＰＵ７２、ＲＯＭ７３、ＲＡＭ７４、入出力ポート７５およびデータ入出力回路７６が備えられている。データ入力回路７１、ＣＰＵ７２、ＲＯＭ７３、ＲＡＭ７４、入出力ポート７５およびデータ入出力回路７６は、バスにより、データを通信可能に接続されている。さらに、サブ基板３２には、ＣＰＵ７２にクロックパルスを与えるクロック発生回路７７が備えられている。
【００５６】
ＣＰＵ７２は、ＲＯＭ７３に格納されているプログラムを実行し、データ入力回路７１およびデータ入出力回路７６から入力される信号に基づいて、入出力ポート７５に接続されている各制御対象を制御する。制御対象には、スロットマシン１の各部の照明のためのＬＥＤ７８およびバックライト７９などが含まれる。また、ＣＰＵ７２は、データ入出力回路７６から液晶基板３３に向けて、液晶表示装置２４などの制御に必要なデータを送出する。
【００５７】
ＲＡＭ７４は、ＣＰＵ７２によるプログラムの実行時のワークエリアとして使用される。
【００５８】
液晶基板３３には、データ入出力回路８１が備えられている。データ入出力回路８１は、サブ基板３２のデータ入出力回路７６とデータを通信可能に接続されている。データ入出力回路７６とデータ入出力回路８１との間では、双方向に通信が行われる。
【００５９】
また、液晶基板３３には、ＣＰＵ８２、ＲＯＭ８３、ＲＡＭ８４、駆動回路８５およびサウンドプロセッサ８６が備えられている。データ入出力回路８１、ＣＰＵ８２、ＲＯＭ８３、ＲＡＭ８４、駆動回路８５およびサウンドプロセッサ８６は、バスにより、データを通信可能に接続されている。さらに、液晶基板３３には、ＣＰＵ８２にクロックパルスを与えるクロック発生回路８７が備えられている。
【００６０】
ＣＰＵ８２は、ＲＯＭ８３に格納されているプログラムを実行し、データ入出力回路８１から入力される信号に基づいて、駆動回路８５を制御し、液晶表示装置２４に演出画像などを表示させる。また、ＣＰＵ８２は、ＲＯＭ８３に格納されているプログラムを実行し、データ入出力回路８１から入力される信号に基づいて、サウンドプロセッサ８６に必要なデータ（コマンド）を送信する。サウンドプロセッサ８６は、ＣＰＵ８２から与えられるデータに基づいて、スピーカ２５Ｌ，２５Ｒ，２６Ｌ，２６Ｒからの効果音や音声の出力を制御する。
【００６１】
＜ゲームフロー＞
【００６２】
図３は、メイン基板３１において１ゲームごとに実行される処理の流れ（ゲームフロー）を示すフローチャートである。
【００６３】
なお、図３に示される処理は、その要部を抜粋したものであり、メダルブロックソレノイド６２の制御に関する処理などについては、図示およびその説明を省略する。
【００６４】
最大ベット枚数のメダルがゲームにベットされた後、メイン基板３１のＣＰＵ４１により、図３に示される処理が実行される。
【００６５】
この処理において、ＣＰＵ４１は、まず、スタートレバー１９が操作されたか否かを判定する（ステップＳ１）。スタートレバー１９が操作されるまで、ＣＰＵ４１は、以降の処理を実行せず（ステップＳ１のＮＯ）、スタートレバー１９が操作されたか否かを繰り返し判定する。
【００６６】
遊技者によりスタートレバー１９が操作されたことに応答して（ステップＳ１のＹＥＳ）、ＣＰＵ４１は、内部抽選を実行する（ステップＳ２）。
【００６７】
具体的には、ＣＰＵ４１は、スタートレバー１９が操作されたタイミングで、乱数生成回路４７が生成する乱数の範囲（０〜６５５３５）から１個の乱数を取得する。そして、ＣＰＵ４１は、ＲＯＭ４２に格納されている抽選テーブルを参照する。抽選テーブルでは、複数の抽選グループが設定され、抽選グループの個々に１以上の役と所定個数（０を含む。）の乱数とが対応づけられている。ＣＰＵ４１は、乱数生成回路４７から取得した乱数が属する抽選グループに対応づけられた役を当選役として決定する。乱数生成回路４７から取得した乱数がどの抽選グループにも属さない場合には、ＣＰＵ４１は、内部抽選の結果を不当選（純ハズレ）と決定する。
【００６８】
また、スタートレバー１９が操作されると、ＣＰＵ４１は、前のゲーム（実ゲーム）での左リール４Ｌ、中リール４Ｃおよび右リール４Ｒの回転の開始から４．１秒間が経過しているか否かを判定する（ステップＳ３）。
【００６９】
前のゲームでの左リール４Ｌ、中リール４Ｃおよび右リール４Ｒの回転の開始から４．１秒間が経過していれば（ステップＳ３のＹＥＳ）、ＣＰＵ４１は、左リール駆動モータ６１Ｌ、中リール駆動モータ６１Ｃおよび右リール駆動モータ６１Ｒに駆動パルス信号を入力し、左リール４Ｌ、中リール４Ｃおよび右リール４Ｒの順方向の回転を開始させる（ステップＳ４）。ＣＰＵ４１は、左リール位置検出センサ５１Ｌ、中リール位置検出センサ５１Ｃおよび右リール位置検出センサ５１Ｒの出力信号ならびに左リール駆動モータ６１Ｌ、中リール駆動モータ６１Ｃおよび右リール駆動モータ６１Ｒへの駆動パルス信号の出力数に基づいて、左リール４Ｌ、中リール４Ｃおよび右リール４Ｒの回転位置を常に把握している。
【００７０】
前のゲームでの左リール４Ｌ、中リール４Ｃおよび右リール４Ｒの回転の開始から４．１秒間が経過するまでは、左リール４Ｌ、中リール４Ｃおよび右リール４Ｒの回転が開始されない（ステップＳ３のＮＯ）。これにより、１ゲームに費やされる時間が４．１秒間以上に保たれる。
【００７１】
その後、左リール４Ｌ、中リール４Ｃおよび右リール４Ｒの回転速度が一定になると、ＣＰＵ４１は、左ストップボタン２０Ｌ、中ストップボタン２０Ｃおよび右ストップボタン２０Ｒを有効化する。そして、ＣＰＵ４１は、遊技者による第１停止操作が行われたか否かを判定する（ステップＳ５）。
【００７２】
なお、左ストップボタン２０Ｌ、中ストップボタン２０Ｃおよび右ストップボタン２０Ｒの有効化後における左ストップボタン２０Ｌ、中ストップボタン２０Ｃおよび右ストップボタン２０Ｒの操作のうち、最初の操作を「第１停止操作」といい、２番目の操作を「第２停止操作」といい、最後の操作を「第３停止操作」という。
【００７３】
第１停止操作が行われるまで、ＣＰＵ４１は、第１停止操作が行われたか否かの判定を繰り返す（ステップＳ５のＮＯ）。
【００７４】
第１停止操作が行われると（ステップＳ５のＹＥＳ）、ＣＰＵ４１は、第１停止操作のタイミングと内部抽選の結果とに基づくリール停止制御により、第１停止操作に対応した左リール駆動モータ６１Ｌ、中リール駆動モータ６１Ｃまたは右リール駆動モータ６１Ｒへの駆動パルス信号の出力を停止し、第１停止操作に対応した左リール４Ｌ、中リール４Ｃまたは右リール４Ｒを停止（第１停止）させる（ステップＳ６）。このとき、第１停止操作に対応した左リール４Ｌ、中リール４Ｃまたは右リール４Ｒは、第１停止操作時の回転位置を基準として、所定の最大引込コマ数の図柄が移動する引込範囲内でその回転が停止される。第２停止操作および第３停止操作が行われた場合についても、同様のリール停止制御（引込制御）が行われる。
【００７５】
その後、ＣＰＵ４１は、遊技者による第２停止操作が行われたか否かを判定する（ステップＳ７）。
【００７６】
第２停止操作が行われるまで、ＣＰＵ４１は、第２停止操作が行われたか否かの判定を繰り返す（ステップＳ７のＮＯ）。
【００７７】
第２停止操作が行われると（ステップＳ７のＹＥＳ）、ＣＰＵ４１は、第２停止操作のタイミング、内部抽選の結果および第１停止により表示された図柄に基づいて、第２停止操作に対応した左リール駆動モータ６１Ｌ、中リール駆動モータ６１Ｃまたは右リール駆動モータ６１Ｒへの駆動パルス信号の出力を停止し、第２停止操作に対応した左リール４Ｌ、中リール４Ｃまたは右リール４Ｒを停止（第２停止）させる（ステップＳ８）。
【００７８】
その後、ＣＰＵ４１は、遊技者による第３停止操作が行われたか否かを判定する（ステップＳ９）。
【００７９】
第３停止操作が行われるまで、ＣＰＵ４１は、第３停止操作が行われたか否かの判定を繰り返す（ステップＳ９のＮＯ）。
【００８０】
第３停止操作が行われると（ステップＳ９のＹＥＳ）、ＣＰＵ４１は、第３停止操作のタイミング、内部抽選の結果ならびに第１停止および第２停止により表示された各図柄に基づいて、第３停止操作に対応した左リール駆動モータ６１Ｌ、中リール駆動モータ６１Ｃまたは右リール駆動モータ６１Ｒへの駆動パルス信号の出力を停止し、第３停止操作に対応した左リール４Ｌ、中リール４Ｃまたは右リール４Ｒを停止（第３停止）させる（ステップＳ１０）。
【００８１】
そして、ＣＰＵ４１は、有効ライン上に内部抽選での当選役に対応した図柄の組合せが並んでいるか否かを判定する（ステップＳ１１）。有効ライン上に当選役に対応した図柄の組合せが並んでいれば、ＣＰＵ４１は、その当選役に入賞と判定し、当選役に応じた処理を実行して、図３に示される一連の処理を終了する。
【００８２】
＜図柄配列＞
【００８３】
図４は、左リール４Ｌ、中リール４Ｃおよび右リール４Ｒの各周面（リール帯）に描かれている図柄の配列を示す図である。
【００８４】
左リール４Ｌの周面には、「スイカ」、「スター２」、「プラム」、「ベル」、「スター１」、「スイカ」、「プラム」、「ベル」、「チェリー」、「ＢＡＲ」、「プラム」、「ベル」、「スイカ」、「スター２」、「青７」、「プラム」、「ベル」、「スイカ」、「赤７」、「プラム」および「ベル」の図柄が左リール４Ｌの回転時にリール窓６内にこの順に現れるように配列されている。これらの図柄には、それぞれ図柄番号「１」〜「２１」が対応づけられている。
【００８５】
中リール４Ｃの周面には、「ベル」、「プラム」、「スター１」、「スイカ」、「ＢＡＲ」、「ベル」、「プラム」、「スター２」、「スイカ」、「青７」、「ベル」、「プラム」、「青７」、「ベル」、「プラム」、「チェリー」、「スター１」、「赤７」、「ベル」、「プラム」および「赤７」の図柄が中リール４Ｃの回転時にリール窓６内にこの順に現れるように配列されている。これらの図柄には、それぞれ図柄番号「１」〜「２１」が対応づけられている。
【００８６】
右リール４Ｒの周面には、「ベル」、「スター２」、「プラム」、「スイカ」、「ＢＡＲ」、「ベル」、「プラム」、「スイカ」、「青７」、「ベル」、「プラム」、「青７」、「ベル」、「スイカ」、「プラム」、「スター２」、「ブランク」、「ベル」、「プラム」、「スター１」および「赤７」の図柄が右リール４Ｒの回転時にリール窓６内にこの順に現れるように配列されている。これらの図柄には、それぞれ図柄番号「１」〜「２１」が対応づけられている。
【００８７】
＜役構成＞
【００８８】
図５は、内部抽選の抽選対象である役の種類ならびに個々の役に対応づけられた図柄の組合せおよび配当数を示す図である。
【００８９】
内部抽選の抽選対象の役には、「一種ＢＢ開始役」、「再遊技」、「８枚小役」、「１枚小役Ａ〜Ｚ」、「１枚小役ＡＡ〜ＡＨ」および「３枚小役」が含まれる。
【００９０】
「一種ＢＢ開始役」には、「赤７」−「ＢＡＲ」−「ＢＡＲ」の図柄が左からこの順に並ぶ組合せが対応づけられている。通常ゲームにおける内部抽選で「一種ＢＢ開始役」が当選役として決定され、当該ゲーム以降の通常ゲーム（当該通常ゲームを含む。）において、「赤７」−「ＢＡＲ」−「ＢＡＲ」が有効ライン上に停止すると、「一種ＢＢ開始役」に入賞となり、一種ＢＢ（ビッグボーナス）ゲームが開始される。
【００９１】
なお、内部抽選で当選役が決定されると、その当選役がＲＡＭ４３に記憶される。「一種ＢＢ開始役」については、内部抽選で当選役として決定されたゲームで入賞しなかった場合、次ゲーム以降も「一種ＢＢ開始役」に入賞するまで、「一種ＢＢ開始役」が当選役としてＲＡＭ４３に記憶され続ける（「一種ＢＢ開始役」の当選が持ち越される）。一方、「８枚小役」、「１枚小役Ａ〜Ｚ」、「１枚小役ＡＡ〜ＡＨ」および「３枚小役」については、内部抽選で当選役として決定されたゲームで入賞しなかった場合、ＲＡＭ４３における当選役としての記憶が消去される。
【００９２】
「再遊技」には、「プラム」−「プラム」−「プラム」の図柄の組合せが対応づけられている。内部抽選で「再遊技」が当選役として決定されると、当該ゲームで３個の「プラム」が有効ライン上に停止し、「再遊技」に必ず入賞する。「再遊技」の入賞に対しては、メダルのベットなしでの次の１ゲームの実行が許可される。
【００９３】
スロットマシン１では、通常ゲームが実行される通常遊技状態での規定数が「３（３枚）」に設定され、一種ＢＢゲームが実行される特別遊技状態での規定数が「２（２枚）」に設定されている。すなわち、スロットマシン１では、１回の通常ゲームに必要とされるメダルの枚数が「３」に設定され、１回の一種ＢＢゲームに必要とされるメダルの枚数が「２」に設定されている。
【００９４】
「８枚小役」は、小役の１つであり、いわゆる押し順小役である。「８枚小役」には、「ベル」−「ベル」−「ベル」の図柄の組合せが対応づけられている。また、「８枚小役」には、規定数「２」および「３」に対する配当数として「８（８枚）」が対応づけられている。内部抽選で「８枚小役」が当選役として決定され、当該ゲームで３個の「ベル」が有効ライン上に停止すると、「８枚小役」に入賞となる。
【００９５】
なお、規定数「２」の場合と規定数「３」の場合とで、各小役の入賞に対する配当が異なっていてもよいし、同じであってもよい。この実施形態では、規定数「２」の場合と規定数「３」の場合とで、各小役の入賞に対する配当が同じに設定されている例を取り上げる。
【００９６】
「１枚小役Ａ」は、小役の１つである。「１枚小役Ａ」には、「プラム」−「赤７」−「赤７」の図柄が左からこの順に並ぶ組合せが対応づけられている。また、「１枚小役Ａ」には、配当数として「１（１枚）」が対応づけられている。内部抽選で「１枚小役Ａ」が当選役として決定され、当該ゲームで「プラム」−「赤７」−「赤７」が有効ライン上に停止すると、「１枚小役Ａ」に入賞となる。
【００９７】
「１枚小役Ｂ」は、小役の１つである。「１枚小役Ｂ」には、「プラム」−「赤７」−「ブランク」の図柄が左からこの順に並ぶ組合せが対応づけられている。また、「１枚小役Ｂ」には、配当数として「１（１枚）」が対応づけられている。内部抽選で「１枚小役Ｂ」が当選役として決定され、当該ゲームで「プラム」−「赤７」−「ブランク」が有効ライン上に停止すると、「１枚小役Ｂ」に入賞となる。
【００９８】
「１枚小役Ｃ」は、小役の１つである。「１枚小役Ｃ」には、「プラム」−「赤７」−「青７」の図柄が左からこの順に並ぶ組合せが対応づけられている。また、「１枚小役Ｃ」には、配当数として「１（１枚）」が対応づけられている。内部抽選で「１枚小役Ｃ」が当選役として決定され、当該ゲームで「プラム」−「赤７」−「青７」が有効ライン上に停止すると、「１枚小役Ｃ」に入賞となる。
【００９９】
「１枚小役Ｄ」は、小役の１つである。「１枚小役Ｄ」には、「プラム」−「赤７」−「ＢＡＲ」の図柄が左からこの順に並ぶ組合せが対応づけられている。また、「１枚小役Ｄ」には、配当数として「１（１枚）」が対応づけられている。内部抽選で「１枚小役Ｄ」が当選役として決定され、当該ゲームで「プラム」−「赤７」−「ＢＡＲ」が有効ライン上に停止すると、「１枚小役Ｄ」に入賞となる。
【０１００】
「１枚小役Ｅ」は、小役の１つである。「１枚小役Ｅ」には、「プラム」−「青７」−「赤７」の図柄が左からこの順に並ぶ組合せが対応づけられている。また、「１枚小役Ｅ」には、配当数として「１（１枚）」が対応づけられている。内部抽選で「１枚小役Ｅ」が当選役として決定され、当該ゲームで「プラム」−「青７」−「赤７」が有効ライン上に停止すると、「１枚小役Ｅ」に入賞となる。
【０１０１】
「１枚小役Ｆ」は、小役の１つである。「１枚小役Ｆ」には、「プラム」−「青７」−「ブランク」の図柄が左からこの順に並ぶ組合せが対応づけられている。また、「１枚小役Ｆ」には、配当数として「１（１枚）」が対応づけられている。内部抽選で「１枚小役Ｆ」が当選役として決定され、当該ゲームで「プラム」−「青７」−「ブランク」が有効ライン上に停止すると、「１枚小役Ｆ」に入賞となる。
【０１０２】
「１枚小役Ｇ」は、小役の１つである。「１枚小役Ｇ」には、「プラム」−「青７」−「青７」の図柄が左からこの順に並ぶ組合せが対応づけられている。また、「１枚小役Ｇ」には、配当数として「１（１枚）」が対応づけられている。内部抽選で「１枚小役Ｇ」が当選役として決定され、当該ゲームで「プラム」−「青７」−「青７」が有効ライン上に停止すると、「１枚小役Ｇ」に入賞となる。
【０１０３】
「１枚小役Ｈ」は、小役の１つである。「１枚小役Ｈ」には、「プラム」−「青７」−「ＢＡＲ」の図柄が左からこの順に並ぶ組合せが対応づけられている。また、「１枚小役Ｈ」には、配当数として「１（１枚）」が対応づけられている。内部抽選で「１枚小役Ｈ」が当選役として決定され、当該ゲームで「プラム」−「青７」−「ＢＡＲ」が有効ライン上に停止すると、「１枚小役Ｈ」に入賞となる。
【０１０４】
「１枚小役Ｉ」は、小役の１つである。「１枚小役Ｉ」には、「プラム」−「ＢＡＲ」−「赤７」の図柄が左からこの順に並ぶ組合せが対応づけられている。また、「１枚小役Ｉ」には、配当数として「１（１枚）」が対応づけられている。内部抽選で「１枚小役Ｉ」が当選役として決定され、当該ゲームで「プラム」−「ＢＡＲ」−「赤７」が有効ライン上に停止すると、「１枚小役Ｉ」に入賞となる。
【０１０５】
「１枚小役Ｊ」は、小役の１つである。「１枚小役Ｊ」には、「プラム」−「ＢＡＲ」−「ブランク」の図柄が左からこの順に並ぶ組合せが対応づけられている。また、「１枚小役Ｊ」には、配当数として「１（１枚）」が対応づけられている。内部抽選で「１枚小役Ｊ」が当選役として決定され、当該ゲームで「プラム」−「ＢＡＲ」−「ブランク」が有効ライン上に停止すると、「１枚小役Ｊ」に入賞となる。
【０１０６】
「１枚小役Ｋ」は、小役の１つである。「１枚小役Ｋ」には、「プラム」−「ＢＡＲ」−「青７」の図柄が左からこの順に並ぶ組合せが対応づけられている。また、「１枚小役Ｋ」には、配当数として「１（１枚）」が対応づけられている。内部抽選で「１枚小役Ｋ」が当選役として決定され、当該ゲームで「プラム」−「ＢＡＲ」−「青７」が有効ライン上に停止すると、「１枚小役Ｋ」に入賞となる。
【０１０７】
「１枚小役Ｌ」は、小役の１つである。「１枚小役Ｌ」には、「プラム」−「ＢＡＲ」−「ＢＡＲ」の図柄が左からこの順に並ぶ組合せが対応づけられている。また、「１枚小役Ｌ」には、配当数として「１（１枚）」が対応づけられている。内部抽選で「１枚小役Ｌ」が当選役として決定され、当該ゲームで「プラム」−「ＢＡＲ」−「ＢＡＲ」が有効ライン上に停止すると、「１枚小役Ｌ」に入賞となる。
【０１０８】
「１枚小役Ｍ」は、小役の１つである。「１枚小役Ｍ」には、「赤７」−「ベル」−「赤７」の図柄が左からこの順に並ぶ組合せが対応づけられている。また、「１枚小役Ｍ」には、配当数として「１（１枚）」が対応づけられている。内部抽選で「１枚小役Ｍ」が当選役として決定され、当該ゲームで「赤７」−「ベル」−「赤７」が有効ライン上に停止すると、「１枚小役Ｍ」に入賞となる。
【０１０９】
「１枚小役Ｎ」は、小役の１つである。「１枚小役Ｎ」には、「青７」−「ベル」−「青７」の図柄が左からこの順に並ぶ組合せが対応づけられている。また、「１枚小役Ｎ」には、配当数として「１（１枚）」が対応づけられている。内部抽選で「１枚小役Ｎ」が当選役として決定され、当該ゲームで「青７」−「ベル」−「青７」が有効ライン上に停止すると、「１枚小役Ｎ」に入賞となる。
【０１１０】
「１枚小役Ｏ」は、小役の１つである。「１枚小役Ｏ」には、「赤７」−「ベル」−「プラム」の図柄が左からこの順に並ぶ組合せが対応づけられている。また、「１枚小役Ｏ」には、配当数として「１（１枚）」が対応づけられている。内部抽選で「１枚小役Ｏ」が当選役として決定され、当該ゲームで「赤７」−「ベル」−「プラム」が有効ライン上に停止すると、「１枚小役Ｏ」に入賞となる。
【０１１１】
「１枚小役Ｐ」は、小役の１つである。「１枚小役Ｐ」には、「青７」−「ベル」−「プラム」の図柄が左からこの順に並ぶ組合せが対応づけられている。また、「１枚小役Ｐ」には、配当数として「１（１枚）」が対応づけられている。内部抽選で「１枚小役Ｐ」が当選役として決定され、当該ゲームで「青７」−「ベル」−「プラム」が有効ライン上に停止すると、「１枚小役Ｐ」に入賞となる。
【０１１２】
「１枚小役Ｑ」は、小役の１つである。「１枚小役Ｑ」には、「赤７」−「赤７」−「ベル」の図柄が左からこの順に並ぶ組合せが対応づけられている。また、「１枚小役Ｑ」には、配当数として「１（１枚）」が対応づけられている。内部抽選で「１枚小役Ｑ」が当選役として決定され、当該ゲームで「赤７」−「赤７」−「ベル」が有効ライン上に停止すると、「１枚小役Ｑ」に入賞となる。
【０１１３】
「１枚小役Ｒ」は、小役の１つである。「１枚小役Ｒ」には、「青７」−「青７」−「ベル」の図柄が左からこの順に並ぶ組合せが対応づけられている。また、「１枚小役Ｒ」には、配当数として「１（１枚）」が対応づけられている。内部抽選で「１枚小役Ｒ」が当選役として決定され、当該ゲームで「青７」−「青７」−「ベル」が有効ライン上に停止すると、「１枚小役Ｒ」に入賞となる。
【０１１４】
「１枚小役Ｓ」は、小役の１つである。「１枚小役Ｓ」には、「赤７」−「プラム」−「ベル」の図柄が左からこの順に並ぶ組合せが対応づけられている。また、「１枚小役Ｓ」には、配当数として「１（１枚）」が対応づけられている。内部抽選で「１枚小役Ｓ」が当選役として決定され、当該ゲームで「赤７」−「プラム」−「ベル」が有効ライン上に停止すると、「１枚小役Ｓ」に入賞となる。
【０１１５】
「１枚小役Ｔ」は、小役の１つである。「１枚小役Ｔ」には、「青７」−「プラム」−「ベル」の図柄が左からこの順に並ぶ組合せが対応づけられている。また、「１枚小役Ｔ」には、配当数として「１（１枚）」が対応づけられている。内部抽選で「１枚小役Ｔ」が当選役として決定され、当該ゲームで「青７」−「プラム」−「ベル」が有効ライン上に停止すると、「１枚小役Ｔ」に入賞となる。
【０１１６】
「１枚小役Ｕ」は、小役の１つである。「１枚小役Ｕ」には、「ベル」−「プラム」−「プラム」の図柄が左からこの順に並ぶ組合せが対応づけられている。また、「１枚小役Ｕ」には、配当数として「１（１枚）」が対応づけられている。内部抽選で「１枚小役Ｕ」が当選役として決定され、当該ゲームで「ベル」−「プラム」−「プラム」が有効ライン上に停止すると、「１枚小役Ｕ」に入賞となる。
【０１１７】
「１枚小役Ｖ」は、小役の１つである。「１枚小役Ｖ」には、「チェリー」−「プラム」−「プラム」の図柄が左からこの順に並ぶ組合せが対応づけられている。また、「１枚小役Ｖ」には、配当数として「１（１枚）」が対応づけられている。内部抽選で「１枚小役Ｖ」が当選役として決定され、当該ゲームで「チェリー」−「プラム」−「プラム」が有効ライン上に停止すると、「１枚小役Ｖ」に入賞となる。
【０１１８】
「１枚小役Ｗ」は、小役の１つである。「１枚小役Ｗ」には、「ＢＡＲ」−「ベル」−「プラム」の図柄が左からこの順に並ぶ組合せが対応づけられている。また、「１枚小役Ｗ」には、配当数として「１（１枚）」が対応づけられている。内部抽選で「１枚小役Ｗ」が当選役として決定され、当該ゲームで「ＢＡＲ」−「ベル」−「プラム」が有効ライン上に停止すると、「１枚小役Ｗ」に入賞となる。
【０１１９】
「１枚小役Ｘ」は、小役の１つである。「１枚小役Ｘ」には、「ＢＡＲ」−「ベル」−「赤７」の図柄が左からこの順に並ぶ組合せが対応づけられている。また、「１枚小役Ｘ」には、配当数として「１（１枚）」が対応づけられている。内部抽選で「１枚小役Ｘ」が当選役として決定され、当該ゲームで「ＢＡＲ」−「ベル」−「赤７」が有効ライン上に停止すると、「１枚小役Ｘ」に入賞となる。
【０１２０】
「１枚小役Ｙ」は、小役の１つである。「１枚小役Ｙ」には、「スター１」−「ベル」−「プラム」の図柄が左からこの順に並ぶ組合せが対応づけられている。また、「１枚小役Ｙ」には、配当数として「１（１枚）」が対応づけられている。内部抽選で「１枚小役Ｙ」が当選役として決定され、当該ゲームで「スター１」−「ベル」−「プラム」が有効ライン上に停止すると、「１枚小役Ｙ」に入賞となる。
【０１２１】
「１枚小役Ｚ」は、小役の１つである。「１枚小役Ｚ」には、「スター１」−「ベル」−「青７」の図柄が左からこの順に並ぶ組合せが対応づけられている。また、「１枚小役Ｚ」には、配当数として「１（１枚）」が対応づけられている。内部抽選で「１枚小役Ｚ」が当選役として決定され、当該ゲームで「スター１」−「ベル」−「青７」が有効ライン上に停止すると、「１枚小役Ｚ」に入賞となる。
【０１２２】
「１枚小役ＡＡ」は、小役の１つである。「１枚小役ＡＡ」には、「スター２」−「ベル」−「プラム」の図柄が左からこの順に並ぶ組合せが対応づけられている。また、「１枚小役ＡＡ」には、配当数として「１（１枚）」が対応づけられている。内部抽選で「１枚小役ＡＡ」が当選役として決定され、当該ゲームで「スター２」−「ベル」−「プラム」が有効ライン上に停止すると、「１枚小役ＡＡ」に入賞となる。
【０１２３】
「１枚小役ＡＢ」は、小役の１つである。「１枚小役ＡＢ」には、「スター２」−「ベル」−「赤７」の図柄が左からこの順に並ぶ組合せが対応づけられている。また、「１枚小役ＡＢ」には、配当数として「１（１枚）」が対応づけられている。内部抽選で「１枚小役ＡＢ」が当選役として決定され、当該ゲームで「スター２」−「ベル」−「赤７」が有効ライン上に停止すると、「１枚小役ＡＢ」に入賞となる。
【０１２４】
「１枚小役ＡＣ」は、小役の１つである。「１枚小役ＡＣ」には、「ＢＡＲ」−「プラム」−「ベル」の図柄が左からこの順に並ぶ組合せが対応づけられている。また、「１枚小役ＡＣ」には、配当数として「１（１枚）」が対応づけられている。内部抽選で「１枚小役ＡＣ」が当選役として決定され、当該ゲームで「ＢＡＲ」−「プラム」−「ベル」が有効ライン上に停止すると、「１枚小役ＡＣ」に入賞となる。
【０１２５】
「１枚小役ＡＤ」は、小役の１つである。「１枚小役ＡＤ」には、「ＢＡＲ」−「赤７」−「ベル」の図柄が左からこの順に並ぶ組合せが対応づけられている。また、「１枚小役ＡＤ」には、配当数として「１（１枚）」が対応づけられている。内部抽選で「１枚小役ＡＤ」が当選役として決定され、当該ゲームで「ＢＡＲ」−「赤７」−「ベル」が有効ライン上に停止すると、「１枚小役ＡＤ」に入賞となる。
【０１２６】
「１枚小役ＡＥ」は、小役の１つである。「１枚小役ＡＥ」には、「スター１」−「プラム」−「ベル」の図柄が左からこの順に並ぶ組合せが対応づけられている。また、「１枚小役ＡＥ」には、配当数として「１（１枚）」が対応づけられている。内部抽選で「１枚小役ＡＥ」が当選役として決定され、当該ゲームで「スター１」−「プラム」−「ベル」が有効ライン上に停止すると、「１枚小役ＡＥ」に入賞となる。
【０１２７】
「１枚小役ＡＦ」は、小役の１つである。「１枚小役ＡＦ」には、「スター１」−「青７」−「ベル」の図柄が左からこの順に並ぶ組合せが対応づけられている。また、「１枚小役ＡＦ」には、配当数として「１（１枚）」が対応づけられている。内部抽選で「１枚小役ＡＦ」が当選役として決定され、当該ゲームで「スター１」−「青７」−「ベル」が有効ライン上に停止すると、「１枚小役ＡＦ」に入賞となる。
【０１２８】
「１枚小役ＡＧ」は、小役の１つである。「１枚小役ＡＧ」には、「スター２」−「プラム」−「ベル」の図柄が左からこの順に並ぶ組合せが対応づけられている。また、「１枚小役ＡＧ」には、配当数として「１（１枚）」が対応づけられている。内部抽選で「１枚小役ＡＧ」が当選役として決定され、当該ゲームで「スター２」−「プラム」−「ベル」が有効ライン上に停止すると、「１枚小役ＡＧ」に入賞となる。
【０１２９】
「１枚小役ＡＨ」は、小役の１つである。「１枚小役ＡＨ」には、「スター２」−「赤７」−「ベル」の図柄が左からこの順に並ぶ組合せが対応づけられている。また、「１枚小役ＡＨ」には、配当数として「１（１枚）」が対応づけられている。内部抽選で「１枚小役ＡＨ」が当選役として決定され、当該ゲームで「スター２」−「赤７」−「ベル」が有効ライン上に停止すると、「１枚小役ＡＨ」に入賞となる。
【０１３０】
「３枚小役」は、小役の１つである。「３枚小役」には、「スイカ」−「スイカ」−「スイカ」の図柄の組合せが対応づけられている。また、「３枚小役」には、配当数として「３（３枚）」が対応づけられている。内部抽選で「３枚小役」が当選役として決定され、当該ゲームで３個の「スイカ」が有効ライン上に停止すると、「３枚小役」に入賞となる。
【０１３１】
＜遊技状態＞
【０１３２】
図６は、遊技状態の遷移を示す図である。
【０１３３】
スロットマシン１の遊技状態は、通常ゲームが実行される通常遊技状態と、一種ＢＢゲームが実行される特別遊技状態である「一種ＢＢ中」とに大別される。そして、通常遊技状態は、「一種ＢＢ開始役」の当選が持ち越されていない通常遊技状態である「通常中（非内部中）」状態と、「一種ＢＢ開始役」の当選が持ち越されている通常遊技状態である「一種ＢＢ内部中」状態とに分けられる。
【０１３４】
スロットマシン１の管理者などによるスロットマシン１の設定変更（いわゆる設定値１〜６の切替え）および所定のリセット操作が行われると、遊技状態が「通常中」に設定される。スロットマシン１の電源投入時には、遊技状態が電源遮断前の遊技状態に設定される。
【０１３５】
「通常中」状態における内部抽選で「一種ＢＢ」が当選役として決定されると、一種ＢＢゲームを実行する権利が確定する。当該ゲームで「一種ＢＢ」に入賞した場合、遊技状態が「通常中」から「一種ＢＢ中」に移行する。当該ゲームで「一種ＢＢ」に入賞しなかった場合、次ゲーム以降に「一種ＢＢ」の当選が持ち越され、遊技状態が「通常中」から「一種ＢＢ内部中」に移行する。次ゲーム以降のゲームで「一種ＢＢ」に入賞すると、遊技状態が「一種ＢＢ内部中」から「一種ＢＢ中」に移行する。一種ＢＢゲームは、その開始からのメダルの合計払出枚数が所定の上限数を超えると終了する。一種ＢＢゲームが終了すると、遊技状態が「一種ＢＢ中」から「通常中」に移行する。
【０１３６】
前述したように、スロットマシン１では、通常遊技状態である「通常中」状態および「一種ＢＢ内部中」状態での規定数が「３（３枚）」に設定され、特別遊技状態である「一種ＢＢ中」状態での規定数が「２（２枚）」に設定されている。そして、規定数ごとに、１回のゲームでの最大払出枚数が設定されている。具体的には、規定数「３」に対しては、１回のゲームでの最大払出枚数が１５枚に設定され、規定数「２」に対しては、１回のゲームでの最大払出枚数が２枚に設定されている。これにより、「一種ＢＢ中」状態では、たとえば、配当数として「８（８枚）」が対応づけられた「８枚小役」に入賞しても、８枚のメダルは払い出されず、最大払出枚数である２枚のメダルが払い出される。
【０１３７】
＜抽選テーブル＞
【０１３８】
図７Ａおよび図７Ｂは、抽選テーブルの内容を示す図である。
【０１３９】
抽選テーブルは、メイン基板３１のＲＯＭ４２に格納されている。
【０１４０】
抽選テーブルでは、抽選グループ１〜８が設定され、抽選グループ１〜８の個々に１以上の役が対応づけられている。具体的には、抽選グループ１には、図７Ａに示されるように、「８枚小役」、「１枚小役Ａ」、「１枚小役Ｂ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」が対応づけられている。抽選グループ２には、「８枚小役」、「１枚小役Ｃ」、「１枚小役Ｄ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」が対応づけられている。抽選グループ３には、「８枚小役」、「１枚小役Ｅ」、「１枚小役Ｆ」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」が対応づけられている。抽選グループ４には、図７Ｂに示されるように、「８枚小役」、「１枚小役Ｇ」、「１枚小役Ｈ」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」が対応づけられている。抽選グループ５には、「１枚小役Ｕ」および「１枚小役Ｖ」が対応づけられている。抽選グループ６には、「３枚小役」が対応づけられている。抽選グループ７には、「再遊技役」が対応づけられている。抽選グループ８には、「一種ＢＢ開始役」が対応づけられている。
【０１４１】
そして、抽選テーブルは、「通常中」状態で使用される通常中抽選テーブル、「一種ＢＢ内部中」状態で使用される一種ＢＢ内部中抽選テーブルおよび「一種ＢＢ中」状態で使用される一種ＢＢ中抽選テーブルの３種類が用意されている。通常中抽選テーブル、一種ＢＢ内部中抽選テーブルおよび一種ＢＢ中抽選テーブル間において、抽選グループ１〜８の個々に対応づけられている役は共通している。
【０１４２】
通常中抽選テーブルでは、抽選グループ１〜４の個々に、乱数生成回路４７が生成する６５５３６個の乱数のうちの１２４７５個の乱数が対応づけられている（属している）。抽選グループ５には、乱数生成回路４７が生成する６５５３６個の乱数のうちの１８２９個が対応づけられている。抽選グループ６には、乱数生成回路４７が生成する６５５３６個の乱数のうちの６５５個が対応づけられている。抽選グループ７には、乱数生成回路４７が生成する６５５３６個の乱数のうちの８９７８個が対応づけられている。抽選グループ８には、乱数生成回路４７が生成する６５５３６個の乱数のうちの４１７３個が対応づけられている。抽選グループ１〜８の個々に対応づけられている乱数は、抽選グループ１〜８間で重複しておらず、抽選グループ１〜８には、合計６５５３５個の乱数が対応づけられ、乱数生成回路４７が生成する６５５３６個の乱数のうちの残りの１個は、抽選グループ１〜８のいずれにも対応づけられていない。
【０１４３】
一種ＢＢ内部中抽選テーブルは、通常中抽選テーブルと比較して、抽選グループ７，８に対応づけられている乱数の個数が異なる。すなわち、一種ＢＢ内部中抽選テーブルでは、抽選グループ１〜４の個々に、乱数生成回路４７が生成する６５５３６個の乱数のうちの１２４７５個の乱数が対応づけられている。抽選グループ５には、乱数生成回路４７が生成する６５５３６個の乱数のうちの１８２９個が対応づけられている。抽選グループ６には、乱数生成回路４７が生成する６５５３６個の乱数のうちの６５５個が対応づけられている。抽選グループ７には、通常中抽選テーブルと異なり、乱数生成回路４７が生成する６５５３６個の乱数のうちの１３１５２個が対応づけられている。抽選グループ８には、通常中抽選テーブルと異なり、１個の乱数も対応づけられていない。抽選グループ１〜７の個々に対応づけられている乱数は、抽選グループ１〜７間で重複しておらず、抽選グループ１〜７には、合計６５５３５個の乱数が対応づけられている。
【０１４４】
一種ＢＢ内部中抽選テーブルでは、抽選グループ８に乱数が対応づけられてないので、「一種ＢＢ内部中」状態における内部抽選では、「一種ＢＢ開始役」に当選することがない。
【０１４５】
また、乱数生成回路４７が生成する６５５３６個の乱数のすべてが抽選グループ１〜７のいずれかに対応づけられているので、「一種ＢＢ内部中」状態における内部抽選では、「再遊技」、「８枚小役」、「１枚小役Ａ〜Ｚ」、「１枚小役ＡＡ〜ＡＨ」および「３枚小役」のうちの少なくとも１つの役に必ず当選する。
【０１４６】
一種ＢＢ中抽選テーブルは、通常中抽選テーブルと比較して、抽選グループ６〜８に対応づけられている乱数の個数が異なる。すなわち、一種ＢＢ中抽選テーブルでは、抽選グループ１〜４の個々に、乱数生成回路４７が生成する６５５３６個の乱数のうちの１２４７５個の乱数が対応づけられている。抽選グループ５には、乱数生成回路４７が生成する６５５３６個の乱数のうちの１８２９個が対応づけられている。抽選グループ６には、通常中抽選テーブルと異なり、乱数生成回路４７が生成する６５５３６個の乱数のうちの２８００個が対応づけられている。抽選グループ７，８には、通常中抽選テーブルと異なり、１個の乱数も対応づけられていない。抽選グループ１〜７の個々に対応づけられている乱数は、抽選グループ１〜６間で重複しておらず、抽選グループ１〜６には、合計５４５２９個の乱数が対応づけられ、乱数生成回路４７が生成する６５５３６個の乱数のうちの残りの１１００７個は、抽選グループ１〜８のいずれにも対応づけられていない。
【０１４７】
一種ＢＢ中抽選テーブルでは、抽選グループ７，８に乱数が対応づけられてないので、「一種ＢＢ中」状態における内部抽選では、「一種ＢＢ開始役」および「再遊技役」に当選することがない。
【０１４８】
また、一種ＢＢ中抽選テーブルでは、通常中抽選テーブルおよび一種ＢＢ内部中抽選テーブルと比較して、抽選グループ１〜８のいずれにも対応づけられていない乱数の個数が多いが、抽選グループ６に対応づけられている乱数の個数が多いので、抽選グループ１〜６に対応づけられている乱数の合計個数が多い。そのため、「一種ＢＢ中」状態では、「通常中」状態および「一種ＢＢ内部中」状態と比較して、内部抽選で「８枚小役」、「１枚小役Ａ〜Ｚ」、「１枚小役ＡＡ〜ＡＨ」および「３枚小役」の各小役に当選する確率の総和が大きい。
【０１４９】
＜停止テーブル＞
【０１５０】
図８は、停止テーブルの内容を示す図である。
【０１５１】
停止テーブルは、左リール４Ｌの停止テーブルＴＢＬ０１〜０６、中リール４Ｃの停止テーブルＴＢＬ１１〜１７および右リール４Ｒの停止テーブルＴＢＬ２１〜２７の集合体であり、メイン基板３１のＲＯＭ４２に格納されている。各停止テーブルＴＢＬ０１〜０６，１１〜１７，２１〜２７では、リール停止制御（引込制御）における最大引込みコマ数に基づいて、図柄を有効ライン上に停止させる（引き込む）ことが可能な引込範囲が定義されている。この実施形態では、最大引込コマ数が４コマである。
【０１５２】
（１）停止テーブルＴＢＬ０１
停止テーブルＴＢＬ０１は、左リール４Ｌの「ベル」の図柄を有効ライン上に停止させるために使用される。
【０１５３】
左リール４Ｌにおいて、「ベル」は、図柄番号「４」、「８」、「１２」、「１７」および「２１」の位置に配置されている。
【０１５４】
図柄番号「４」の「ベル」から左リール４Ｌの回転方向の下流側に４コマ離れた位置には、図柄番号「２１」の「ベル」が配置されているので、図柄番号「４」の「ベル」の引込範囲は、図柄番号「１」〜「４」の範囲に定められている。
【０１５５】
図柄番号「８」の「ベル」から左リール４Ｌの回転方向の下流側に４コマ離れた位置には、図柄番号「４」の「ベル」が配置されているので、図柄番号「８」の「ベル」の引込範囲は、図柄番号「５」〜「８」の範囲に定められている。
【０１５６】
図柄番号「１２」の「ベル」から左リール４Ｌの回転方向の下流側に４コマ離れた位置には、図柄番号「８」の「ベル」が配置されているので、図柄番号「１２」の「ベル」の引込範囲は、図柄番号「９」〜「１２」の範囲に定められている。
【０１５７】
図柄番号「１７」の「ベル」から左リール４Ｌの回転方向の下流側に５コマ離れた位置には、図柄番号「１２」の「ベル」が配置されているので、図柄番号「１７」の「ベル」の引込範囲は、図柄番号「１３」〜「１７」の範囲に定められている。
【０１５８】
図柄番号「２１」の「ベル」から左リール４Ｌの回転方向の下流側に４コマ離れた位置には、図柄番号「１７」の「ベル」が配置されているので、図柄番号「２１」の「ベル」の引込範囲は、図柄番号「１８」〜「２１」の範囲に定められている。
【０１５９】
停止テーブルＴＢＬ０１を使用したリール停止制御では、図柄番号「１」〜「４」の図柄が基準位置に位置するときに、左ストップボタン２０Ｌが操作されると、図柄番号「４」の「ベル」の図柄が有効ライン上に停止する。図柄番号「５」〜「８」の図柄が基準位置に位置するときに、左ストップボタン２０Ｌが操作されると、図柄番号「８」の「ベル」の図柄が有効ライン上に停止する。図柄番号「９」〜「１２」の図柄が基準位置に位置するときに、左ストップボタン２０Ｌが操作されると、図柄番号「１２」の「ベル」の図柄が有効ライン上に停止する。図柄番号「１３」〜「１７」の図柄が基準位置に位置するときに、左ストップボタン２０Ｌが操作されると、図柄番号「１７」の「ベル」の図柄が有効ライン上に停止する。図柄番号「１８」〜「２１」の図柄が基準位置に位置するときに、左ストップボタン２０Ｌが操作されると、図柄番号「２１」の「ベル」の図柄が有効ライン上に停止する。
【０１６０】
なお、基準位置は、有効ラインに対して、左リール４Ｌの回転方向の上流側に、左ストップボタン２０Ｌが操作された時点から左リール駆動モータ６１Ｌが停止するまでの左リール４Ｌの回転量（回転角）だけ離れた位置である。
【０１６１】
（２）停止テーブルＴＢＬ０２
停止テーブルＴＢＬ０２は、左リール４Ｌの「プラム」の図柄を有効ライン上に停止させるために使用される。
【０１６２】
左リール４Ｌにおいて、「プラム」は、図柄番号「３」、「７」、「１１」、「１６」および「２０」の位置に配置されている。
【０１６３】
図柄番号「３」の「プラム」から左リール４Ｌの回転方向の下流側に４コマ離れた位置には、図柄番号「２０」の「プラム」が配置されているので、図柄番号「３」の「プラム」の引込範囲は、図柄番号「２１」および「１」〜「３」の範囲に定められている。
【０１６４】
図柄番号「７」の「プラム」から左リール４Ｌの回転方向の下流側に４コマ離れた位置には、図柄番号「３」の「プラム」が配置されているので、図柄番号「７」の「プラム」の引込範囲は、図柄番号「４」〜「７」の範囲に定められている。
【０１６５】
図柄番号「１１」の「プラム」から左リール４Ｌの回転方向の下流側に４コマ離れた位置には、図柄番号「７」の「プラム」が配置されているので、図柄番号「１１」の「プラム」の引込範囲は、図柄番号「８」〜「１１」の範囲に定められている。
【０１６６】
図柄番号「１６」の「プラム」から左リール４Ｌの回転方向の下流側に５コマ離れた位置には、図柄番号「１１」の「プラム」が配置されているので、図柄番号「１６」の「プラム」の引込範囲は、図柄番号「１２」〜「１６」の範囲に定められている。
【０１６７】
図柄番号「２０」の「プラム」から左リール４Ｌの回転方向の下流側に４コマ離れた位置には、図柄番号「１６」の「プラム」が配置されているので、図柄番号「２０」の「プラム」の引込範囲は、図柄番号「１７」〜「２０」の範囲に定められている。
【０１６８】
停止テーブルＴＢＬ０２を使用したリール停止制御では、図柄番号「１」〜「３」または「２１」の図柄が基準位置に位置するときに、左ストップボタン２０Ｌが操作されると、図柄番号「３」の「プラム」の図柄が有効ライン上に停止する。図柄番号「４」〜「７」の図柄が基準位置に位置するときに、左ストップボタン２０Ｌが操作されると、図柄番号「７」の「プラム」の図柄が有効ライン上に停止する。図柄番号「８」〜「１１」の図柄が基準位置に位置するときに、左ストップボタン２０Ｌが操作されると、図柄番号「１１」の「プラム」の図柄が有効ライン上に停止する。図柄番号「１２」〜「１６」の図柄が基準位置に位置するときに、左ストップボタン２０Ｌが操作されると、図柄番号「１６」の「プラム」の図柄が有効ライン上に停止する。図柄番号「１７」〜「２０」の図柄が基準位置に位置するときに、左ストップボタン２０Ｌが操作されると、図柄番号「２０」の「プラム」の図柄が有効ライン上に停止する。
【０１６９】
（３）停止テーブルＴＢＬ０３
停止テーブルＴＢＬ０３は、左リール４Ｌの「赤７」の図柄を有効ライン上に優先的に引き込むように作成されている。
【０１７０】
左リール４Ｌにおいて、「赤７」は、図柄番号「１９」の位置に配置されている。
【０１７１】
「赤７」の引込範囲は、図柄番号「１５」〜「１９」の範囲に定められている。
【０１７２】
また、停止テーブルＴＢＬ０３は、「赤７」の図柄を有効ライン上に停止させることができない場合に、左リール４Ｌの「プラム」の図柄を有効ライン上に引き込むように作成されている。
【０１７３】
左リール４Ｌにおいて、「プラム」は、図柄番号「３」、「７」、「１１」、「１６」および「２０」の位置に配置されている。
【０１７４】
図柄番号「３」の「プラム」から左リール４Ｌの回転方向の下流側に４コマ離れた位置には、図柄番号「２０」の「プラム」が配置されているので、図柄番号「３」の「プラム」の引込範囲は、図柄番号「２１」および「１」〜「３」の範囲に定められている。
【０１７５】
図柄番号「７」の「プラム」から左リール４Ｌの回転方向の下流側に４コマ離れた位置には、図柄番号「３」の「プラム」が配置されているので、図柄番号「７」の「プラム」の引込範囲は、図柄番号「４」〜「７」の範囲に定められている。
【０１７６】
図柄番号「１１」の「プラム」から左リール４Ｌの回転方向の下流側に４コマ離れた位置には、図柄番号「７」の「プラム」が配置されているので、図柄番号「１１」の「プラム」の引込範囲は、図柄番号「８」〜「１１」の範囲に定められている。
【０１７７】
図柄番号「１６」の「プラム」から左リール４Ｌの回転方向の下流側に５コマ離れた位置には、図柄番号「１１」の「プラム」が配置され、「赤７」の引込範囲が図柄番号「１５」〜「１９」の範囲に定められているので、図柄番号「１６」の「プラム」の引込範囲は、図柄番号「１２」〜「１４」の範囲に定められている。
【０１７８】
図柄番号「２０」の「プラム」から左リール４Ｌの回転方向の下流側に４コマ離れた位置には、図柄番号「１６」の「プラム」が配置され、「赤７」の引込範囲が図柄番号「１５」〜「１９」の範囲に定められているので、図柄番号「２０」の「プラム」の引込範囲は、図柄番号「２０」のみである。
【０１７９】
停止テーブルＴＢＬ０３を使用したリール停止制御では、図柄番号「１５」〜「１９」の図柄が基準位置に位置するときに、左ストップボタン２０Ｌが操作されると、「赤７」の図柄が有効ライン上に停止する。図柄番号「１」〜「３」または「２１」の図柄が基準位置に位置するときに、左ストップボタン２０Ｌが操作されると、図柄番号「３」の「プラム」の図柄が有効ライン上に停止する。図柄番号「４」〜「７」の図柄が基準位置に位置するときに、左ストップボタン２０Ｌが操作されると、図柄番号「７」の「プラム」の図柄が有効ライン上に停止する。図柄番号「８」〜「１１」の図柄が基準位置に位置するときに、左ストップボタン２０Ｌが操作されると、図柄番号「１１」の「プラム」の図柄が有効ライン上に停止する。図柄番号「１２」〜「１４」の図柄が基準位置に位置するときに、左ストップボタン２０Ｌが操作されると、図柄番号「１６」の「プラム」の図柄が有効ライン上に停止する。図柄番号「２０」の図柄が基準位置に位置するときに、左ストップボタン２０Ｌが操作されると、図柄番号「２０」の「プラム」の図柄が有効ライン上に停止する。
【０１８０】
（４）停止テーブルＴＢＬ０４
停止テーブルＴＢＬ０４は、左リール４Ｌの「赤７」の図柄を有効ライン上に最優先で引き込み、「青７」の図柄を有効ライン上に「赤７」の次に優先的に引き込むように作成されている。
【０１８１】
左リール４Ｌにおいて、「赤７」は、図柄番号「１９」の位置に配置されている。
【０１８２】
「赤７」の引込範囲は、図柄番号「１５」〜「１９」の範囲に定められている。
【０１８３】
「青７」は、図柄番号「１５」の位置に配置されている。
【０１８４】
「赤７」の引込範囲が図柄番号「１５」〜「１９」の範囲に定められているので、「青７」の引込範囲は、図柄番号「１１」〜「１４」の範囲に定められている。
【０１８５】
また、停止テーブルＴＢＬ０４は、「赤７」および「青７」の図柄を有効ライン上に停止させることができない場合に、左リール４Ｌの「プラム」の図柄を有効ライン上に引き込むように作成されている。
【０１８６】
左リール４Ｌにおいて、「プラム」は、図柄番号「３」、「７」、「１１」、「１６」および「２０」の位置に配置されている。
【０１８７】
図柄番号「３」の「プラム」から左リール４Ｌの回転方向の下流側に４コマ離れた位置には、図柄番号「２０」の「プラム」が配置されているので、図柄番号「３」の「プラム」の引込範囲は、図柄番号「２１」および「１」〜「３」の範囲に定められている。
【０１８８】
図柄番号「７」の「プラム」から左リール４Ｌの回転方向の下流側に４コマ離れた位置には、図柄番号「３」の「プラム」が配置されているので、図柄番号「７」の「プラム」の引込範囲は、図柄番号「４」〜「７」の範囲に定められている。
【０１８９】
図柄番号「１１」の「プラム」から左リール４Ｌの回転方向の下流側に４コマ離れた位置には、図柄番号「７」の「プラム」が配置され、「青７」の引込範囲が図柄番号「１１」〜「１４」の範囲に定められているので、図柄番号「１１」の「プラム」の引込範囲は、図柄番号「８」〜「１０」の範囲に定められている。
【０１９０】
図柄番号「１６」の「プラム」から左リール４Ｌの回転方向の下流側に５コマ離れた位置には、図柄番号「１１」の「プラム」が配置され、「赤７」の引込範囲が図柄番号「１５」〜「１９」の範囲に定められ、「青７」の引込範囲が図柄番号「１１」〜「１４」の範囲に定められているので、図柄番号「１６」の「プラム」の引込範囲はなく、その図柄番号「１６」の「プラム」の図柄が有効ライン上に停止することはない。
【０１９１】
図柄番号「２０」の「プラム」から左リール４Ｌの回転方向の下流側に４コマ離れた位置には、図柄番号「１６」の「プラム」が配置され、「赤７」の引込範囲が図柄番号「１５」〜「１９」の範囲に定められているので、図柄番号「２０」の「プラム」の引込範囲は、図柄番号「２０」のみである。
【０１９２】
停止テーブルＴＢＬ０４を使用したリール停止制御では、図柄番号「１５」〜「１９」の図柄が基準位置に位置するときに、左ストップボタン２０Ｌが操作されると、「赤７」の図柄が有効ライン上に停止する。また、図柄番号「１１」〜「１４」の図柄が基準位置に位置するときに、左ストップボタン２０Ｌが操作されると、「青７」の図柄が有効ライン上に停止する。図柄番号「１」〜「３」または「２１」の図柄が基準位置に位置するときに、左ストップボタン２０Ｌが操作されると、図柄番号「３」の「プラム」の図柄が有効ライン上に停止する。図柄番号「４」〜「７」の図柄が基準位置に位置するときに、左ストップボタン２０Ｌが操作されると、図柄番号「７」の「プラム」の図柄が有効ライン上に停止する。図柄番号「８」〜「１０」の図柄が基準位置に位置するときに、左ストップボタン２０Ｌが操作されると、図柄番号「１１」の「プラム」の図柄が有効ライン上に停止する。図柄番号「２０」の図柄が基準位置に位置するときに、左ストップボタン２０Ｌが操作されると、図柄番号「２０」の「プラム」の図柄が有効ライン上に停止する。
【０１９３】
（５）停止テーブルＴＢＬ０５
停止テーブルＴＢＬ０５は、左リール４Ｌの「チェリー」の図柄を有効ライン上に優先的に引き込むように作成されている。
【０１９４】
左リール４Ｌにおいて、「チェリー」は、図柄番号「９」の位置に配置されている。
【０１９５】
「チェリー」の引込範囲は、図柄番号「５」〜「９」の範囲に定められている。
【０１９６】
また、停止テーブルＴＢＬ０５は、「チェリー」の図柄を有効ライン上に停止させることができない場合に、左リール４Ｌの「ベル」の図柄を有効ライン上に引き込むように作成されている。
【０１９７】
左リール４Ｌにおいて、「ベル」は、図柄番号「４」、「８」、「１２」、「１７」および「２１」の位置に配置されている。
【０１９８】
図柄番号「４」の「ベル」から左リール４Ｌの回転方向の下流側に４コマ離れた位置には、図柄番号「２１」の「ベル」が配置されているので、図柄番号「４」の「ベル」の引込範囲は、図柄番号「１」〜「４」の範囲に定められている。
【０１９９】
図柄番号「８」の「ベル」から左リール４Ｌの回転方向の下流側に４コマ離れた位置には、図柄番号「４」の「ベル」が配置され、「チェリー」の引込範囲が図柄番号「５」〜「９」の範囲に定められているので、図柄番号「８」の「ベル」の引込範囲はなく、その図柄番号「８」の「ベル」の図柄が有効ライン上に停止することはない。
【０２００】
図柄番号「１２」の「ベル」から左リール４Ｌの回転方向の下流側に４コマ離れた位置には、図柄番号「８」の「ベル」が配置され、「チェリー」の引込範囲が図柄番号「５」〜「９」の範囲に定められているので、図柄番号「１２」の「ベル」の引込範囲は、図柄番号「１０」〜「１２」の範囲に定められている。
【０２０１】
図柄番号「１７」の「ベル」から左リール４Ｌの回転方向の下流側に５コマ離れた位置には、図柄番号「１２」の「ベル」が配置されているので、図柄番号「１７」の「ベル」の引込範囲は、図柄番号「１３」〜「１７」の範囲に定められている。
【０２０２】
図柄番号「２１」の「ベル」から左リール４Ｌの回転方向の下流側に４コマ離れた位置には、図柄番号「１７」の「ベル」が配置されているので、図柄番号「２０」の「ベル」の引込範囲は、図柄番号「１８」〜「２１」の範囲に定められている。
【０２０３】
停止テーブルＴＢＬ０５を使用したリール停止制御では、図柄番号「５」〜「９」の図柄が基準位置に位置するときに、左ストップボタン２０Ｌが操作されると、「チェリー」の図柄が有効ライン上に停止する。図柄番号「１」〜「４」の図柄が基準位置に位置するときに、左ストップボタン２０Ｌが操作されると、図柄番号「４」の「ベル」の図柄が有効ライン上に停止する。図柄番号「１０」〜「１２」の図柄が基準位置に位置するときに、左ストップボタン２０Ｌが操作されると、図柄番号「１２」の「ベル」の図柄が有効ライン上に停止する。図柄番号「１３」〜「１７」の図柄が基準位置に位置するときに、左ストップボタン２０Ｌが操作されると、図柄番号「１７」の「ベル」の図柄が有効ライン上に停止する。図柄番号「１８」〜「２１」の図柄が基準位置に位置するときに、左ストップボタン２０Ｌが操作されると、図柄番号「２１」の「ベル」の図柄が有効ライン上に停止する。
【０２０４】
（６）停止テーブルＴＢＬ０６
停止テーブルＴＢＬ０６は、左リール４Ｌの「スイカ」の図柄を有効ライン上に優先的に引き込むように作成されている。
【０２０５】
左リール４Ｌにおいて、「スイカ」は、図柄番号「１」、「６」、「１３」および「１８」の位置に配置されている。
【０２０６】
図柄番号「１」の「スイカ」から左リール４Ｌの回転方向の下流側に４コマ離れた位置には、図柄番号「１８」の「スイカ」が配置されているので、図柄番号「１」の「スイカ」の引込範囲は、図柄番号「１」および「１９」〜「２１」の範囲に定められている。
【０２０７】
図柄番号「６」の「スイカ」から左リール４Ｌの回転方向の下流側に５コマ離れた位置には、図柄番号「１」の「スイカ」が配置されているので、図柄番号「６」の「スイカ」の引込範囲は、図柄番号「２」〜「６」の範囲に定められている。
【０２０８】
図柄番号「１３」の「スイカ」の引込範囲は、図柄番号「９」〜「１３」の範囲に定められている。
【０２０９】
図柄番号「１８」の「スイカ」から左リール４Ｌの回転方向の下流側に５コマ離れた位置には、図柄番号「１３」の「スイカ」が配置されているので、図柄番号「１８」の「スイカ」の引込範囲は、図柄番号「１４」〜「１８」の範囲に定められている。
【０２１０】
また、停止テーブルＴＢＬ０６は、「スイカ」の図柄を有効ライン上に停止させることができない場合に、左リール４Ｌの図柄番号「７」または「１１」の「プラム」の図柄を有効ライン上に引き込むように作成されている。
【０２１１】
図柄番号「７」の「プラム」から左リール４Ｌの回転方向の下流側に４コマ離れた位置には、図柄番号「３」の「プラム」が配置され、図柄番号「６」の「スイカ」の引込範囲が図柄番号「２」〜「６」の範囲に定められているので、図柄番号「７」の「プラム」の引込範囲は、図柄番号「７」のみである。
【０２１２】
図柄番号「１１」の「プラム」から左リール４Ｌの回転方向の下流側に４コマ離れた位置には、図柄番号「７」の「プラム」が配置され、図柄番号「１３」の「スイカ」の引込範囲が図柄番号「９」〜「１３」の範囲に定められているので、図柄番号「１１」の「プラム」の引込範囲は、図柄番号「８」のみである。
【０２１３】
停止テーブルＴＢＬ０６を使用したリール停止制御では、図柄番号「１」または「１９」〜「２１」の図柄が基準位置に位置するときに、左ストップボタン２０Ｌが操作されると、図柄番号「１」の「スイカ」の図柄が有効ライン上に停止する。図柄番号「２」〜「６」の図柄が基準位置に位置するときに、左ストップボタン２０Ｌが操作されると、図柄番号「６」の「スイカ」の図柄が有効ライン上に停止する。図柄番号「９」〜「１３」の図柄が基準位置に位置するときに、左ストップボタン２０Ｌが操作されると、図柄番号「１３」の「スイカ」の図柄が有効ライン上に停止する。図柄番号「１４」〜「１８」の図柄が基準位置に位置するときに、左ストップボタン２０Ｌが操作されると、図柄番号「１８」の「スイカ」の図柄が有効ライン上に停止する。図柄番号「７」または「８」の図柄が基準位置に位置するときに、左ストップボタン２０Ｌが操作されると、図柄番号「７」または「１１」の「プラム」の図柄が有効ライン上に停止する。
【０２１４】
（７）停止テーブルＴＢＬ０７
停止テーブルＴＢＬ０７は、左リール４Ｌの「赤７」、「青７」、「ＢＡＲ」、「スター１」または「スター２」のいずれかの図柄を有効ライン上に優先的に引き込むように作成されている。
【０２１５】
左リール４Ｌにおいて、「赤７」は、図柄番号「１９」の位置に配置されている。
【０２１６】
「赤７」の引込範囲は、図柄番号「１６」〜「１９」の範囲に定められている。
【０２１７】
「青７」は、図柄番号「１５」の位置に配置されている。
【０２１８】
「青７」の引込範囲は、図柄番号「１１」〜「１５」の範囲に定められている。
【０２１９】
「ＢＡＲ」は、図柄番号「１０」の位置に配置されている。
【０２２０】
「ＢＡＲ」の引込範囲は、図柄番号「６」〜「１０」の範囲に定められている。
【０２２１】
「スター１」は、図柄番号「５」の位置に配置されている。
【０２２２】
「スター１」の引込範囲は、図柄番号「３」〜「５」の範囲に定められている。
【０２２３】
「スター２」は、図柄番号「２」の位置に配置されている。
【０２２４】
「スター２」の引込範囲は、図柄番号「１」、「２」、「２０」および「２１」の範囲に定められている。
【０２２５】
停止テーブルＴＢＬ０７を使用したリール停止制御では、図柄番号「１６」〜「１９」の図柄が基準位置に位置するときに、左ストップボタン２０Ｌが操作されると、「赤７」の図柄が有効ライン上に停止する。また、図柄番号「１１」〜「１５」の図柄が基準位置に位置するときに、左ストップボタン２０Ｌが操作されると、「青７」の図柄が有効ライン上に停止する。図柄番号「６」〜「１０」の図柄が基準位置に位置するときに、左ストップボタン２０Ｌが操作されると、「ＢＡＲ」の図柄が有効ライン上に停止する。図柄番号「３」〜「５」の図柄が基準位置に位置するときに、左ストップボタン２０Ｌが操作されると、「スター１」の図柄が有効ライン上に停止する。図柄番号「１」、「２」、「２１」または「２０」の図柄が基準位置に位置するときに、左ストップボタン２０Ｌが操作されると、「スター２」の図柄が有効ライン上に停止する。
【０２２６】
（８）停止テーブルＴＢＬ１１
停止テーブルＴＢＬ１１は、中リール４Ｃの「ベル」の図柄を有効ライン上に停止させるために使用される。
【０２２７】
中リール４Ｃにおいて、「ベル」は、図柄番号「１」、「６」、「１１」、「１４」および「１９」の位置に配置されている。
【０２２８】
図柄番号「１」の「ベル」から中リール４Ｃの回転方向の下流側に３コマ離れた位置には、図柄番号「１９」の「ベル」が配置されているので、図柄番号「１」の「ベル」の引込範囲は、図柄番号「２０」、「２１」および「１」の範囲に定められている
【０２２９】
図柄番号「６」の「ベル」から中リール４Ｃの回転方向の下流側に５コマ離れた位置には、図柄番号「１」の「ベル」が配置されているので、図柄番号「６」の「ベル」の引込範囲は、図柄番号「２」〜「６」の範囲に定められている。
【０２３０】
図柄番号「１１」の「ベル」から中リール４Ｃの回転方向の下流側に５コマ離れた位置には、図柄番号「６」の「ベル」が配置されているので、図柄番号「１１」の「ベル」の引込範囲は、図柄番号「７」〜「１１」の範囲に定められている。
【０２３１】
図柄番号「１４」の「ベル」から中リール４Ｃの回転方向の下流側に３コマ離れた位置には、図柄番号「１１」の「ベル」が配置されているので、図柄番号「１４」の「ベル」の引込範囲は、図柄番号「１２」〜「１４」の範囲に定められている。
【０２３２】
図柄番号「１９」の「ベル」から中リール４Ｃの回転方向の下流側に５コマ離れた位置には、図柄番号「１４」の「ベル」が配置されているので、図柄番号「１９」の「ベル」の引込範囲は、図柄番号「１５」〜「１９」の範囲に定められている。
【０２３３】
停止テーブルＴＢＬ１１を使用したリール停止制御では、図柄番号「１」、「２０」または「２１」の図柄が基準位置に位置するときに、中ストップボタン２０Ｃが操作されると、図柄番号「１」の「ベル」の図柄が有効ライン上に停止する。図柄番号「２」〜「６」の図柄が基準位置に位置するときに、中ストップボタン２０Ｃが操作されると、図柄番号「６」の「ベル」の図柄が有効ライン上に停止する。図柄番号「７」〜「１１」の図柄が基準位置に位置するときに、中ストップボタン２０Ｃが操作されると、図柄番号「１１」の「ベル」の図柄が有効ライン上に停止する。図柄番号「１２」〜「１４」の図柄が基準位置に位置するときに、中ストップボタン２０Ｃが操作されると、図柄番号「１４」の「ベル」の図柄が有効ライン上に停止する。図柄番号「１５」〜「１９」の図柄が基準位置に位置するときに、中ストップボタン２０Ｃが操作されると、図柄番号「１９」の「ベル」の図柄が有効ライン上に停止する。
【０２３４】
なお、基準位置は、有効ラインに対して、中リール４Ｃの回転方向の上流側に、中ストップボタン２０Ｃが操作された時点から中リール駆動モータ６１Ｃが停止するまでの中リール４Ｃの回転量（回転角）だけ離れた位置である。
【０２３５】
（９）停止テーブルＴＢＬ１２
停止テーブルＴＢＬ１２は、中リール４Ｃの「プラム」の図柄を有効ライン上に停止させるために使用される。
【０２３６】
中リール４Ｃにおいて、「プラム」は、図柄番号「２」、「７」、「１２」、「１５」および「２０」の位置に配置されている。
【０２３７】
図柄番号「２」の「プラム」から中リール４Ｃの回転方向の下流側に３コマ離れた位置には、図柄番号「２０」の「プラム」が配置されているので、図柄番号「２」の「プラム」の引込範囲は、図柄番号「２１」、「１」および「２」の範囲に定められている。
【０２３８】
図柄番号「７」の「プラム」から中リール４Ｃの回転方向の下流側に５コマ離れた位置には、図柄番号「２」の「プラム」が配置されているので、図柄番号「７」の「プラム」の引込範囲は、図柄番号「３」〜「７」の範囲に定められている。
【０２３９】
図柄番号「１２」の「プラム」から中リール４Ｃの回転方向の下流側に５コマ離れた位置には、図柄番号「７」の「プラム」が配置されているので、図柄番号「１２」の「プラム」の引込範囲は、図柄番号「８」〜「１２」の範囲に定められている。
【０２４０】
図柄番号「１５」の「プラム」から中リール４Ｃの回転方向の下流側に３コマ離れた位置には、図柄番号「１２」の「プラム」が配置されているので、図柄番号「１５」の「プラム」の引込範囲は、図柄番号「１３」〜「１５」の範囲に定められている。
【０２４１】
図柄番号「２０」の「プラム」から中リール４Ｃの回転方向の下流側に５コマ離れた位置には、図柄番号「１５」の「プラム」が配置されているので、図柄番号「２０」の「プラム」の引込範囲は、図柄番号「１６」〜「２０」の範囲に定められている。
【０２４２】
停止テーブルＴＢＬ１２を使用したリール停止制御では、図柄番号「１」、「２」または「２１」の図柄が基準位置に位置するときに、中ストップボタン２０Ｃが操作されると、図柄番号「２」の「プラム」の図柄が有効ライン上に停止する。図柄番号「３」〜「７」の図柄が基準位置に位置するときに、中ストップボタン２０Ｃが操作されると、図柄番号「７」の「プラム」の図柄が有効ライン上に停止する。図柄番号「８」〜「１２」の図柄が基準位置に位置するときに、中ストップボタン２０Ｃが操作されると、図柄番号「１２」の「プラム」の図柄が有効ライン上に停止する。図柄番号「１３」〜「１５」の図柄が基準位置に位置するときに、中ストップボタン２０Ｃが操作されると、図柄番号「１５」の「プラム」の図柄が有効ライン上に停止する。図柄番号「１６」〜「２０」の図柄が基準位置に位置するときに、中ストップボタン２０Ｃが操作されると、図柄番号「２０」の「プラム」の図柄が有効ライン上に停止する。
【０２４３】
（１０）停止テーブルＴＢＬ１３
停止テーブルＴＢＬ１３は、中リール４Ｃの「赤７」の図柄を有効ライン上に優先的に引き込むように作成されている。
【０２４４】
中リール４Ｃにおいて、「赤７」は、図柄番号「１８」および「２１」の位置に配置されている。
【０２４５】
図柄番号「１８」の「赤７」の引込範囲は、図柄番号「１４」〜「１８」の範囲に定められている。
【０２４６】
図柄番号「２１」の「赤７」から中リール４Ｃの回転方向の下流側に３コマ離れた位置には、図柄番号「１８」の「赤７」が配置されているので、図柄番号「２１」の「赤７」の引込範囲は、図柄番号「１９」〜「２１」の範囲に定められている。
【０２４７】
また、停止テーブルＴＢＬ１３は、「赤７」の図柄を有効ライン上に停止させることができない場合に、中リール４Ｃの「プラム」の図柄を有効ライン上に引き込むように作成されている。
【０２４８】
中リール４Ｃにおいて、「プラム」は、図柄番号「２」、「７」、「１２」、「１５」および「２０」の位置に配置されている。
【０２４９】
図柄番号「２」の「プラム」から中リール４Ｃの回転方向の下流側に３コマ離れた位置には、図柄番号「２０」の「プラム」が配置され、図柄番号「２１」の「赤７」の引込範囲が図柄番号「１９」〜「２１」の範囲に定められているので、図柄番号「２」の「プラム」の引込範囲は、図柄番号「１」および「２」の範囲に定められている。
【０２５０】
図柄番号「７」の「プラム」から中リール４Ｃの回転方向の下流側に５コマ離れた位置には、図柄番号「２」の「プラム」が配置されているので、図柄番号「７」の「プラム」の引込範囲は、図柄番号「３」〜「７」の範囲に定められている。
【０２５１】
図柄番号「１２」の「プラム」から中リール４Ｃの回転方向の下流側に５コマ離れた位置には、図柄番号「７」の「プラム」が配置されているので、図柄番号「１２」の「プラム」の引込範囲は、図柄番号「８」〜「１２」の範囲に定められている。
【０２５２】
図柄番号「１５」の「プラム」から中リール４Ｃの回転方向の下流側に３コマ離れた位置には、図柄番号「１２」の「プラム」が配置され、図柄番号「１８」の「赤７」の引込範囲が図柄番号「１４」〜「１８」の範囲に定められているので、図柄番号「１５」の「プラム」の引込範囲は、図柄番号「１３」のみである。
【０２５３】
図柄番号「２０」の「プラム」から中リール４Ｃの回転方向の下流側に５コマ離れた位置には、図柄番号「１５」の「プラム」が配置され、図柄番号「１８」の「赤７」の引込範囲が図柄番号「１４」〜「１８」、図柄番号「２１」の「赤７」の引込範囲が図柄番号「１９」〜「２１」の範囲に定められているので、図柄番号「２０」の「プラム」の引込範囲はなく、その図柄番号「２０」の「プラム」の図柄が有効ライン上に停止することはない。
【０２５４】
停止テーブルＴＢＬ１３を使用したリール停止制御では、図柄番号「１４」〜「１８」の図柄が基準位置に位置するときに、中ストップボタン２０Ｃが操作されると、図柄番号「１８」の「赤７」の図柄が有効ライン上に停止する。図柄番号「１９」〜「２１」の図柄が基準位置に位置するときに、中ストップボタン２０Ｃが操作されると、図柄番号「２１」の「赤７」の図柄が有効ライン上に停止する。図柄番号「１」または「２」の図柄が基準位置に位置するときに、中ストップボタン２０Ｃが操作されると、図柄番号「２」の「プラム」の図柄が有効ライン上に停止する。図柄番号「３」〜「７」の図柄が基準位置に位置するときに、中ストップボタン２０Ｃが操作されると、図柄番号「７」の「プラム」の図柄が有効ライン上に停止する。図柄番号「８」〜「１２」の図柄が基準位置に位置するときに、中ストップボタン２０Ｃが操作されると、図柄番号「１２」の「プラム」の図柄が有効ライン上に停止する。図柄番号「１３」の図柄が基準位置に位置するときに、中ストップボタン２０Ｃが操作されると、図柄番号「１５」の「プラム」の図柄が有効ライン上に停止する。
【０２５５】
（１１）停止テーブルＴＢＬ１４
停止テーブルＴＢＬ１４は、中リール４Ｃの「青７」の図柄を有効ライン上に優先的に引き込むように作成されている。
【０２５６】
中リール４Ｃにおいて、「青７」は、図柄番号「１０」および「１３」の位置に配置されている。
【０２５７】
図柄番号「１０」の「青７」の引込範囲は、図柄番号「６」〜「１０」の範囲に定められている。
【０２５８】
図柄番号「１３」の「青７」から中リール４Ｃの回転方向の下流側に３コマ離れた位置には、図柄番号「１０」の「青７」が配置されているので、図柄番号「１３」の「青７」の引込範囲は、図柄番号「１１」〜「１３」の範囲に定められている。
【０２５９】
また、停止テーブルＴＢＬ１４は、「青７」の図柄を有効ライン上に停止させることができない場合に、中リール４Ｃの「プラム」の図柄を有効ライン上に引き込むように作成されている。
【０２６０】
中リール４Ｃにおいて、「プラム」は、図柄番号「２」、「７」、「１２」、「１５」および「２０」の位置に配置されている。
【０２６１】
図柄番号「２」の「プラム」から中リール４Ｃの回転方向の下流側に３コマ離れた位置には、図柄番号「２０」の「プラム」が配置されているので、図柄番号「２」の「プラム」の引込範囲は、図柄番号「２１」、「１」および「２」の範囲に定められている。
【０２６２】
図柄番号「７」の「プラム」から中リール４Ｃの回転方向の下流側に５コマ離れた位置には、図柄番号「２」の「プラム」が配置され、図柄番号「１０」の「青７」の引込範囲が図柄番号「６」〜「１０」の範囲に定められているので、図柄番号「７」の「プラム」の引込範囲は、図柄番号「３」〜「５」の範囲に定められている。
【０２６３】
図柄番号「１２」の「プラム」から中リール４Ｃの回転方向の下流側に５コマ離れた位置には、図柄番号「７」の「プラム」が配置され、図柄番号「１３」の「青７」の引込範囲が図柄番号「１１」〜「１３」、図柄番号「１０」の「青７」の引込範囲が図柄番号「６」〜「１０」の範囲に定められているので、図柄番号「１２」の「プラム」の引込範囲はなく、その図柄番号「１２」の「プラム」の図柄が有効ライン上に停止することはない。
【０２６４】
図柄番号「１５」の「プラム」から中リール４Ｃの回転方向の下流側に３コマ離れた位置には、図柄番号「１２」の「プラム」が配置され、図柄番号「１３」の「青７」の引込範囲が図柄番号「１１」〜「１３」の範囲に定められているので、図柄番号「１５」の「プラム」の引込範囲は、図柄番号「１４」および「１５」の範囲に定められている。
【０２６５】
図柄番号「２０」の「プラム」から中リール４Ｃの回転方向の下流側に５コマ離れた位置には、図柄番号「１５」の「プラム」が配置されているので、図柄番号「２０」の「プラム」の引込範囲は、図柄番号「１６」〜「２０」の範囲に定められている。
【０２６６】
停止テーブルＴＢＬ１４を使用したリール停止制御では、図柄番号「６」〜「１０」の図柄が基準位置に位置するときに、中ストップボタン２０Ｃが操作されると、図柄番号「１０」の「青７」の図柄が有効ライン上に停止する。図柄番号「１１」〜「１３」の図柄が基準位置に位置するときに、中ストップボタン２０Ｃが操作されると、図柄番号「１３」の「青７」の図柄が有効ライン上に停止する。図柄番号「２１」、「１」または「２」の図柄が基準位置に位置するときに、中ストップボタン２０Ｃが操作されると、図柄番号「２」の「プラム」の図柄が有効ライン上に停止する。図柄番号「３」〜「５」の図柄が基準位置に位置するときに、中ストップボタン２０Ｃが操作されると、図柄番号「７」の「プラム」の図柄が有効ライン上に停止する。図柄番号「１４」、「１５」の図柄が基準位置に位置するときに、中ストップボタン２０Ｃが操作されると、図柄番号「１５」の「プラム」の図柄が有効ライン上に停止する。図柄番号「１６」〜「２０」の図柄が基準位置に位置するときに、中ストップボタン２０Ｃが操作されると、図柄番号「２０」の「プラム」の図柄が有効ライン上に停止する。
【０２６７】
（１２）停止テーブルＴＢＬ１５
停止テーブルＴＢＬ１５は、中リール４Ｃの「ＢＡＲ」の図柄を有効ライン上に優先的に引き込むように作成されている。
【０２６８】
中リール４Ｃにおいて、「ＢＡＲ」は、図柄番号「５」の位置に配置されている。
【０２６９】
「ＢＡＲ」の引込範囲は、図柄番号「１」〜「５」の範囲に定められている。
【０２７０】
また、停止テーブルＴＢＬ１５は、「ＢＡＲ」の図柄を有効ライン上に停止させることができない場合に、中リール４Ｃの「プラム」の図柄を有効ライン上に引き込むように作成されている。
【０２７１】
中リール４Ｃにおいて、「プラム」は、図柄番号「２」、「７」、「１２」、「１５」および「２０」の位置に配置されている。
【０２７２】
図柄番号「２」の「プラム」から中リール４Ｃの回転方向の下流側に３コマ離れた位置には、図柄番号「２０」の「プラム」が配置され、「ＢＡＲ」の引込範囲が図柄番号「１」〜「５」の範囲に定められているので、図柄番号「２」の「プラム」の引込範囲は、図柄番号「２１」のみである。
【０２７３】
図柄番号「７」の「プラム」から中リール４Ｃの回転方向の下流側に５コマ離れた位置には、図柄番号「２」の「プラム」が配置され、「ＢＡＲ」の引込範囲が図柄番号「１」〜「５」の範囲に定められているので、図柄番号「７」の「プラム」の引込範囲は、図柄番号「６」および「７」の範囲に定められている。
【０２７４】
図柄番号「１２」の「プラム」から中リール４Ｃの回転方向の下流側に５コマ離れた位置には、図柄番号「７」の「プラム」が配置されているので、図柄番号「１２」の「プラム」の引込範囲は、図柄番号「８」〜「１２」の範囲に定められている。
【０２７５】
図柄番号「１５」の「プラム」から中リール４Ｃの回転方向の下流側に３コマ離れた位置には、図柄番号「１２」の「プラム」が配置されているので、図柄番号「１５」の「プラム」の引込範囲は、図柄番号「１３」〜「１５」の範囲に定められている。
【０２７６】
図柄番号「２０」の「プラム」から中リール４Ｃの回転方向の下流側に５コマ離れた位置には、図柄番号「１５」の「プラム」が配置されているので、図柄番号「２０」の「プラム」の引込範囲は、図柄番号「１６」〜「２０」の範囲に定められている。
【０２７７】
停止テーブルＴＢＬ１５を使用したリール停止制御では、図柄番号「１」〜「５」の図柄が基準位置に位置するときに、中ストップボタン２０Ｃが操作されると、「ＢＡＲ」の図柄が有効ライン上に停止する。図柄番号「２１」の図柄が基準位置に位置するときに、中ストップボタン２０Ｃが操作されると、図柄番号「２」の「プラム」の図柄が有効ライン上に停止する。図柄番号「６」または「７」の図柄が基準位置に位置するときに、中ストップボタン２０Ｃが操作されると、図柄番号「７」の「プラム」の図柄が有効ライン上に停止する。図柄番号「８」〜「１２」の図柄が基準位置に位置するときに、中ストップボタン２０Ｃが操作されると、図柄番号「１２」の「プラム」の図柄が有効ライン上に停止する。図柄番号「１３」〜「１５」の図柄が基準位置に位置するときに、中ストップボタン２０Ｃが操作されると、図柄番号「１５」の「プラム」の図柄が有効ライン上に停止する。図柄番号「１６」〜「２０」の図柄が基準位置に位置するときに、中ストップボタン２０Ｃが操作されると、図柄番号「２０」の「プラム」の図柄が有効ライン上に停止する。
【０２７８】
（１３）停止テーブルＴＢＬ１６
停止テーブルＴＢＬ１６は、中リール４Ｃの「赤７」の図柄および「青７」の図柄を有効ライン上に優先的に引き込むように作成されている。
【０２７９】
中リール４Ｃにおいて、「赤７」は、図柄番号「１８」および「２１」の位置に配置されている。
【０２８０】
図柄番号「１８」の「赤７」の引込範囲は、図柄番号「１４」〜「１８」の範囲に定められている。
【０２８１】
図柄番号「２１」の「赤７」から中リール４Ｃの回転方向の下流側に３コマ離れた位置には、図柄番号「１８」の「赤７」が配置されているので、図柄番号「２１」の「赤７」の引込範囲は、図柄番号「１９」〜「２１」の範囲に定められている。
【０２８２】
「青７」は、図柄番号「１０」および「１３」の位置に配置されている。
【０２８３】
図柄番号「１０」の「青７」の引込範囲は、図柄番号「６」〜「１０」の範囲に定められている。
【０２８４】
図柄番号「１３」の「青７」の引込範囲は、図柄番号「１１」〜「１３」の範囲に定められている。
【０２８５】
また、停止テーブルＴＢＬ１６は、「赤７」および「青７」の図柄を有効ライン上に停止させることができない場合に、中リール４Ｃの「プラム」の図柄を有効ライン上に引き込むように作成されている。
【０２８６】
中リール４Ｃにおいて、「プラム」は、図柄番号「２」、「７」、「１２」、「１５」および「２０」の位置に配置されている。
【０２８７】
図柄番号「２」の「プラム」から中リール４Ｃの回転方向の下流側に３コマ離れた位置には、図柄番号「２０」の「プラム」が配置され、図柄番号「２１」の「赤７」の引込範囲が図柄番号「１９」〜「２１」の範囲に定められているので、図柄番号「２」の「プラム」の引込範囲は、図柄番号「１」および「２」の範囲に定められている。
【０２８８】
図柄番号「７」の「プラム」から中リール４Ｃの回転方向の下流側に５コマ離れた位置には、図柄番号「２」の「プラム」が配置され、図柄番号「１０」の「青７」の引込範囲が図柄番号「６」〜「１０」の範囲に定められているので、図柄番号「７」の「プラム」の引込範囲は、図柄番号「３」〜「５」の範囲に定められている。
【０２８９】
図柄番号「１０」の「青７」、図柄番号「１３」の「青７」、図柄番号「１８」の「赤７」および図柄番号「２１」の「赤７」の引込範囲がそれぞれ図柄番号「６」〜「１０」、図柄番号「１１」〜「１３」、図柄番号「１４」〜「１８」、図柄番号「１９」〜「２１」の範囲に定められているので、図柄番号「１２」、「１５」および「２０」の「プラム」の引込範囲はなく、その図柄番号「１２」、「１５」および「２０」の「プラム」の図柄が有効ライン上に停止することはない。
【０２９０】
停止テーブルＴＢＬ１６を使用したリール停止制御では、図柄番号「６」〜「１０」の図柄が基準位置に位置するときに、中ストップボタン２０Ｃが操作されると、図柄番号「１０」の「青７」の図柄が有効ライン上に停止する。また、図柄番号「１１」〜「１３」の図柄が基準位置に位置するときに、中ストップボタン２０Ｃが操作されると、図柄番号「１３」の「青７」の図柄が有効ライン上に停止する。図柄番号「１４」〜「１８」の図柄が基準位置に位置するときに、中ストップボタン２０Ｃが操作されると、図柄番号「１８」の「赤７」の図柄が有効ライン上に停止する。図柄番号「１９」〜「２１」の図柄が基準位置に位置するときに、中ストップボタン２０Ｃが操作されると、図柄番号「２１」の「赤７」の図柄が有効ライン上に停止する。図柄番号「１」または「２」の図柄が基準位置に位置するときに、中ストップボタン２０Ｃが操作されると、図柄番号「２」の「プラム」の図柄が有効ライン上に停止する。図柄番号「３」〜「５」の図柄が基準位置に位置するときに、中ストップボタン２０Ｃが操作されると、図柄番号「７」の「プラム」の図柄が有効ライン上に停止する。
【０２９１】
（１４）停止テーブルＴＢＬ１７
停止テーブルＴＢＬ１７は、中リール４Ｃの「スイカ」の図柄を有効ライン上に優先的に引き込むように作成されている。
【０２９２】
中リール４Ｃにおいて、「スイカ」は、図柄番号「４」および「９」の位置に配置されている。
【０２９３】
図柄番号「４」の「スイカ」の引込範囲は、図柄番号「２１」および「１」〜「４」の範囲に定められている。
【０２９４】
図柄番号「９」の「スイカ」の引込範囲は、図柄番号「５」〜「９」の範囲に定められている。
【０２９５】
また、停止テーブルＴＢＬ１７は、「スイカ」の図柄を有効ライン上に停止させることができない場合に、中リール４Ｃの「ベル」の図柄を有効ライン上に引き込むように作成されている。
【０２９６】
中リール４Ｃにおいて、「ベル」は、図柄番号「１」、「６」、「１１」、「１４」および「１９」の位置に配置されている。
【０２９７】
図柄番号「１」の「ベル」から中リール４Ｃの回転方向の下流側に３コマ離れた位置には、図柄番号「１９」の「ベル」が配置され、図柄番号「４」の「スイカ」の引込範囲が図柄番号「２１」および「１」〜「４」の範囲に定められているので、図柄番号「１」の「ベル」の引込範囲は、図柄番号「２０」のみである。
【０２９８】
図柄番号「６」の「ベル」から中リール４Ｃの回転方向の下流側に５コマ離れた位置には、図柄番号「１」の「ベル」が配置され、図柄番号「４」の「スイカ」の引込範囲が図柄番号「２１」および「１」〜「４」、図柄番号「９」の「スイカ」の引込範囲が図柄番号「５」〜「９」の範囲に定められているので、図柄番号「６」の「ベル」の引込範囲はなく、その図柄番号「６」の「ベル」の図柄が有効ライン上に停止することはない。
【０２９９】
図柄番号「１１」の「ベル」から中リール４Ｃの回転方向の下流側に５コマ離れた位置には、図柄番号「６」の「ベル」が配置され、図柄番号「９」の「スイカ」の引込範囲が図柄番号「５」〜「９」の範囲に定められている。また、図柄番号「１１」から中リール４Ｃの回転方向の上流側に３コマ離れた位置には、図柄番号「１４」の「ベル」が配置されている。そのため、図柄番号「１１」の「ベル」の引込範囲はなく、図柄番号「１４」の「ベル」の引込範囲が図柄番号「１２」〜「１４」の範囲に定められている。
【０３００】
図柄番号「１９」の「ベル」から中リール４Ｃの回転方向の下流側に５コマ離れた位置には、図柄番号「１４」の「ベル」が配置されているので、図柄番号「１９」の「ベル」の引込範囲は、図柄番号「１５」〜「１９」の範囲に定められている。
【０３０１】
停止テーブルＴＢＬ１７を使用したリール停止制御では、図柄番号「２１」または「１」〜「４」の図柄が基準位置に位置するときに、中ストップボタン２０Ｃが操作されると、図柄番号「４」の「スイカ」の図柄が有効ライン上に停止する。図柄番号「５」〜「９」の図柄が基準位置に位置するときに、中ストップボタン２０Ｃが操作されると、図柄番号「９」の「スイカ」の図柄が有効ライン上に停止する。図柄番号「１０」〜「１４」の図柄が基準位置に位置するときに、中ストップボタン２０Ｃが操作されると、図柄番号「１４」の「ベル」の図柄が有効ライン上に停止する。図柄番号「１５」〜「１９」の図柄が基準位置に位置するときに、中ストップボタン２０Ｃが操作されると、図柄番号「１９」の「ベル」の図柄が有効ライン上に停止する。図柄番号「２０」の図柄が基準位置に位置するときに、中ストップボタン２０Ｃが操作されると、図柄番号「１」の「ベル」の図柄が有効ライン上に停止する。
【０３０２】
（１５）停止テーブルＴＢＬ２１
停止テーブルＴＢＬ２１は、右リール４Ｒの「ベル」の図柄を有効ライン上に停止させるために使用される。
【０３０３】
右リール４Ｒにおいて、「ベル」は、図柄番号「１」、「６」、「１０」、「１３」および「１８」の位置に配置されている。
【０３０４】
図柄番号「１」の「ベル」から右リール４Ｒの回転方向の下流側に４コマ離れた位置には、図柄番号「１８」の「ベル」が配置されているので、図柄番号「１」の「ベル」の引込範囲は、図柄番号「１９」〜「２１」および「１」の範囲に定められている。
【０３０５】
図柄番号「６」の「ベル」から右リール４Ｒの回転方向の下流側に５コマ離れた位置には、図柄番号「１」の「ベル」が配置されているので、図柄番号「６」の「ベル」の引込範囲は、図柄番号「２」〜「６」の範囲に定められている。
【０３０６】
図柄番号「１０」の「ベル」から右リール４Ｒの回転方向の下流側に４コマ離れた位置には、図柄番号「６」の「ベル」が配置されているので、図柄番号「１０」の「ベル」の引込範囲は、図柄番号「７」〜「１０」の範囲に定められている。
【０３０７】
図柄番号「１３」の「ベル」から右リール４Ｒの回転方向の下流側に３コマ離れた位置には、図柄番号「１０」の「ベル」が配置されているので、図柄番号「１３」の「ベル」の引込範囲は、図柄番号「１１」〜「１３」の範囲に定められている。
【０３０８】
図柄番号「１８」の「ベル」から右リール４Ｒの回転方向の下流側に５コマ離れた位置には、図柄番号「１３」の「ベル」が配置されているので、図柄番号「１８」の「ベル」の引込範囲は、図柄番号「１４」〜「１８」の範囲に定められている。
【０３０９】
停止テーブルＴＢＬ２１を使用したリール停止制御では、図柄番号「１」または「１９」〜「２１」の図柄が基準位置に位置するときに、右ストップボタン２０Ｒが操作されると、図柄番号「１」の「ベル」の図柄が有効ライン上に停止する。図柄番号「２」〜「６」の図柄が基準位置に位置するときに、右ストップボタン２０Ｒが操作されると、図柄番号「６」の「ベル」の図柄が有効ライン上に停止する。図柄番号「７」〜「１０」の図柄が基準位置に位置するときに、右ストップボタン２０Ｒが操作されると、図柄番号「１０」の「ベル」の図柄が有効ライン上に停止する。図柄番号「１１」〜「１３」の図柄が基準位置に位置するときに、右ストップボタン２０Ｒが操作されると、図柄番号「１３」の「ベル」の図柄が有効ライン上に停止する。図柄番号「１４」〜「１８」の図柄が基準位置に位置するときに、右ストップボタン２０Ｒが操作されると、図柄番号「１８」の「ベル」の図柄が有効ライン上に停止する。
【０３１０】
なお、基準位置は、有効ラインに対して、右リール４Ｒの回転方向の上流側に、右ストップボタン２０Ｒが操作された時点から右リール駆動モータ６１Ｒが停止するまでの右リール４Ｒの回転量（回転角）だけ離れた位置である。
【０３１１】
（１６）停止テーブルＴＢＬ２２
停止テーブルＴＢＬ２２は、右リール４Ｒの「プラム」の図柄を有効ライン上に停止させるために使用される。
【０３１２】
右リール４Ｒにおいて、「プラム」は、図柄番号「３」、「７」、「１１」、「１５」および「１９」の位置に配置されている。
【０３１３】
図柄番号「３」の「プラム」から右リール４Ｒの回転方向の下流側に５コマ離れた位置には、図柄番号「１９」の「プラム」が配置されているので、図柄番号「３」の「プラム」の引込範囲は、図柄番号「２０」、「２１」および「１」〜「３」の範囲に定められている。
【０３１４】
図柄番号「７」の「プラム」から右リール４Ｒの回転方向の下流側に４コマ離れた位置には、図柄番号「３」の「プラム」が配置されているので、図柄番号「７」の「プラム」の引込範囲は、図柄番号「４」〜「７」の範囲に定められている。
【０３１５】
図柄番号「１１」の「プラム」から右リール４Ｒの回転方向の下流側に４コマ離れた位置には、図柄番号「７」の「プラム」が配置されているので、図柄番号「１１」の「プラム」の引込範囲は、図柄番号「８」〜「１１」の範囲に定められている。
【０３１６】
図柄番号「１５」の「プラム」から右リール４Ｒの回転方向の下流側に４コマ離れた位置には、図柄番号「１１」の「プラム」が配置されているので、図柄番号「１５」の「プラム」の引込範囲は、図柄番号「１２」〜「１５」の範囲に定められている。
【０３１７】
図柄番号「１９」の「プラム」から右リール４Ｒの回転方向の下流側に４コマ離れた位置には、図柄番号「１５」の「プラム」が配置されているので、図柄番号「１９」の「プラム」の引込範囲は、図柄番号「１６」〜「１９」の範囲に定められている。
【０３１８】
停止テーブルＴＢＬ２２を使用したリール停止制御では、図柄番号「１」〜「３」、「２０」または「２１」の図柄が基準位置に位置するときに、右ストップボタン２０Ｒが操作されると、図柄番号「３」の「プラム」の図柄が有効ライン上に停止する。図柄番号「４」〜「７」の図柄が基準位置に位置するときに、右ストップボタン２０Ｒが操作されると、図柄番号「７」の「プラム」の図柄が有効ライン上に停止する。図柄番号「８」〜「１１」の図柄が基準位置に位置するときに、右ストップボタン２０Ｒが操作されると、図柄番号「１１」の「プラム」の図柄が有効ライン上に停止する。図柄番号「１２」〜「１５」の図柄が基準位置に位置するときに、右ストップボタン２０Ｒが操作されると、図柄番号「１５」の「プラム」の図柄が有効ライン上に停止する。図柄番号「１６」〜「１９」の図柄が基準位置に位置するときに、右ストップボタン２０Ｒが操作されると、図柄番号「１９」の「プラム」の図柄が有効ライン上に停止する。
【０３１９】
（１７）停止テーブルＴＢＬ２３
停止テーブルＴＢＬ２３は、右リール４Ｒの「ブランク」の図柄を有効ライン上に最優先で引き込み、「赤７」の図柄を有効ライン上に「ブランク」の次に優先的に引き込むように作成されている。
【０３２０】
右リール４Ｒにおいて、「ブランク」は、図柄番号「１７」の位置に配置されている。
【０３２１】
「ブランク」の引込範囲は、図柄番号「１３」〜「１７」の範囲に定められている。
【０３２２】
「赤７」は、図柄番号「２１」の位置に配置されている。
【０３２３】
「ブランク」の引込範囲が図柄番号「１３」〜「１７」の範囲に定められているので、「赤７」の引込範囲は、図柄番号「１８」〜「２１」の範囲に定められている。
【０３２４】
また、停止テーブルＴＢＬ２３は、「ブランク」および「赤７」の図柄を有効ライン上に停止させることができない場合に、右リール４Ｒの「プラム」の図柄を有効ライン上に引き込むように作成されている。
【０３２５】
右リール４Ｒにおいて、「プラム」は、図柄番号「３」、「７」、「１１」、「１５」および「１９」の位置に配置されている。
【０３２６】
図柄番号「３」の「プラム」から右リール４Ｒの回転方向の下流側に５コマ離れた位置には、図柄番号「１９」の「プラム」が配置され、「赤７」の引込範囲が図柄番号「１８」〜「２１」の範囲に定められているので、図柄番号「３」の「プラム」の引込範囲は、図柄番号「１」〜「３」の範囲に定められている。
【０３２７】
図柄番号「７」の「プラム」から右リール４Ｒの回転方向の下流側に４コマ離れた位置には、図柄番号「３」の「プラム」が配置されているので、図柄番号「７」の「プラム」の引込範囲は、図柄番号「４」〜「７」の範囲に定められている。
【０３２８】
図柄番号「１１」の「プラム」から右リール４Ｒの回転方向の下流側に４コマ離れた位置には、図柄番号「７」の「プラム」が配置され、「赤７」の引込範囲が図柄番号「１１」〜「１４」の範囲に定められているので、図柄番号「１１」の「プラム」の引込範囲は、図柄番号「８」〜「１０」の範囲に定められている。
【０３２９】
図柄番号「１５」の「プラム」から右リール４Ｒの回転方向の下流側に４コマ離れた位置には、図柄番号「１１」の「プラム」が配置され、「ブランク」の引込範囲が図柄番号「１３」〜「１７」の範囲に定められているので、図柄番号「１５」の「プラム」の引込範囲は、図柄番号「１２」のみである。
【０３３０】
図柄番号「１９」の「プラム」から右リール４Ｒの回転方向の下流側に４コマ離れた位置には、図柄番号「１５」の「プラム」が配置され、「ブランク」の引込範囲が図柄番号「１５」〜「１９」の範囲に定められ、「赤７」の引込範囲が図柄番号「１８」〜「２１」の範囲に定められているので、図柄番号「１９」の「プラム」の引込範囲はなく、図柄番号「１９」の「プラム」の図柄が有効ライン上に停止することはない。
【０３３１】
停止テーブルＴＢＬ２３を使用したリール停止制御では、図柄番号「１３」〜「１７」の図柄が基準位置に位置するときに、左ストップボタン２０Ｌが操作されると、「ブランク」の図柄が有効ライン上に停止する。また、図柄番号「１８」〜「２１」の図柄が基準位置に位置するときに、左ストップボタン２０Ｌが操作されると、「赤７」の図柄が有効ライン上に停止する。図柄番号「１」〜「３」の図柄が基準位置に位置するときに、左ストップボタン２０Ｌが操作されると、図柄番号「３」の「プラム」の図柄が有効ライン上に停止する。図柄番号「４」〜「７」の図柄が基準位置に位置するときに、左ストップボタン２０Ｌが操作されると、図柄番号「７」の「プラム」の図柄が有効ライン上に停止する。図柄番号「８」〜「１０」の図柄が基準位置に位置するときに、左ストップボタン２０Ｌが操作されると、図柄番号「１１」の「プラム」の図柄が有効ライン上に停止する。図柄番号「１２」の図柄が基準位置に位置するときに、左ストップボタン２０Ｌが操作されると、図柄番号「１５」の「プラム」の図柄が有効ライン上に停止する。
【０３３２】
（１８）停止テーブルＴＢＬ２４
停止テーブルＴＢＬ２４は、右リール４Ｒの「ＢＡＲ」の図柄を有効ライン上に最優先で引き込み、「青７」の図柄を有効ライン上に「ＢＡＲ」の次に優先的に引き込むように作成されている。
【０３３３】
右リール４Ｒにおいて、「ＢＡＲ」は、図柄番号「５」の位置に配置されている。
【０３３４】
「ＢＡＲ」の引込範囲は、図柄番号「１」〜「５」の範囲に定められている。
【０３３５】
「青７」は、図柄番号「９」および「１２」の位置に配置されている。
【０３３６】
図柄番号「９」の「青７」の引込範囲は、図柄番号「６」〜「９」の範囲に定められている。
【０３３７】
図柄番号「１２」の「青７」から右リール４Ｒの回転方向の下流側に３コマ離れた位置には、図柄番号「９」の「青７」が配置されているので、図柄番号「１２」の「青７」の引込範囲は、図柄番号「１０」〜「１２」の範囲に定められている。
【０３３８】
また、停止テーブルＴＢＬ２４は、「ＢＡＲ」および「青７」の図柄を有効ライン上に停止させることができない場合に、右リール４Ｒの「プラム」の図柄を有効ライン上に引き込むように作成されている。
【０３３９】
右リール４Ｒにおいて、「プラム」は、図柄番号「３」、「７」、「１１」、「１５」および「１９」の位置に配置されている。
【０３４０】
図柄番号「３」の「プラム」から右リール４Ｒの回転方向の下流側に５コマ離れた位置には、図柄番号「１９」の「プラム」が配置され、「ＢＡＲ」の引込範囲が図柄番号「１」〜「５」の範囲に定められているので、図柄番号「３」の「プラム」の引込範囲は、図柄番号「２０」および「２１」の範囲に定められている。
【０３４１】
図柄番号「７」の「プラム」から右リール４Ｒの回転方向の下流側に４コマ離れた位置には、図柄番号「３」の「プラム」が配置され、「ＢＡＲ」の引込範囲が図柄番号「１」〜「５」の範囲に定められ、図柄番号「９」の「青７」の引込範囲が図柄番号「６」〜「９」の範囲に定められているので、図柄番号「７」の「プラム」の引込範囲はなく、その図柄番号「７」の「プラム」の図柄が有効ライン上に停止することはない。
【０３４２】
図柄番号「１１」の「プラム」から右リール４Ｒの回転方向の下流側に４コマ離れた位置には、図柄番号「７」の「プラム」が配置され、図柄番号「９」の「青７」の引込範囲が図柄番号「６」〜「９」の範囲に定められ、図柄番号「１２」の「青７」の引込範囲が図柄番号「１０」〜「１２」の範囲に定められているので、図柄番号「１１」の「プラム」の引込範囲はなく、その図柄番号「１１」の「プラム」の図柄が有効ライン上に停止することはない。
【０３４３】
図柄番号「１５」の「プラム」から右リール４Ｒの回転方向の下流側に４コマ離れた位置には、図柄番号「１１」の「プラム」が配置され、図柄番号「１２」の「青７」の引込範囲が図柄番号「１０」〜「１２」の範囲に定められているので、図柄番号「１５」の「プラム」の引込範囲は、図柄番号「１３」〜「１５」の範囲に定められている。
【０３４４】
図柄番号「１９」の「プラム」から左リール４Ｌの回転方向の下流側に４コマ離れた位置には、図柄番号「１５」の「プラム」が配置されているので、図柄番号「１９」の「プラム」の引込範囲は、図柄番号「１６」〜「１９」の範囲に定められている。
【０３４５】
停止テーブルＴＢＬ２４を使用したリール停止制御では、図柄番号「１」〜「５」の図柄が基準位置に位置するときに、右ストップボタン２０Ｒが操作されると、「ＢＡＲ」の図柄が有効ライン上に停止する。また、図柄番号「６」〜「９」の図柄が基準位置に位置するときに、右ストップボタン２０Ｒが操作されると、図柄番号「９」の「青７」の図柄が有効ライン上に停止する。図柄番号「１０」〜「１２」の図柄が基準位置に位置するときに、右ストップボタン２０Ｒが操作されると、図柄番号「１２」の「青７」の図柄が有効ライン上に停止する。図柄番号「１３」〜「１５」の図柄が基準位置に位置するときに、右ストップボタン２０Ｒが操作されると、図柄番号「１５」の「プラム」の図柄が有効ライン上に停止する。図柄番号「１６」〜「１９」の図柄が基準位置に位置するときに、右ストップボタン２０Ｒが操作されると、図柄番号「１９」の「プラム」の図柄が有効ライン上に停止する。図柄番号「２０」または「２１」の図柄が基準位置に位置するときに、右ストップボタン２０Ｒが操作されると、図柄番号「３」の「プラム」の図柄が有効ライン上に停止する。
【０３４６】
（１９）停止テーブルＴＢＬ２５
停止テーブルＴＢＬ２５は、右リール４Ｒの「赤７」の図柄および「青７」の図柄を有効ライン上に優先的に引き込むように作成されている。
【０３４７】
右リール４Ｒにおいて、「赤７」は、図柄番号「２１」の位置に配置されている。
【０３４８】
「赤７」の引込範囲は、図柄番号「１７」〜「２１」の範囲に定められている。
【０３４９】
「青７」は、図柄番号「９」および「１２」の位置に配置されている。
【０３５０】
図柄番号「９」の「青７」の引込範囲は、図柄番号「５」〜「９」の範囲に定められている。
【０３５１】
図柄番号「１２」の「青７」から右リール４Ｒの回転方向の下流側に３コマ離れた位置には、図柄番号「９」の「青７」が配置されているので、図柄番号「１２」の「青７」の引込範囲は、図柄番号「１０」〜「１２」の範囲に定められている。
【０３５２】
また、停止テーブルＴＢＬ２５は、「赤７」および「青７」の図柄を有効ライン上に停止させることができない場合に、右リール４Ｒの「プラム」の図柄を有効ライン上に引き込むように作成されている。
【０３５３】
右リール４Ｒにおいて、「プラム」は、図柄番号「３」、「７」、「１１」、「１５」および「１９」の位置に配置されている。
【０３５４】
図柄番号「３」の「プラム」から右リール４Ｒの回転方向の下流側に５コマ離れた位置には、図柄番号「１９」の「プラム」が配置され、「赤７」の引込範囲が図柄番号「１７」〜「２１」の範囲に定められているので、図柄番号「３」の「プラム」の引込範囲は、図柄番号「１」〜「３」の範囲に定められている。
【０３５５】
図柄番号「７」の「プラム」から右リール４Ｒの回転方向の下流側に４コマ離れた位置には、図柄番号「３」の「プラム」が配置され、図柄番号「９」の「青７」の引込範囲が図柄番号「５」〜「９」の範囲に定められているので、図柄番号「７」の「プラム」の引込範囲は、図柄番号「４」のみである。
【０３５６】
図柄番号「１１」の「プラム」から右リール４Ｒの回転方向の下流側に４コマ離れた位置には、図柄番号「７」の「プラム」が配置され、図柄番号「９」の「青７」の引込範囲が図柄番号「５」〜「９」の範囲に定められ、図柄番号「１２」の「青７」の引込範囲が図柄番号「１０」〜「１２」の範囲に定められているので、図柄番号「１１」の「プラム」の引込範囲はなく、その図柄番号「１１」の「プラム」の図柄が有効ライン上に停止することはない。
【０３５７】
図柄番号「１５」の「プラム」から右リール４Ｒの回転方向の下流側に４コマ離れた位置には、図柄番号「１１」の「プラム」が配置され、図柄番号「１２」の「青７」の引込範囲が図柄番号「１０」〜「１２」の範囲に定められているので、図柄番号「１５」の「プラム」の引込範囲は、図柄番号「１３」〜「１５」の範囲に定められている。
【０３５８】
図柄番号「１９」の「プラム」から右リール４Ｒの回転方向の下流側に４コマ離れた位置には、図柄番号「１５」の「プラム」が配置され、「赤７」の引込範囲が図柄番号「１７」〜「２１」の範囲に定められているので、図柄番号「１９」の「プラム」の引込範囲は、図柄番号「１６」のみである。
【０３５９】
停止テーブルＴＢＬ２５を使用したリール停止制御では、図柄番号「１７」〜「２１」の図柄が基準位置に位置するときに、右ストップボタン２０Ｒが操作されると、「赤７」の図柄が有効ライン上に停止する。また、図柄番号「５」〜「９」の図柄が基準位置に位置するときに、右ストップボタン２０Ｒが操作されると、図柄番号「９」の「青７」の図柄が有効ライン上に停止する。図柄番号「１０」〜「１２」の図柄が基準位置に位置するときに、右ストップボタン２０Ｒが操作されると、図柄番号「１２」の「青７」の図柄が有効ライン上に停止する。図柄番号「１」〜「３」の図柄が基準位置に位置するときに、右ストップボタン２０Ｒが操作されると、図柄番号「３」の「プラム」の図柄が有効ライン上に停止する。図柄番号「４」の図柄が基準位置に位置するときに、右ストップボタン２０Ｒが操作されると、図柄番号「７」の「プラム」の図柄が有効ライン上に停止する。図柄番号「１３」〜「１５」の図柄が基準位置に位置するときに、右ストップボタン２０Ｒが操作されると、図柄番号「１５」の「プラム」の図柄が有効ライン上に停止する。図柄番号「１６」の図柄が基準位置に位置するときに、右ストップボタン２０Ｒが操作されると、図柄番号「１９」の「プラム」の図柄が有効ライン上に停止する。
【０３６０】
（２０）停止テーブルＴＢＬ２６
停止テーブルＴＢＬ２６は、右リール４Ｒの「スイカ」の図柄を有効ライン上に優先的に引き込むように作成されている。
【０３６１】
右リール４Ｒにおいて、「スイカ」は、図柄番号「４」、「８」および「１４」の位置に配置されている。
【０３６２】
図柄番号「４」の「スイカ」の引込範囲は、図柄番号「２１」および「１」〜「４」の範囲に定められている。
【０３６３】
図柄番号「８」の「スイカ」から右リール４Ｒの回転方向の下流側に４コマ離れた位置には、図柄番号「４」の「スイカ」が配置されているので、図柄番号「８」の「スイカ」の引込範囲は、図柄番号「５」〜「８」の範囲に定められている。
【０３６４】
図柄番号「１４」の「スイカ」の引込範囲は、図柄番号「１０」〜「１４」の範囲に定められている。
【０３６５】
また、停止テーブルＴＢＬ２６は、「スイカ」の図柄を有効ライン上に停止させることができない場合に、右リール４Ｒの「ベル」の図柄を有効ライン上に引き込むように作成されている。
【０３６６】
右リール４Ｒにおいて、「ベル」は、図柄番号「１」、「６」、「１０」、「１３」および「１８」の位置に配置されている。
【０３６７】
図柄番号「１」の「ベル」から右リール４Ｒの回転方向の下流側に４コマ離れた位置には、図柄番号「１８」の「ベル」が配置され、図柄番号「４」の「スイカ」の引込範囲が図柄番号「２１」および「１」〜「４」の範囲に定められているので、図柄番号「１」の「ベル」の引込範囲は、図柄番号「１９」および「２０」の範囲に定められている。
【０３６８】
図柄番号「６」の「ベル」から右リール４Ｒの回転方向の下流側に５コマ離れた位置には、図柄番号「１」の「ベル」が配置され、図柄番号「４」の「スイカ」の引込範囲が図柄番号「２１」および「１」〜「４」、図柄番号「８」の「スイカ」の引込範囲が図柄番号「５」〜「９」の範囲に定められているので、図柄番号「６」の「ベル」の引込範囲はなく、その図柄番号「６」の「ベル」の図柄が有効ライン上に停止することはない。
【０３６９】
図柄番号「１０」の「ベル」から右リール４Ｒの回転方向の下流側に５コマ離れた位置には、図柄番号「６」の「ベル」が配置され、図柄番号「８」の「スイカ」の引込範囲が図柄番号「５」〜「８」の範囲に定められ、図柄番号「１４」の「スイカ」の引込範囲が図柄番号「１０」〜「１４」の範囲に定められているので、図柄番号「１０」の「ベル」の引込範囲は、図柄番号「９」のみである。
【０３７０】
図柄番号「１３」の「ベル」から右リール４Ｒの回転方向の下流側に３コマ離れた位置には、図柄番号「１０」の「ベル」が配置され、図柄番号「１４」の「スイカ」の引込範囲が図柄番号「１０」〜「１４」の範囲に定められているので、図柄番号「１３」の「ベル」の引込範囲はなく、その図柄番号「１３」の「ベル」の図柄が有効ライン上に停止することはない。
【０３７１】
図柄番号「１８」の「ベル」から右リール４Ｒの回転方向の下流側に５コマ離れた位置には、図柄番号「１３」の「ベル」が配置され、図柄番号「１４」の「スイカ」の引込範囲が図柄番号「１０」〜「１４」の範囲に定められているので、図柄番号「１８」の「ベル」の引込範囲は、図柄番号「１５」〜「１８」の範囲に定められている。
【０３７２】
停止テーブルＴＢＬ２６を使用したリール停止制御では、図柄番号「２１」または「１」〜「４」の図柄が基準位置に位置するときに、右ストップボタン２０Ｒが操作されると、図柄番号「４」の「スイカ」の図柄が有効ライン上に停止する。図柄番号「５」〜「８」の図柄が基準位置に位置するときに、右ストップボタン２０Ｒが操作されると、図柄番号「８」の「スイカ」の図柄が有効ライン上に停止する。図柄番号「１０」〜「１４」の図柄が基準位置に位置するときに、右ストップボタン２０Ｒが操作されると、図柄番号「１４」の「スイカ」の図柄が有効ライン上に停止する。図柄番号「９」の図柄が基準位置に位置するときに、右ストップボタン２０Ｒが操作されると、図柄番号「１０」の「ベル」の図柄が有効ライン上に停止する。図柄番号「１５」〜「１８」の図柄が基準位置に位置するときに、右ストップボタン２０Ｒが操作されると、図柄番号「１８」の「ベル」の図柄が有効ライン上に停止する。図柄番号「１９」または「２０」の図柄が基準位置に位置するときに、右ストップボタン２０Ｒが操作されると、図柄番号「１」の「ベル」の図柄が有効ライン上に停止する。
【０３７３】
（２１）停止テーブルＴＢＬ２７
停止テーブルＴＢＬ２７は、右リール４Ｒの「ＢＡＲ」の図柄を有効ライン上に優先的に引き込むように作成されている。
【０３７４】
右リール４Ｒにおいて、「ＢＡＲ」は、図柄番号「５」の位置に配置されている。
【０３７５】
「ＢＡＲ」の引込範囲は、図柄番号「１」〜「５」の範囲に定められている。
【０３７６】
また、停止テーブルＴＢＬ２７は、「ＢＡＲ」の図柄を有効ライン上に停止させることができない場合に、右リール４Ｒの「ベル」の図柄を有効ライン上に引き込むように作成されている。
【０３７７】
右リール４Ｒにおいて、「ベル」は、図柄番号「１」、「６」、「１０」、「１３」および「１８」の位置に配置されている。
【０３７８】
図柄番号「１」の「ベル」から右リール４Ｒの回転方向の下流側に４コマ離れた位置には、図柄番号「１８」の「ベル」が配置され、「ＢＡＲ」の引込範囲が図柄番号「１」〜「５」の範囲に定められているので、図柄番号「１」の「ベル」の引込範囲は、図柄番号「１９」〜「２１」の範囲に定められている。
【０３７９】
図柄番号「６」の「ベル」から右リール４Ｒの回転方向の下流側に５コマ離れた位置には、図柄番号「１」の「ベル」が配置され、「ＢＡＲ」の引込範囲が図柄番号「１」〜「５」の範囲に定められているので、図柄番号「６」の「ベル」の引込範囲は、図柄番号「６」のみである。
【０３８０】
図柄番号「１０」の「ベル」から右リール４Ｒの回転方向の下流側に４コマ離れた位置には、図柄番号「６」の「ベル」が配置されているので、図柄番号「１０」の「ベル」の引込範囲は、図柄番号「７」〜「１０」の範囲に定められている。
【０３８１】
図柄番号「１３」の「ベル」から右リール４Ｒの回転方向の下流側に３コマ離れた位置には、図柄番号「１０」の「ベル」が配置されているので、図柄番号「１３」の「ベル」の引込範囲は、図柄番号「１１」〜「１３」の範囲に定められている。
【０３８２】
図柄番号「１８」の「ベル」から右リール４Ｒの回転方向の下流側に５コマ離れた位置には、図柄番号「１３」の「ベル」が配置されているので、図柄番号「１８」の「ベル」の引込範囲は、図柄番号「１４」〜「１８」の範囲に定められている。
【０３８３】
停止テーブルＴＢＬ２７を使用したリール停止制御では、図柄番号「１」〜「５」の図柄が基準位置に位置するときに、右ストップボタン２０Ｒが操作されると、「ＢＡＲ」の図柄が有効ライン上に停止する。図柄番号「６」の図柄が基準位置に位置するときに、右ストップボタン２０Ｒが操作されると、図柄番号「６」の「ベル」の図柄が有効ライン上に停止する。図柄番号「７」〜「１０」の図柄が基準位置に位置するときに、右ストップボタン２０Ｒが操作されると、図柄番号「１０」の「ベル」の図柄が有効ライン上に停止する。図柄番号「１１」〜「１３」の図柄が基準位置に位置するときに、右ストップボタン２０Ｒが操作されると、図柄番号「１３」の「ベル」の図柄が有効ライン上に停止する。図柄番号「１４」〜「１８」の図柄が基準位置に位置するときに、右ストップボタン２０Ｒが操作されると、図柄番号「１８」の「ベル」の図柄が有効ライン上に停止する。図柄番号「１９」〜「２１」の図柄が基準位置に位置するときに、右ストップボタン２０Ｒが操作されると、図柄番号「１」の「ベル」の図柄が有効ライン上に停止する。
【０３８４】
＜リンクテーブル＞
【０３８５】
図９Ａおよび図９Ｂは、リンクテーブルの内容を示す図である。
【０３８６】
リンクテーブルは、抽選グループ１〜８の個々に対応して用意され、また、内部抽選の「不当選」の結果に対応して用意されており、メイン基板３１のＲＯＭ４２に格納されている。リンクテーブルには、左リール４Ｌ、中リール４Ｃおよび右リール４Ｒのリール停止制御に用いる停止テーブルが定められている。
【０３８７】
なお、以下に説明するとおり、複数の役が対応づけられた抽選グループ１〜５に対応するリンクテーブルでは、リール停止制御として、入賞に対する配当数の最も多い役を入賞させる図柄の停止態様を構成する図柄を停止させる制御（配当数優先）、または、第１停止操作に対応した左リール４Ｌ、中リール４Ｃまたは右リール４Ｒが停止（第１停止）した時点で入賞の可能性が残る役の数が最も多くなる図柄を停止させる制御（組合せ優先）の一方が実行されるように、左リール４Ｌ、中リール４Ｃおよび右リール４Ｒのリール停止制御に用いる停止テーブルが定められている。
【０３８８】
（１）抽選グループ１に対応するリンクテーブル
内部抽選でメイン基板３１のＣＰＵ４１により乱数生成回路４７から取得された乱数が抽選グループ１に対応づけられている場合、「８枚小役」、「１枚小役Ａ」、「１枚小役Ｂ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」が当選役として決定される。そして、抽選グループ１に対応するリンクテーブルが使用される。
【０３８９】
（１−１）左第１停止
第１停止操作が左ストップボタン２０Ｌの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０３９０】
第１停止で左リール４Ｌの「ベル」の図柄が有効ライン上に停止した場合、入賞可能性の残る役は、「８枚小役」の１つである。「プラム」の図柄が有効ライン上に停止した場合に入賞可能性の残る役は、「１枚小役Ａ」および「１枚小役Ｂ」の２つである。「赤７」の図柄が有効ライン上に停止した場合に入賞可能性の残る役は、「１枚小役Ｍ」および「１枚小役Ｏ」の２つである。「青７」の図柄が有効ライン上に停止した場合に入賞可能性の残る役は、「１枚小役Ｎ」および「１枚小役Ｐ」の２つである。「ＢＡＲ」の図柄が有効ライン上に停止した場合に入賞可能性の残る役は、「１枚小役Ｗ」および「１枚小役Ｘ」の２つである。「スター１」の図柄が有効ライン上に停止した場合に入賞可能性の残る役は、「１枚小役Ｙ」および「１枚小役Ｚ」の２つである。「スター２」の図柄が有効ライン上に停止した場合に入賞可能性の残る役は、「１枚小役ＡＡ」および「１枚小役ＡＢ」の２つである。そして、「１枚小役Ａ」、「１枚小役Ｂ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」の配当数は、いずれも１枚で同じであるから、それらの間に優劣はない。
【０３９１】
そのため、第１停止操作が左ストップボタン２０Ｌの操作である場合に使用されるリンクテーブルでは、組合せ優先のリール停止制御が実行されるように、第１停止操作に対して用いられる停止テーブルとして、左リール４Ｌの「プラム」の図柄を有効ライン上に停止させるための停止テーブルＴＢＬ０２が定められている。
【０３９２】
左ストップボタン２０Ｌが第１停止操作されると、停止テーブルＴＢＬ０２を用いたリール停止制御により、左ストップボタン２０Ｌの操作のタイミングにかかわらず、「プラム」の図柄が有効ライン上に停止する。
【０３９３】
（１−１−１）左→中→右
第１停止で左リール４Ｌの「プラム」の図柄が有効ライン上に停止したことにより、入賞可能性の残る役は、「１枚小役Ａ」および「１枚小役Ｂ」となる。そして、その「１枚小役Ａ」または「１枚小役Ｂ」の入賞は、中リール４Ｃの「赤７」の図柄が有効ライン上に停止し、右リール４Ｒの「赤７」または「ブランク」の図柄が有効ライン上に停止する以外にない。
【０３９４】
そのため、左ストップボタン２０Ｌの第１停止操作に続いて、中ストップボタン２０Ｃの第２停止操作が行われる場合に使用されるリンクテーブルでは、第２停止操作に対して用いられる停止テーブルとして、中リール４Ｃの「赤７」の図柄を有効ライン上に優先的に停止させるための停止テーブルＴＢＬ１３が定められ、第３停止操作に対して用いられる停止テーブルとして、右リール４Ｒの「赤７」または「ブランク」の図柄を有効ライン上に優先的に停止させるための停止テーブルＴＢＬ２３が定められている。
【０３９５】
中ストップボタン２０Ｃが第２停止操作されると、停止テーブルＴＢＬ１３を用いたリール停止制御により、図柄番号「１４」〜「２１」の図柄が基準位置に位置するタイミングで中ストップボタン２０Ｃが操作された場合には、「赤７」の図柄が有効ライン上に停止し、それ以外のタイミングで中ストップボタン２０Ｃが操作された場合には、「プラム」の図柄が有効ライン上に停止する。
【０３９６】
そして、右ストップボタン２０Ｒの第３停止操作に対して、停止テーブルＴＢＬ２３を用いたリール停止制御により、図柄番号「１９」〜「２１」の図柄が基準位置に位置するタイミングで右ストップボタン２０Ｒが操作された場合には、「赤７」の図柄が有効ライン上に停止し、図柄番号「１３」〜「１７」の図柄が基準位置に位置するタイミングで右ストップボタン２０Ｒが操作された場合には、「ブランク」の図柄が有効ライン上に停止し、それ以外のタイミングで右ストップボタン２０Ｒが操作された場合には、「プラム」の図柄が有効ライン上に停止する。
【０３９７】
（１−１−２）左→右→中
第２停止操作が中ストップボタン２０Ｃの操作である場合と同じ理由により、右ストップボタン２０Ｒの第２停止操作が行われる場合に使用されるリンクテーブルでは、第２停止操作に対して用いられる停止テーブルとして、右リール４Ｒの「赤７」または「ブランク」の図柄を有効ライン上に優先的に停止させるための停止テーブルＴＢＬ２３が定められている。また、第３停止操作に対して用いられる停止テーブルとして、中リール４Ｃの「赤７」の図柄を有効ライン上に優先的に停止させるための停止テーブルＴＢＬ１３が定められている。
【０３９８】
右ストップボタン２０Ｒが第２停止操作されると、停止テーブルＴＢＬ２３を用いたリール停止制御により、図柄番号「１９」〜「２１」の図柄が基準位置に位置するタイミングで右ストップボタン２０Ｒが操作された場合には、「赤７」の図柄が有効ライン上に停止し、図柄番号「１３」〜「１７」の図柄が基準位置に位置するタイミングで右ストップボタン２０Ｒが操作された場合には、「ブランク」の図柄が有効ライン上に停止し、それ以外のタイミングで右ストップボタン２０Ｒが操作された場合には、「プラム」の図柄が有効ライン上に停止する。
【０３９９】
そして、中ストップボタン２０Ｃの第３停止操作に対して、停止テーブルＴＢＬ１３を用いたリール停止制御により、図柄番号「１４」〜「２１」の図柄が基準位置に位置するタイミングで中ストップボタン２０Ｃが操作された場合には、「赤７」の図柄が有効ライン上に停止し、それ以外のタイミングで中ストップボタン２０Ｃが操作された場合には、「プラム」の図柄が有効ライン上に停止する。
【０４００】
これにより、第１停止操作が左ストップボタン２０Ｌの操作である場合には、「１枚小役Ａ」または「１枚小役Ｂ」に入賞する可能性があり、「８枚小役」、「１枚小役Ａ」、「１枚小役Ｂ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」に入賞する可能性はない。
【０４０１】
（１−２）中第１停止
第１停止操作が中ストップボタン２０Ｃの操作であり、第２停止操作が右ストップボタン２０Ｒの操作である場合に使用されるリンクテーブルでは、配当数優先のリール停止制御が実行されるように、左リール４Ｌ、中リール４Ｃおよび右リール４Ｒのリール停止制御に用いる停止テーブルが定められている。
【０４０２】
また、第１停止操作が中ストップボタン２０Ｃの操作であり、第２停止操作が左ストップボタン２０Ｌの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０４０３】
中リール４Ｃの「ベル」の図柄が有効ライン上に停止した場合に入賞可能性の残る役は、「８枚小役」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」の１１である。「赤７」の図柄が有効ライン上に停止した場合に入賞可能性の残る役は、「１枚小役Ａ」および「１枚小役Ｂ」の２つである。
【０４０４】
よって、第１停止操作が中ストップボタン２０Ｃの操作である場合に使用されるリンクテーブルでは、配当数優先または組合せ優先のいずれのリール停止制御が実行される場合であっても、第１停止操作に対して用いられる停止テーブルとして、中リール４Ｃの「ベル」の図柄を有効ライン上に停止させるための停止テーブルＴＢＬ１１が定められている。
【０４０５】
中ストップボタン２０Ｃが第１停止操作されると、停止テーブルＴＢＬ１１を用いたリール停止制御により、中ストップボタン２０Ｃの操作のタイミングにかかわらず、「ベル」の図柄が有効ライン上に停止する。
【０４０６】
（１−２−１）中→右→左
第１停止で中リール４Ｃの「ベル」の図柄が有効ライン上に停止したことにより、入賞可能性の残る役は、「８枚小役」「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」となる。
【０４０７】
第２停止操作が右ストップボタン２０Ｒの操作である場合に使用されるリンクテーブルは、配当数優先のリール停止制御が実行されるように作成されているので、右リール４Ｒおよび左リール４Ｌの「ベル」の図柄が優先的に有効ライン上に引き込まれるように、そのリンクテーブルでは、右リール４Ｒのリール停止制御に用いられる停止テーブルとして、停止テーブルＴＢＬ２１が定められている。また、左リール４Ｌのリール停止制御に用いられる停止テーブルとして、停止テーブルＴＢＬ０１が定められている。
【０４０８】
右ストップボタン２０Ｒが第２停止操作されると、停止テーブルＴＢＬ２１を用いたリール停止制御により、右ストップボタン２０Ｒの操作のタイミングにかかわらず、「ベル」の図柄が有効ライン上に停止する。
【０４０９】
そして、左ストップボタン２０Ｌの第３停止操作に対して、停止テーブルＴＢＬ０１を用いたリール停止制御により、左ストップボタン２０Ｌの操作のタイミングにかかわらず、「ベル」の図柄が有効ライン上に停止する。
【０４１０】
これにより、第１停止操作で中ストップボタン２０Ｃが操作され、第２停止操作で右ストップボタン２０Ｒが操作され、第３停止操作で左ストップボタン２０Ｌが操作された場合、３個の「ベル」の図柄が有効ライン上に停止し、配当数の最も多い「８枚小役」に入賞となる。この中ストップボタン２０Ｃの第１停止操作、右ストップボタン２０Ｒの第２停止操作および左ストップボタン２０Ｌの第３停止操作の操作順は、抽選グループ１に対して設定された正解押し順である。
【０４１１】
（１−２−２）中→左→右
第１停止で中リール４Ｃの「ベル」の図柄が有効ライン上に停止したことにより、入賞可能性の残る役は、「８枚小役」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」となる。
【０４１２】
そして、左リール４Ｌの「ベル」の図柄が有効ライン上に停止した場合に入賞可能性の残る役は、「８枚小役」の１つである。「赤７」の図柄が有効ライン上に停止した場合に入賞可能性の残る役は、「１枚小役Ｍ」および「１枚小役Ｏ」の２つである。「青７」の図柄が有効ライン上に停止した場合に入賞可能性の残る役は、「１枚小役Ｎ」および「１枚小役Ｐ」の２つである。「ＢＡＲ」の図柄が有効ライン上に停止した場合に入賞可能性の残る役は、「１枚小役Ｗ」および「１枚小役Ｘ」の２つである。「スター１」の図柄が有効ライン上に停止した場合に入賞可能性の残る役は、「１枚小役Ｙ」および「１枚小役Ｚ」の２つである。「スター２」の図柄が有効ライン上に停止した場合に入賞可能性の残る役は、「１枚小役ＡＡ」および「１枚小役ＡＢ」の２つである。そして、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」の配当数は、いずれも１枚で同じであるから、それらの間に優劣はない。
【０４１３】
よって、第２停止操作が左ストップボタン２０Ｌの操作である場合に使用されるリンクテーブルでは、組合せ優先のリール停止制御が実行されるように、第２停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められている。
【０４１４】
そして、「１枚小役Ｍ」、「１枚小役Ｘ」および「１枚小役ＡＢ」の３つにそれぞれ対応づけられた図柄の組合せでは、右リール４Ｒの図柄が「赤７」の図柄である。また、「１枚小役Ｎ」および「１枚小役Ｚ」の２つにそれぞれ対応づけられた図柄の組合せでは、中リール４Ｃの図柄が「青７」の図柄である。「１枚小役Ｏ」、「１枚小役Ｐ」、「１枚小役Ｗ」、「１枚小役Ｙ」および「１枚小役ＡＡ」の５つにそれぞれ対応づけられた図柄の組合せでは、中リール４Ｃの図柄が「プラム」の図柄である。
【０４１５】
そのため、第３停止操作が右ストップボタン２０Ｒの操作である場合に使用されるリンクテーブルでは、第３停止操作に対して用いられる停止テーブルとして、右リール４Ｒの「プラム」の図柄を有効ライン上に停止させるための停止テーブルＴＢＬ２２が定められている。
【０４１６】
左ストップボタン２０Ｌが第２停止操作されると、停止テーブルＴＢＬ０７を用いたリール停止制御により、「赤７」、「青７」、「ＢＡＲ」、「スター１」または「スター２」の図柄が有効ライン上に停止する。
【０４１７】
そして、右ストップボタン２０Ｒの第３停止操作に対して、停止テーブルＴＢＬ２２を用いたリール停止制御により、右ストップボタン２０Ｒの操作タイミングにかかわらず、「プラム」の図柄が有効ライン上に停止する。
【０４１８】
これにより、第１停止操作で中ストップボタン２０Ｃが操作され、第２停止操作で左ストップボタン２０Ｌが操作され、第３停止操作で右ストップボタン２０Ｒが操作された場合、「１枚小役Ｏ」、「１枚小役Ｐ」、「１枚小役Ｗ」、「１枚小役Ｙ」または「１枚小役ＡＡ」に入賞する可能性がある。
【０４１９】
（１−３）右第１停止
第１停止操作が右ストップボタン２０Ｒの操作である場合に使用されるリンクテーブルでは、組合せ優先のリール停止制御が実行されるように、左リール４Ｌ、中リール４Ｃおよび右リール４Ｒのリール停止制御のそれぞれに用いる停止テーブルが定められている。
【０４２０】
右リール４Ｒの「ベル」の図柄が有効ライン上に停止した場合に入賞可能性の残る役は、「８枚小役」の１つである。「プラム」の図柄が有効ライン上に停止した場合に入賞可能性の残る役は、「１枚小役Ｏ」、「１枚小役Ｐ」、「１枚小役Ｗ」、「１枚小役Ｙ」および「１枚小役ＡＡ」の５つである。「赤７」の図柄が有効ライン上に停止した場合に入賞可能性の残る役は、「１枚小役Ｍ」、「１枚小役Ｘ」および「１枚小役ＡＢ」の３つである。「青７」の図柄が有効ライン上に停止した場合に入賞可能性の残る役は、「１枚小役Ｎ」および「１枚小役Ｚ」の２つである。
【０４２１】
よって、第１停止操作が右ストップボタン２０Ｒの操作である場合に使用されるリンクテーブルでは、組合せ優先のリール停止制御が実行されるように、第１停止操作に対して用いられる停止テーブルとして、右リール４Ｒの「プラム」の図柄を有効ライン上に停止させるための停止テーブルＴＢＬ２２が定められている。
【０４２２】
右ストップボタン２０Ｒが第１停止操作されると、停止テーブルＴＢＬ２２を用いたリール停止制御により、右ストップボタン２０Ｒの操作のタイミングにかかわらず、「プラム」の図柄が有効ライン上に停止する。
【０４２３】
（１−３−１）右→左→中
第１停止で右リール４Ｒの「プラム」の図柄が有効ライン上に停止したことにより、入賞可能性の残る役は、「１枚小役Ｏ」、「１枚小役Ｐ」、「１枚小役Ｗ」、「１枚小役Ｙ」および「１枚小役ＡＡ」となる。「１枚小役Ｏ」、「１枚小役Ｐ」、「１枚小役Ｗ」、「１枚小役Ｙ」および「１枚小役ＡＡ」に対応づけられた図柄の組合せでは、左リール４Ｌの図柄がそれぞれ「赤７」、「青７」、「ＢＡＲ」、「スター１」および「スター２」の図柄であり、中リール４Ｃの図柄が「ベル」である。
【０４２４】
そのため、左ストップボタン２０Ｌの第２停止操作が行われる場合に使用されるリンクテーブルでは、第２停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められ、第３停止操作に対して用いられる停止テーブルとして、中リール４Ｃの「ベル」の図柄を有効ライン上に停止させるための停止テーブルＴＢＬ１１が定められている。
【０４２５】
左ストップボタン２０Ｌが第２停止操作されると、停止テーブルＴＢＬ０７を用いたリール停止制御により、「赤７」、「青７」、「ＢＡＲ」、「スター１」または「スター２」の図柄が有効ライン上に停止する。
【０４２６】
そして、中ストップボタン２０Ｃの第３停止操作に対して、停止テーブルＴＢＬ１１を用いたリール停止制御により、中ストップボタン２０Ｃの操作のタイミングにかかわらず、「ベル」の図柄が有効ライン上に停止する。
【０４２７】
（１−３−２）右→中→左
第２停止操作が左ストップボタン２０Ｌの操作である場合と同じ理由により、第２停止操作が中ストップボタン２０Ｃの操作である場合に使用されるリンクテーブルでは、第２停止操作に対して用いられる停止テーブルとして、中リール４Ｃの「ベル」の図柄を有効ライン上に停止させるための停止テーブルＴＢＬ１１が定められ、第３停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められている。
【０４２８】
中ストップボタン２０Ｃが第２停止操作されると、停止テーブルＴＢＬ１１を用いたリール停止制御により、中ストップボタン２０Ｃの操作のタイミングにかかわらず、「ベル」の図柄が有効ライン上に停止する。
【０４２９】
そして、左ストップボタン２０Ｌの第３停止操作に対して、停止テーブルＴＢＬ０７を用いた停止制御により、「赤７」、「青７」、「ＢＡＲ」、「スター１」または「スター２」の図柄が有効ライン上に停止する。
【０４３０】
これにより、第１停止操作が右ストップボタン２０Ｒの操作である場合には、「１枚小役Ｏ」、「１枚小役Ｐ」、「１枚小役Ｗ」、「１枚小役Ｙ」または「１枚小役ＡＡ」に入賞する。
【０４３１】
（２）抽選グループ２に対応するリンクテーブル
内部抽選でメイン基板３１のＣＰＵ４１により乱数生成回路４７から取得された乱数が抽選グループ２に対応づけられている場合、「８枚小役」、「１枚小役Ｃ」、「１枚小役Ｄ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」が当選役として決定される。そして、抽選グループ２に対応するリンクテーブルが使用される。
【０４３２】
（２−１）左第１停止
第１停止操作が左ストップボタン２０Ｌの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０４３３】
第１停止で左リール４Ｌの「ベル」の図柄が有効ライン上に停止した場合、入賞可能性の残る役は、「８枚小役」の１つである。「プラム」の図柄が有効ライン上に停止した場合に入賞可能性の残る役は、「１枚小役Ｃ」および「１枚小役Ｄ」の２つである。「赤７」の図柄が有効ライン上に停止した場合に入賞可能性の残る役は、「１枚小役Ｍ」および「１枚小役Ｏ」の２つである。「青７」の図柄が有効ライン上に停止した場合に入賞可能性の残る役は、「１枚小役Ｎ」および「１枚小役Ｐ」の２つである。「ＢＡＲ」の図柄が有効ライン上に停止した場合に入賞可能性の残る役は、「１枚小役Ｗ」および「１枚小役Ｘ」の２つである。「スター１」の図柄が有効ライン上に停止した場合に入賞可能性の残る役は、「１枚小役Ｙ」および「１枚小役Ｚ」の２つである。「スター２」の図柄が有効ライン上に停止した場合に入賞可能性の残る役は、「１枚小役ＡＡ」および「１枚小役ＡＢ」の２つである。そして、「１枚小役Ｃ」、「１枚小役Ｄ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」の配当数は、いずれも１枚で同じであるから、それらの間に優劣はない。
【０４３４】
そのため、第１停止操作が左ストップボタン２０Ｌの操作である場合に使用されるリンクテーブルでは、組合せ優先のリール制御が実行されるように、第１停止操作に対して用いられる停止テーブルとして、左リール４Ｌの「プラム」の図柄を有効ライン上に停止させるための停止テーブルＴＢＬ０２が定められている。
【０４３５】
左ストップボタン２０Ｌが第１停止操作されると、停止テーブルＴＢＬ０２を用いたリール停止制御により、左ストップボタン２０Ｌの操作のタイミングにかかわらず、「プラム」の図柄が有効ライン上に停止する。
【０４３６】
（２−１−１）左→中→右
第１停止で左リール４Ｌの「プラム」の図柄が有効ライン上に停止したことにより、入賞可能性の残る役は、「１枚小役Ｃ」および「１枚小役Ｄ」となる。そして、その「１枚小役Ｃ」または「１枚小役Ｄ」の入賞は、中リール４Ｃの「赤７」の図柄が有効ライン上に停止し、右リール４Ｒの「青７」または「ＢＡＲ」の図柄が有効ライン上に停止する以外にない。
【０４３７】
そのため、左ストップボタン２０Ｌの第１停止操作に続いて、中ストップボタン２０Ｃの第２停止操作が行われる場合に使用されるリンクテーブルでは、第２停止操作に対して用いられる停止テーブルとして、中リール４Ｃの「赤７」の図柄を有効ライン上に優先的に停止させるための停止テーブルＴＢＬ１３が定められ、第３停止操作に対して用いられる停止テーブルとして、右リール４Ｒの「青７」または「ＢＡＲ」の図柄を有効ライン上に優先的に停止させるための停止テーブルＴＢＬ２４が定められている。
【０４３８】
停止テーブルＴＢＬ１３を用いたリール停止制御により、図柄番号「１４」〜「２１」の図柄が基準位置に位置するタイミングで中ストップボタン２０Ｃが操作された場合には、「赤７」の図柄が有効ライン上に停止し、それ以外のタイミングで中ストップボタン２０Ｃが操作された場合には、「プラム」の図柄が有効ライン上に停止する。
【０４３９】
そして、右ストップボタン２０Ｒの第３停止操作に対して、停止テーブルＴＢＬ２４を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、図柄番号「６」〜「１２」の図柄が基準位置に位置するタイミングで右ストップボタン２０Ｒが操作された場合には、「青７」の図柄が有効ライン上に停止し、それ以外のタイミングで右ストップボタン２０Ｒが操作された場合には、「プラム」の図柄が有効ライン上に停止する。
【０４４０】
（２−１−２）左→右→中
第２停止操作が中ストップボタン２０Ｃの操作である場合と同じ理由により、右ストップボタン２０Ｒの第２停止操作が行われる場合に使用されるリンクテーブルでは、第２停止操作に対して用いられる停止テーブルとして、右リール４Ｒの「青７」または「ＢＡＲ」の図柄を有効ライン上に優先的に停止させるための停止テーブルＴＢＬ２４が定められている。また、第３停止操作に対して用いられる停止テーブルとして、中リール４Ｃの「赤７」の図柄を有効ライン上に優先的に停止させるための停止テーブルＴＢＬ１３が定められている。
【０４４１】
右ストップボタン２０Ｒが第２停止操作されると、停止テーブルＴＢＬ２４を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、図柄番号「６」〜「１２」の図柄が基準位置に位置するタイミングで右ストップボタン２０Ｒが操作された場合には、「青７」の図柄が有効ライン上に停止し、それ以外のタイミングで右ストップボタン２０Ｒが操作された場合には、「プラム」の図柄が有効ライン上に停止する。
【０４４２】
そして、中ストップボタン２０Ｃの第３停止操作に対して、停止テーブルＴＢＬ１３を用いたリール停止制御により、図柄番号「１４」〜「２１」の図柄が基準位置に位置するタイミングで中ストップボタン２０Ｃが操作された場合には、「赤７」の図柄が有効ライン上に停止し、それ以外のタイミングで中ストップボタン２０Ｃが操作された場合には、「プラム」の図柄が有効ライン上に停止する。
【０４４３】
これにより、第１停止操作が左ストップボタン２０Ｌの操作である場合には、「１枚小役Ｃ」または「１枚小役Ｄ」に入賞する可能性があり、「８枚小役」、「１枚小役Ｃ」、「１枚小役Ｄ」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」に入賞する可能性はない。
【０４４４】
（２−２）中第１停止
第１停止操作が中ストップボタン２０Ｃの操作であり、第２停止操作が右ストップボタン２０Ｒの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０４４５】
また、第１停止操作が中ストップボタン２０Ｃの操作であり、第２停止操作が左ストップボタン２０Ｌの操作である場合に使用されるリンクテーブルでは、配当数優先のリール停止制御が実行されるように、左リール４Ｌ、中リール４Ｃおよび右リール４Ｒのリール停止制御に用いる停止テーブルが定められている。
【０４４６】
中リール４Ｃの「ベル」の図柄が有効ライン上に停止した場合に入賞可能性の残る役は、「８枚小役」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」の１１である。「赤７」の図柄が有効ライン上に停止した場合に入賞可能性の残る役は、「１枚小役Ｃ」および「１枚小役Ｄ」の２つである。
【０４４７】
よって、第１停止操作が中ストップボタン２０Ｃの操作である場合に使用されるリンクテーブルでは、組合せ優先または配当数優先のいずれのリール停止制御が実行される場合であっても、第１停止操作に対して用いられる停止テーブルとして、中リール４Ｃの「ベル」の図柄を有効ライン上に停止させるための停止テーブルＴＢＬ１１が定められている。
【０４４８】
中ストップボタン２０Ｃが第１停止操作されると、停止テーブルＴＢＬ１１を用いたリール停止制御により、中ストップボタン２０Ｃの操作のタイミングにかかわらず、「ベル」の図柄が有効ライン上に停止する。
【０４４９】
（２−２−１）中→右→左
第１停止で中リール４Ｃの「ベル」の図柄が有効ライン上に停止したことにより、入賞可能性の残る役は、「８枚小役」、「１枚小役Ｍ」、「１枚小役Ｎ」、「１枚小役Ｏ」、「１枚小役Ｐ」、「１枚小役Ｗ」、「１枚小役Ｘ」、「１枚小役Ｙ」、「１枚小役Ｚ」、「１枚小役ＡＡ」および「１枚小役ＡＢ」となる。
【０４５０】
そして、右リール４Ｒの「ベル」の図柄が有効ライン上に停止した場合に入賞可能性の残る役は、「８枚小役」の１つである。「プラム」の図柄が有効ライン上に停止した場合に入賞可能性の残る役は、「１枚小役Ｏ」、「１枚小役Ｐ」、「１枚小役Ｗ」、「１枚小役Ｙ」および「１枚小役ＡＡ」の５つである。「赤７」の図柄が有効ライン上に停止した場合に入賞可能性の残る役は、「１枚小役Ｍ」、「１枚小役Ｘ」および「１枚小役ＡＢ」の３つである。「青７」の図柄が有効ライン上に停止した場合に入賞可能性の残る役は、「１枚小役Ｎ」および「１枚小役Ｚ」の２つである。
【０４５１】
よって、第２停止操作が右ストップボタン２０Ｒの操作である場合に使用されるリンクテーブルでは、組合せ優先のリール停止制御が実行されるように、第２停止操作に対して用いられる停止テーブルとして、右リール４Ｒの「プラム」の図柄を有効ライン上に停止させるための停止テーブルＴＢＬ２２が定められている。
【０４５２】
「１枚小役Ｏ」、「１枚小役Ｐ」、「１枚小役Ｗ」、「１枚小役Ｙ」および「１枚小役ＡＡ」に対応づけられた図柄の組合せでは、左リール４Ｌの図柄がそれぞれ「赤７」、「青７」、「ＢＡＲ」、「スター１」および「スター２」である。
【０４５３】
そこで、第３停止操作に対して用いられる停止テーブルとして、左リール４Ｌの「赤７」または「青７」の図柄を有効ライン上に優先的に停止させるための停止テーブルＴＢＬ０４が定められている。
【０４５４】
右ストップボタン２０Ｒが第２停止操作されると、停止テーブルＴＢＬ２２を用いたリール停止制御により、右ストップボタン２０Ｒの操作タイミングにかかわらず、「プラム」の図柄が有効ライン上に停止する。
【０４５５】
そして、左ストップボタン２０Ｌの第３停止操作に対して、停止テーブルＴＢＬ０４を用いたリール停止制御により、「赤７」、「青７」または「プラム」の図柄が有効ライン上に停止する。
【０４５６】
これにより、第１停止操作で中ストップボタン２０Ｃが操作され、第２停止操作で右ストップボタン２０Ｒが操作され、第３停止操作で左ストップボタン２０Ｌが操作された場合、「１枚小役Ｏ」、「１枚小役Ｐ」、「１枚小役Ｗ」、「１枚小役Ｙ」または「１枚小役ＡＡ」に入賞する可能性がある。
【０４５７】
（２−２−２）中→左→右
第２停止操作が左ストップボタン２０Ｌの操作である場合に使用されるリンクテーブルは、配当数優先のリール停止制御が実行されるように作成されているので、左リール４Ｌおよび右リール４Ｒの「ベル」の図柄が優先的に有効ライン上に引き込まれるように、そのリンクテーブルでは、左リール４Ｌのリール停止制御に用いられる停止テーブルとして、停止テーブルＴＢＬ０１が定められている。また、右リール４Ｒのリール停止制御に用いられる停止テーブルとして、停止テーブルＴＢＬ２１が定められている。
【０４５８】
左ストップボタン２０Ｌが第２停止操作されると、停止テーブルＴＢＬ０１を用いたリール停止制御により、左ストップボタン２０Ｌの操作のタイミングにかかわらず、「ベル」の図柄が有効ライン上に停止する。
【０４５９】
そして、右ストップボタン２０Ｒの第３停止操作に対して、停止テーブルＴＢＬ２１を用いたリール停止制御により、右ストップボタン２０Ｒの操作のタイミングにかかわらず、「ベル」の図柄が有効ライン上に停止する。
【０４６０】
これにより、第１停止操作で中ストップボタン２０Ｃが操作され、第２停止操作で左ストップボタン２０Ｌが操作され、第３停止操作で右ストップボタン２０Ｒが操作された場合、３個の「ベル」の図柄が有効ライン上に停止し、配当数の最も多い「８枚小役」に入賞となる。この中ストップボタン２０Ｃの第１停止操作、左ストップボタン２０Ｌの第２停止操作および右ストップボタン２０Ｒの第３停止操作の操作順は、抽選グループ２に対して設定された正解押し順である。
【０４６１】
（２−３）右第１停止
第１停止操作が右ストップボタン２０Ｒの操作である場合に使用されるリンクテーブルでは、表示数優先のリール停止制御が実行されるように、左リール４Ｌ、中リール４Ｃおよび右リール４Ｒのリール停止制御に用いる停止テーブルが定められている。
【０４６２】
右リール４Ｒの「ベル」の図柄が有効ライン上に停止した場合に入賞可能性の残る役は、「８枚小役」の１つである。「プラム」の図柄が有効ライン上に停止した場合に入賞可能性の残る役は、「１枚小役Ｏ」、「１枚小役Ｐ」、「１枚小役Ｗ」、「１枚小役Ｙ」および「１枚小役ＡＡ」の５つである。「赤７」の図柄が有効ライン上に停止した場合に入賞可能性の残る役は、「１枚小役Ｍ」、「１枚小役Ｘ」および「１枚小役ＡＢ」の３つである。「青７」の図柄が有効ライン上に停止した場合に入賞可能性の残る役は、「１枚小役Ｎ」および「１枚小役Ｚ」の２つである。
【０４６３】
よって、第１停止操作が右ストップボタン２０Ｒの操作である場合に使用されるリンクテーブルでは、組合せ優先のリール停止制御が実行されるように、第１停止操作に対して用いられる停止テーブルとして、右リール４Ｒの「プラム」の図柄を有効ライン上に停止させるための停止テーブルＴＢＬ２２が定められている。
【０４６４】
右ストップボタン２０Ｒが第１停止操作されると、停止テーブルＴＢＬ２２を用いたリール停止制御により、右ストップボタン２０Ｒの操作のタイミングにかかわらず、「プラム」の図柄が有効ライン上に停止する。
【０４６５】
（２−３−１）右→左→中
第１停止で右リール４Ｒの「プラム」の図柄が有効ライン上に停止した場合、「１枚小役Ｏ」、「１枚小役Ｐ」、「１枚小役Ｗ」、「１枚小役Ｙ」および「１枚小役ＡＡ」の入賞の可能性が残る。「１枚小役Ｏ」、「１枚小役Ｐ」、「１枚小役Ｗ」、「１枚小役Ｙ」および「１枚小役ＡＡ」に対応づけられた図柄の組合せでは、左リール４Ｌの図柄がそれぞれ「赤７」、「青７」、「ＢＡＲ」、「スター１」および「スター２」の図柄であり、中リール４Ｃの図柄が「ベル」である。
【０４６６】
そのため、右ストップボタン２０Ｒの第１停止操作に続いて、左ストップボタン２０Ｌの第２停止操作が行われる場合に使用されるリンクテーブルでは、第２停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められ、第３停止操作に対して用いられる停止テーブルとして、中リール４Ｃの「ベル」の図柄を有効ライン上に停止させるための停止テーブルＴＢＬ１１が定められている。
【０４６７】
左ストップボタン２０Ｌが第２停止操作されると、停止テーブルＴＢＬ０７を用いたリール停止制御により、「赤７」、「青７」、「ＢＡＲ」、「スター１」または「スター２」の図柄が有効ライン上に停止する。
【０４６８】
そして、中ストップボタン２０Ｃの第３停止操作に対して、停止テーブルＴＢＬ１１を用いたリール停止制御により、中ストップボタン２０Ｃの操作のタイミングにかかわらず、「ベル」の図柄が有効ライン上に停止する。
【０４６９】
（２−３−２）右→中→左
第２停止操作が左ストップボタン２０Ｌの操作である場合と同じ理由により、第２停止操作が中ストップボタン２０Ｃの操作である場合に使用されるリンクテーブルでは、第２停止操作に対して用いられる停止テーブルとして、中リール４Ｃの「ベル」の図柄を有効ライン上に停止させるための停止テーブルＴＢＬ１１が定められ、第３停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められている。
【０４７０】
中ストップボタン２０Ｃが第２停止操作されると、停止テーブルＴＢＬ１１を用いたリール停止制御により、中ストップボタン２０Ｃの操作のタイミングにかかわらず、「ベル」の図柄が有効ライン上に停止する。
【０４７１】
そして、左ストップボタン２０Ｌの第３停止操作に対して、停止テーブルＴＢＬ０７を用いた停止制御により、「赤７」、「青７」、「ＢＡＲ」、「スター１」または「スター２」の図柄が有効ライン上に停止する。
【０４７２】
これにより、第１停止操作が右ストップボタン２０Ｒの操作である場合には、「１枚小役Ｏ」、「１枚小役Ｐ」、「１枚小役Ｗ」、「１枚小役Ｙ」または「１枚小役ＡＡ」に入賞する。
【０４７３】
（３）抽選グループ３に対応するリンクテーブル
内部抽選でメイン基板３１のＣＰＵ４１により乱数生成回路４７から取得された乱数が抽選グループ３に対応づけられている場合、「８枚小役」、「１枚小役Ｅ」、「１枚小役Ｆ」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」が当選役として決定される。そして、抽選グループ３に対応するリンクテーブルが使用される。
【０４７４】
（３−１）左第１停止
第１停止操作が左ストップボタン２０Ｌの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０４７５】
第１停止で左リール４Ｌの「ベル」の図柄が有効ライン上に停止した場合、入賞可能性の残る役は、「８枚小役」の１つである。「プラム」の図柄が有効ライン上に停止した場合に入賞可能性の残る役は、「１枚小役Ｅ」および「１枚小役Ｆ」の２つである。「赤７」の図柄が有効ライン上に停止した場合に入賞可能性の残る役は、「１枚小役Ｑ」および「１枚小役Ｓ」の２つである。「青７」の図柄が有効ライン上に停止した場合に入賞可能性の残る役は、「１枚小役Ｒ」および「１枚小役Ｔ」の２つである。「ＢＡＲ」の図柄が有効ライン上に停止した場合に入賞可能性の残る役は、「１枚小役ＡＣ」および「１枚小役ＡＤ」の２つである。「スター１」の図柄が有効ライン上に停止した場合に入賞可能性の残る役は、「１枚小役ＡＥ」および「１枚小役ＡＦ」の２つである。「スター２」の図柄が有効ライン上に停止した場合に入賞可能性の残る役は、「１枚小役ＡＧ」および「１枚小役ＡＨ」の２つである。そして、「１枚小役Ｅ」、「１枚小役Ｆ」、「１枚小役Ｑ」、「１枚小役Ｒ」、「１枚小役Ｓ」、「１枚小役ＡＣ」、「１枚小役ＡＤ」、「１枚小役ＡＥ」、「１枚小役ＡＦ」、「１枚小役ＡＧ」および「１枚小役ＡＨ」の配当数は、いずれも１枚で同じであるから、それらの間に優劣はない。
【０４７６】
そのため、第１停止操作が左ストップボタン２０Ｌの操作である場合に使用されるリンクテーブルでは、組合せ優先のリール停止制御が実行されるように、第１停止操作に対して用いられる停止テーブルとして、左リール４Ｌの「プラム」の図柄を有効ライン上に停止させるための停止テーブルＴＢＬ０２が定められている。
【０４７７】
左ストップボタン２０Ｌが第１停止操作されると、停止テーブルＴＢＬ０２を用いたリール停止制御により、左ストップボタン２０Ｌの操作のタイミングにかかわらず、「プラム」の図柄が有効ライン上に停止する。
【０４７８】
（３−１−１）左→中→右
第１停止で左リール４Ｌの「プラム」の図柄が有効ライン上に停止したことにより、入賞可能性の残る役は、「１枚小役Ｅ」および「１枚小役Ｆ」となる。そして、その「１枚小役Ｅ」または「１枚小役Ｆ」の入賞は、中リール４Ｃの「青７」の図柄が有効ライン上に停止し、右リール４Ｒの「赤７」または「ブランク」の図柄が有効ライン上に停止する以外にない。
【０４７９】
そのため、左ストップボタン２０Ｌの第１停止操作に続いて、中ストップボタン２０Ｃの第２停止操作が行われる場合に使用されるリンクテーブルでは、第２停止操作に対して用いられる停止テーブルとして、中リール４Ｃの「青７」の図柄を有効ライン上に優先的に停止させるための停止テーブルＴＢＬ１４が定められ、第３停止操作に対して用いられる停止テーブルとして、右リール４Ｒの「赤７」または「ブランク」の図柄を有効ライン上に優先的に停止させるための停止テーブルＴＢＬ２３が定められている。
【０４８０】
停止テーブルＴＢＬ１４を用いたリール停止制御により、図柄番号「６」〜「１３」の図柄が基準位置に位置するタイミングで中ストップボタン２０Ｃが操作された場合には、「青７」の図柄が有効ライン上に停止し、それ以外のタイミングで中ストップボタン２０Ｃが操作された場合には、「プラム」の図柄が有効ライン上に停止する。
【０４８１】
そして、右ストップボタン２０Ｒの第３停止操作に対しては、停止テーブルＴＢＬ２３を用いたリール停止制御により、図柄番号「１９」〜「２１」の図柄が基準位置に位置するタイミングで右ストップボタン２０Ｒが操作された場合には、「赤７」の図柄が有効ライン上に停止し、図柄番号「１３」〜「１７」の図柄が基準位置に位置するタイミングで右ストップボタン２０Ｒが操作された場合には、「ブランク」の図柄が有効ライン上に停止し、それ以外のタイミングで右ストップボタン２０Ｒが操作された場合には、「プラム」の図柄が有効ライン上に停止する。
【０４８２】
（３−１−２）左→右→中
第２停止操作が中ストップボタン２０Ｃの操作である場合と同じ理由により、第２停止操作が右ストップボタン２０Ｒの操作である場合に使用されるリンクテーブルでは、第２停止操作に対して用いられる停止テーブルとして、右リール４Ｒの「赤７」または「ブランク」の図柄を有効ライン上に優先的に停止させるための停止テーブルＴＢＬ２３が定められている。また、第３停止操作に対して用いられる停止テーブルとして、中リール４Ｃの「青７」の図柄を有効ライン上に優先的に停止させるための停止テーブルＴＢＬ１４が定められている。
【０４８３】
右ストップボタン２０Ｒが第２停止操作されると、停止テーブルＴＢＬ２３を用いたリール停止制御により、図柄番号「１９」〜「２１」の図柄が基準位置に位置するタイミングで右ストップボタン２０Ｒが操作された場合には、「赤７」の図柄が有効ライン上に停止し、図柄番号「１３」〜「１７」の図柄が基準位置に位置するタイミングで右ストップボタン２０Ｒが操作された場合には、「ブランク」の図柄が有効ライン上に停止し、それ以外のタイミングで右ストップボタン２０Ｒが操作された場合には、「プラム」の図柄が有効ライン上に停止する。
【０４８４】
そして、中ストップボタン２０Ｃの第３停止操作に対して、停止テーブルＴＢＬ１４を用いたリール停止制御により、図柄番号「６」〜「１３」の図柄が基準位置に位置するタイミングで中ストップボタン２０Ｃが操作された場合には、「青７」の図柄が有効ライン上に停止し、それ以外のタイミングで中ストップボタン２０Ｃが操作された場合には、「プラム」の図柄が有効ライン上に停止する。
【０４８５】
これにより、第１停止操作が左ストップボタン２０Ｌの操作である場合には、「１枚小役Ｅ」または「１枚小役Ｆ」に入賞する可能性があり、「８枚小役」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」に入賞する可能性はない。
【０４８６】
（３−２）中第１停止
第１停止操作が中ストップボタン２０Ｃの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０４８７】
中リール４Ｃの「ベル」の図柄が有効ライン上に停止した場合に入賞可能性の残る役は、「８枚小役」の１つである。「プラム」の図柄が有効ライン上に停止した場合に入賞可能性の残る役は、「１枚小役Ｓ」、「１枚小役Ｔ」、「１枚小役ＡＣ」、「１枚小役ＡＥ」および「１枚小役ＡＧ」の５つである。「赤７」の図柄が有効ライン上に停止した場合に入賞可能性の残る役は、「１枚小役Ｑ」、「１枚小役ＡＤ」および「１枚小役ＡＨ」の３つである。「青７」の図柄が有効ライン上に停止した場合に入賞可能性の残る役は、「１枚小役Ｒ」および「１枚小役ＡＦ」の２つである。
【０４８８】
よって、第１停止操作が中ストップボタン２０Ｃの操作である場合に使用されるリンクテーブルでは、組合せ優先のリール停止制御が実行されるように、第１停止操作に対して用いられる停止テーブルとして、中リール４Ｃの「プラム」の図柄を有効ライン上に引き込む停止テーブルＴＢＬ１２が定められている。
【０４８９】
中ストップボタン２０Ｃが第１停止操作されると、停止テーブルＴＢＬ１２を用いたリール停止制御により、中ストップボタン２０Ｃの操作のタイミングにかかわらず、中リール４Ｃの「プラム」の図柄が有効ライン上に停止する。
【０４９０】
（３−２−１）中→右→左
第１停止で中リール４Ｃの「プラム」の図柄が有効ライン上に停止することにより、入賞可能性の残る役は、「１枚小役Ｓ」、「１枚小役Ｔ」、「１枚小役ＡＣ」、「１枚小役ＡＥ」および「１枚小役ＡＧ」である。そして、「１枚小役Ｓ」、「１枚小役Ｔ」、「１枚小役ＡＣ」、「１枚小役ＡＥ」および「１枚小役ＡＧ」にそれぞれ対応づけられた図柄の組合せでは、右リール４Ｒの図柄が「ベル」の図柄である。また、「１枚小役Ｓ」、「１枚小役Ｔ」、「１枚小役ＡＣ」、「１枚小役ＡＥ」および「１枚小役ＡＧ」に対応づけられた図柄の組合せでは、左リール４Ｌの図柄がそれぞれ「赤７」、「青７」、「ＢＡＲ」、「スター１」および「スター２」の図柄である。
【０４９１】
よって、第２停止操作が右ストップボタン２０Ｒの操作である場合に使用されるリンクテーブルでは、第２停止操作に対して用いられる停止テーブルとして、右リール４Ｒの「ベル」の図柄を有効ライン上に引き込む停止テーブルＴＢＬ２１が定められ、第３停止操作に対して用いられる停止テーブルとして、左リール４Ｌの「赤７」、「青７」、「ＢＡＲ」、「スター１」または「スター２」のいずれかの図柄を有効ライン上に引き込む停止テーブルＴＢＬ０７が定められている。
【０４９２】
右ストップボタン２０Ｒが第２停止操作されると、停止テーブルＴＢＬ２１を用いたリール停止制御により、右ストップボタン２０Ｒの操作のタイミングにかかわらず、「ベル」の図柄が有効ライン上に停止する。
【０４９３】
そして、左ストップボタン２０Ｌの第３停止操作に対して、停止テーブルＴＢＬ０７を用いたリール停止制御により、「赤７」、「青７」、「ＢＡＲ」、「スター１」または「スター２」の図柄が有効ライン上に停止する。
【０４９４】
（３−２−２）中→左→右
第２停止操作が右ストップボタン２０Ｒの操作である場合と同じ理由により、第２停止操作が左ストップボタン２０Ｌの操作である場合に使用されるリンクテーブルでは、第２停止操作に対して用いられる停止テーブルとして、左リール４Ｌの「赤７」、「青７」、「ＢＡＲ」、「スター１」または「スター２」のいずれかの図柄を有効ライン上に引き込む停止テーブルＴＢＬ０７が定められ、第３停止操作に対して用いられる停止テーブルとして、右リール４Ｒの「ベル」の図柄を有効ライン上に引き込む停止テーブルＴＢＬ２１が定められている。
【０４９５】
左ストップボタン２０Ｌが第２停止操作されると、停止テーブルＴＢＬ０７を用いたリール停止制御により、「赤７」、「青７」、「ＢＡＲ」、「スター１」または「スター２」の図柄が有効ライン上に停止する。
【０４９６】
そして、右ストップボタン２０Ｒの第３停止操作に対して、停止テーブルＴＢＬ２１を用いたリール停止制御により、右ストップボタン２０Ｒの操作のタイミングにかかわらず、「ベル」の図柄が有効ライン上に停止する。
【０４９７】
これにより、第１停止操作で中ストップボタン２０Ｃが操作された場合、「１枚小役Ｓ」、「１枚小役Ｔ」、「１枚小役ＡＣ」、「１枚小役ＡＥ」または「１枚小役ＡＧ」に入賞する。
【０４９８】
（３−３）右第１停止
第１停止操作が右ストップボタン２０Ｒの操作であり、第２停止操作が左ストップボタン２０Ｌの操作である場合に使用されるリンクテーブルでは、配当数優先のリール停止制御が実行されるように、左リール４Ｌ、中リール４Ｃおよび右リール４Ｒのリール停止制御に用いる停止テーブルが定められている。
【０４９９】
また、第１停止操作が右ストップボタン２０Ｒの操作であり、第２停止操作が中ストップボタン２０Ｃの操作である場合に使用されるリンクテーブルでは、組合せ優先のリール停止制御が実行されるように、左リール４Ｌ、中リール４Ｃおよび右リール４Ｒのリール停止制御に用いる停止テーブルが定められている。
【０５００】
右リール４Ｒの「ベル」の図柄が有効ライン上に停止した場合に入賞可能性の残る役は、「８枚小役」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」の１１である。「赤７」の図柄が有効ライン上に停止した場合に入賞可能性の残る役は、「１枚小役Ｅ」の１つである。「ブランク」の図柄が有効ライン上に停止した場合に入賞可能性の残る役は、「１枚小役Ｆ」の１つである。
【０５０１】
よって、第１停止操作が右ストップボタン２０Ｒの操作である場合に使用されるリンクテーブルでは、配当数優先または組合せ優先のいずれのリール停止制御が実行される場合であっても、第１停止操作に対して用いられる停止テーブルとして、「ベル」の図柄を有効ライン上に引き込む停止テーブルＴＢＬ２１が定められている。
【０５０２】
。右ストップボタン２０Ｒが第１停止操作されると、停止テーブルＴＢＬ２１を用いたリール停止制御により、右ストップボタン２０Ｒの操作のタイミングにかかわらず、「ベル」の図柄が有効ライン上に停止する。
【０５０３】
（３−３−１）右→左→中
第２停止操作が左ストップボタン２０Ｌの操作である場合に使用されるリンクテーブルは、配当数優先のリール停止制御が実行されるように作成されているので、左リール４Ｌおよび中リール４Ｃの「ベル」の図柄が優先的に有効ライン上に引き込まれるように、そのリンクテーブルでは、左リール４Ｌのリール停止制御に用いられる停止テーブルとして、停止テーブルＴＢＬ０１が定められている。また、中リール４Ｃのリール停止制御に用いられる停止テーブルとして、停止テーブルＴＢＬ１１が定められている。
【０５０４】
左ストップボタン２０Ｌが第２停止操作されると、停止テーブルＴＢＬ０１を用いたリール停止制御により、左ストップボタン２０Ｌの操作のタイミングにかかわらず、「ベル」の図柄が有効ライン上に停止する。
【０５０５】
そして、中ストップボタン２０Ｃの第３停止操作に対して、停止テーブルＴＢＬ１１を用いたリール停止制御により、中ストップボタン２０Ｃの操作のタイミングにかかわらず、「ベル」の図柄が有効ライン上に停止する。
【０５０６】
これにより、第１停止操作で右ストップボタン２０Ｒが操作され、第２停止操作で左ストップボタン２０Ｌが操作され、第３停止操作で中ストップボタン２０Ｃが操作された場合、３個の「ベル」の図柄が有効ライン上に停止し、配当数の最も多い「８枚小役」に入賞となる。この右ストップボタン２０Ｒの第１停止操作、左ストップボタン２０Ｌの第２停止操作および中ストップボタン２０Ｃの第３停止操作の操作順は、抽選グループ３に対して設定された正解押し順である。
【０５０７】
（３−３−２）右→中→左
第１停止で右リール４Ｒの「ベル」の図柄が有効ライン上に停止したことにより、入賞可能性の残る役は、「８枚小役」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」となる。
【０５０８】
そして、中リール４Ｃの「ベル」の図柄が有効ライン上に停止した場合に入賞可能性の残る役は、「８枚小役」の１つである。「プラム」の図柄が有効ライン上に停止した場合に入賞可能性の残る役は、「１枚小役Ｓ」、「１枚小役Ｔ」、「１枚小役ＡＣ」、「１枚小役ＡＥ」および「１枚小役ＡＧ」の５つである。「赤７」の図柄が有効ライン上に停止した場合に入賞可能性の残る役は、「１枚小役Ｑ」、「１枚小役ＡＤ」および「１枚小役ＡＨ」の３つである。「青７」の図柄が有効ライン上に停止した場合に入賞可能性の残る役は、「１枚小役Ｒ」および「１枚小役ＡＦ」の２つである。
【０５０９】
よって、第２停止操作が中ストップボタン２０Ｃの操作である場合に使用されるリンクテーブルでは、組合せ優先のリール停止制御が実行されるように、第２停止操作に対して用いられる停止テーブルとして、中リール４Ｃの「プラム」の図柄を有効ライン上に引き込む停止テーブルＴＢＬ１２が定められている。
【０５１０】
そして、「１枚小役Ｓ」に対応づけられた図柄の組合せでは、左リール４Ｌの図柄が「赤７」の図柄である。また、「１枚小役Ｔ」に対応づけられた図柄の組合せでは、左リール４Ｌの図柄が「青７」の図柄である。「１枚小役ＡＣ」に対応づけられた図柄の組合せでは、左リール４Ｌの図柄が「ＢＡＲ」の図柄である。「１枚小役ＡＥ」に対応づけられた図柄の組合せでは、左リール４Ｌの図柄が「スター１」の図柄である。「１枚小役ＡＧ」に対応づけられた図柄の組合せでは、左リール４Ｌの図柄が「スター２」の図柄である。
【０５１１】
そこで、第３停止操作が中ストップボタン２０Ｃの操作である場合に使用されるリンクテーブルでは、第３停止操作に対して用いられる停止テーブルとして、左リール４Ｌの「赤７」または「青７」の図柄を有効ライン上に優先的に停止させるための停止テーブルＴＢＬ０４が定められている。
【０５１２】
中ストップボタン２０Ｃが第２停止操作されると、停止テーブルＴＢＬ１２を用いたリール停止制御により、「プラム」の図柄が有効ライン上に停止する。
【０５１３】
そして、左ストップボタン２０Ｌの第３停止操作に対して、停止テーブルＴＢＬ０４を用いたリール停止制御により、左リール４Ｌの「赤７」、「青７」または「プラム」の図柄が有効ライン上に停止する。
【０５１４】
これにより、第１停止操作で右ストップボタン２０Ｒが操作され、第２停止操作で中ストップボタン２０Ｃが操作され、第３停止操作で左ストップボタン２０Ｌが操作された場合には、「１枚小役Ｓ」、「１枚小役Ｔ」、「１枚小役ＡＣ」、「１枚小役ＡＥ」または「１枚小役ＡＧ」に入賞する可能性がある。
【０５１５】
（４）抽選グループ４に対応するリンクテーブル
内部抽選でメイン基板３１のＣＰＵ４１により乱数生成回路４７から取得された乱数が抽選グループ４に対応づけられている場合、「８枚小役」、「１枚小役Ｇ」、「１枚小役Ｈ」、「１枚小役Ｑ」、「１枚小役Ｒ」、「１枚小役Ｓ」、「１枚小役ＡＣ」、「１枚小役ＡＤ」、「１枚小役ＡＥ」、「１枚小役ＡＦ」、「１枚小役ＡＧ」および「１枚小役ＡＨ」が当選役として決定される。そして、抽選グループ４に対応するリンクテーブルが使用される。
【０５１６】
（４−１）左第１停止
第１停止操作が左ストップボタン２０Ｌの操作である場合に使用されるリンクテーブルでは、組合せ優先のリール停止制御が実行されるように、左リール４Ｌ、中リール４Ｃおよび右リール４Ｒのリール停止制御のそれぞれに用いる停止テーブルが定められている。
【０５１７】
第１停止で左リール４Ｌの「ベル」の図柄が有効ライン上に停止した場合、入賞可能性の残る役は、「８枚小役」の１つである。「プラム」の図柄が有効ライン上に停止した場合に入賞可能性の残る役は、「１枚小役Ｇ」および「１枚小役Ｈ」の２つである。「赤７」の図柄が有効ライン上に停止した場合に入賞可能性の残る役は、「１枚小役Ｑ」および「１枚小役Ｓ」の２つである。「青７」の図柄が有効ライン上に停止した場合に入賞可能性の残る役は、「１枚小役Ｒ」および「１枚小役Ｔ」の２つである。「ＢＡＲ」の図柄が有効ライン上に停止した場合に入賞可能性の残る役は、「１枚小役ＡＣ」および「１枚小役ＡＤ」の２つである。「スター１」の図柄が有効ライン上に停止した場合に入賞可能性の残る役は、「１枚小役ＡＥ」および「１枚小役ＡＦ」の２つである。「スター２」の図柄が有効ライン上に停止した場合に入賞可能性の残る役は、「１枚小役ＡＧ」および「１枚小役ＡＨ」の２つである。そして、「１枚小役Ｇ」、「１枚小役Ｈ」、「１枚小役Ｑ」、「１枚小役Ｒ」、「１枚小役Ｓ」、「１枚小役ＡＣ」、「１枚小役ＡＤ」、「１枚小役ＡＥ」、「１枚小役ＡＦ」、「１枚小役ＡＧ」および「１枚小役ＡＨ」の配当数は、いずれも１枚で同じであるから、それらの間に優劣はない。
【０５１８】
そのため、第１停止操作が左ストップボタン２０Ｌの操作である場合に使用されるリンクテーブルでは、組合せ優先のリール停止制御が実行されるように、第１停止操作に対して用いられる停止テーブルとして、「プラム」の図柄を有効ライン上に停止させるための停止テーブルＴＢＬ０２が定められている。
【０５１９】
左ストップボタン２０Ｌが第１停止操作されると、停止テーブルＴＢＬ０２を用いたリール停止制御により、左ストップボタン２０Ｌの操作のタイミングにかかわらず、「プラム」の図柄が有効ライン上に停止する。
【０５２０】
（４−１−１）左→中→右
第１停止で左リール４Ｌの「プラム」の図柄が有効ライン上に停止したことにより、入賞可能性の残る役は、「１枚小役Ｇ」および「１枚小役Ｈ」となる。そして、その「１枚小役Ｇ」または「１枚小役Ｈ」の入賞は、中リール４Ｃの「青７」の図柄が有効ライン上に停止し、右リール４Ｒの「青７」または「ＢＡＲ」の図柄が有効ライン上に停止する以外にない。
【０５２１】
そのため、左ストップボタン２０Ｌの第１停止操作に続いて、中ストップボタン２０Ｃの第２停止操作が行われる場合に使用されるリンクテーブルでは、第２停止操作に対して用いられる停止テーブルとして、中リール４Ｃの「青７」の図柄を有効ライン上に優先的に停止させるための停止テーブルＴＢＬ１４が定められ、第３停止操作に対して用いられる停止テーブルとして、右リール４Ｒの「青７」または「ＢＡＲ」の図柄を有効ライン上に優先的に停止させるための停止テーブルＴＢＬ２４が定められている。
【０５２２】
中ストップボタン２０Ｃが第２停止操作されると、停止テーブルＴＢＬ１４を用いたリール停止制御により、図柄番号「６」〜「１３」の図柄が基準位置に位置するタイミングで中ストップボタン２０Ｃが操作された場合には、「青７」の図柄が有効ライン上に停止し、それ以外のタイミングで中ストップボタン２０Ｃが操作された場合には、「プラム」の図柄が有効ライン上に停止する。
【０５２３】
そして、右ストップボタン２０Ｒの第３停止操作に対して、停止テーブルＴＢＬ２４を用いたリール停止制御により、図柄番号「６」〜「１２」の図柄が基準位置に位置するタイミングで右ストップボタン２０Ｒが操作された場合には、「青７」の図柄が有効ライン上に停止し、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「プラム」の図柄が有効ライン上に停止する。
【０５２４】
（４−１−２）左→右→中
第２停止操作が中ストップボタン２０Ｃの操作である場合と同じ理由により、第２停止操作が右ストップボタン２０Ｒの操作が行われる場合に使用されるリンクテーブルでは、第２停止操作に対して用いられる停止テーブルとして、右リール４Ｒの「青７」または「ＢＡＲ」の図柄を有効ライン上に優先的に停止させるための停止テーブルＴＢＬ２４が定められている。また、第３停止操作に対して用いられる停止テーブルとして、中リール４Ｃの「青７」の図柄を有効ライン上に優先的に停止させるための停止テーブルＴＢＬ１４が定められている。
【０５２５】
右ストップボタン２０Ｒが第２停止操作されると、停止テーブルＴＢＬ２４を用いたリール停止制御により、図柄番号「６」〜「１２」の図柄が基準位置に位置するタイミングで右ストップボタン２０Ｒが操作された場合には、「青７」の図柄が有効ライン上に停止し、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「プラム」の図柄が有効ライン上に停止する。
【０５２６】
そして、中ストップボタン２０Ｃの第３停止操作に対して、停止テーブルＴＢＬ１４を用いたリール停止制御により、図柄番号「６」〜「１３」の図柄が基準位置に位置するタイミングで中ストップボタン２０Ｃが操作された場合には、「青７」の図柄が有効ライン上に停止し、それ以外のタイミングで中ストップボタン２０Ｃが操作された場合には、「プラム」の図柄が有効ライン上に停止する。
【０５２７】
これにより、第１停止操作が左ストップボタン２０Ｌの操作である場合には、「１枚小役Ｇ」または「１枚小役Ｈ」に入賞する可能性があり、「８枚小役」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」に入賞する可能性はない。
【０５２８】
（４−２）中第１停止
第１停止操作が中ストップボタン２０Ｃの操作である場合に使用されるリンクテーブルでは、組合せ優先のリール停止制御が実行されるように、左リール４Ｌ、中リール４Ｃおよび右リール４Ｒのリール停止制御のそれぞれに用いる停止テーブルが定められている。
【０５２９】
中リール４Ｃの「ベル」の図柄が有効ライン上に停止した場合に入賞可能性の残る役は、「８枚小役」の１つである。「プラム」の図柄が有効ライン上に停止した場合に入賞可能性の残る役は、「１枚小役Ｓ」、「１枚小役Ｔ」、「１枚小役ＡＣ」、「１枚小役ＡＥ」および「１枚小役ＡＧ」の５つである。「赤７」の図柄が有効ライン上に停止した場合に入賞可能性の残る役は、「１枚小役Ｑ」、「１枚小役ＡＤ」および「１枚小役ＡＨ」の３つである。「青７」の図柄が有効ライン上に停止した場合に入賞可能性の残る役は、「１枚小役Ｒ」および「１枚小役ＡＦ」の２つである。
【０５３０】
よって、第１停止操作が中ストップボタン２０Ｃの操作である場合に使用されるリンクテーブルでは、組合せ優先のリール停止制御が実行されるように、第１停止操作に対して用いられる停止テーブルとして、「プラム」の図柄を有効ライン上に引き込む停止テーブルＴＢＬ１２が定められている。
【０５３１】
中ストップボタン２０Ｃが第１停止操作されると、停止テーブルＴＢＬ１２を用いたリール停止制御により、中ストップボタン２０Ｃの操作のタイミングにかかわらず、中リール４Ｃの「プラム」の図柄が有効ライン上に停止する。
【０５３２】
（４−２−１）中→右→左
第１停止で中リール４Ｃの「プラム」の図柄が有効ライン上に停止したことにより、入賞可能性の残る役は、「１枚小役Ｓ」、「１枚小役Ｔ」、「１枚小役ＡＣ」、「１枚小役ＡＥ」および「１枚小役ＡＧ」となる。そして、「１枚小役Ｓ」、「１枚小役Ｔ」、「１枚小役ＡＣ」、「１枚小役ＡＥ」および「１枚小役ＡＧ」にそれぞれ対応づけられた図柄の組合せでは、右リール４Ｒの図柄が「ベル」の図柄である。また、「１枚小役Ｓ」、「１枚小役Ｔ」、「１枚小役ＡＣ」、「１枚小役ＡＥ」および「１枚小役ＡＧ」に対応づけられた図柄の組合せでは、左リール４Ｌの図柄がそれぞれ「赤７」、「青７」、「ＢＡＲ」、「スター１」および「スター２」の図柄である。
【０５３３】
よって、第２停止操作が右ストップボタン２０Ｒの操作である場合に使用されるリンクテーブルでは、第２停止操作に対して用いられる停止テーブルとして、右リール４Ｒの「ベル」の図柄を有効ライン上に引き込む停止テーブルＴＢＬ２１が定められ、第３停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められている。
【０５３４】
右ストップボタン２０Ｒが第２停止操作されると、停止テーブルＴＢＬ２１を用いたリール停止制御により、右ストップボタン２０Ｒの操作のタイミングにかかわらず、「ベル」の図柄が有効ライン上に停止する。
【０５３５】
そして、左ストップボタン２０Ｌの第３停止操作に対して、停止テーブルＴＢＬ０７を用いたリール停止制御により、「赤７」、「青７」、「ＢＡＲ」、「スター１」または「スター２」の図柄が有効ライン上に停止する。
【０５３６】
（４−２−２）中→左→右
第２停止操作が右ストップボタン２０Ｒの操作である場合と同じ理由により、第２停止操作が左ストップボタン２０Ｌの操作である場合に使用されるリンクテーブルでは、第２停止操作に対して用いられる停止テーブルとして、「赤７」、「青７」、「ＢＡＲ」、「スター１」または「スター２」のいずれかの図柄を有効ライン上に停止させるための停止テーブルＴＢＬ０７が定められ、第３停止操作に対して用いられる停止テーブルとして、右リール４Ｒの「ベル」の図柄を有効ライン上に停止させるための停止テーブルＴＢＬ２１が定められている。
【０５３７】
左ストップボタン２０Ｌが第２停止操作されると、停止テーブルＴＢＬ０７を用いたリール停止制御により、「赤７」、「青７」、「ＢＡＲ」、「スター１」または「スター２」の図柄が有効ライン上に停止する。
【０５３８】
そして、右ストップボタン２０Ｒの第３停止操作に対して、停止テーブルＴＢＬ２１を用いたリール停止制御により、右ストップボタン２０Ｒの操作のタイミングにかかわらず、「ベル」の図柄が有効ライン上に停止する。
【０５３９】
これにより、第１停止操作で中ストップボタン２０Ｃが操作された場合、「１枚小役Ｓ」、「１枚小役Ｔ」、「１枚小役ＡＣ」、「１枚小役ＡＥ」または「１枚小役ＡＧ」に入賞する。
【０５４０】
（４−３）右第１停止
第１停止操作が右ストップボタン２０Ｒの操作であり、第２停止操作が左ストップボタン２０Ｌの操作である場合に使用されるリンクテーブルでは、組合せ優先のリール停止制御が実行されるように、左リール４Ｌ、中リール４Ｃおよび右リール４Ｒのリール停止制御のそれぞれに用いる停止テーブルが定められている。
【０５４１】
また、第１停止操作が右ストップボタン２０Ｒの操作であり、第２停止操作が中ストップボタン２０Ｃの操作である場合に使用されるリンクテーブルでは、配当数優先のリール停止制御が実行されるように、左リール４Ｌ、中リール４Ｃおよび右リール４Ｒのリール停止制御のそれぞれに用いる停止テーブルが定められている。
【０５４２】
右リール４Ｒの「ベル」の図柄が有効ライン上に停止した場合に入賞可能性の残る役は、「８枚小役」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」の１１である。「青７」の図柄が有効ライン上に停止した場合に入賞可能性の残る役は、「１枚小役Ｇ」の１つである。「ＢＡＲ」の図柄が有効ライン上に停止した場合に入賞可能性の残る役は、「１枚小役Ｈ」の１つである。
【０５４３】
よって、第１停止操作が右ストップボタン２０Ｒの操作である場合に使用されるリンクテーブルでは、配当数優先または組合せ優先のいずれのリール停止制御が実行される場合であっても、第１停止操作に対して用いられる停止テーブルとして、右リール４Ｒの「ベル」の図柄を有効ライン上に引き込む停止テーブルＴＢＬ２１が定められている。
【０５４４】
右ストップボタン２０Ｒが第１停止操作されると、停止テーブルＴＢＬ２１を用いたリール停止制御により、右ストップボタン２０Ｒの操作のタイミングにかかわらず、「ベル」の図柄が有効ライン上に停止する。
【０５４５】
（４−３−１）右→左→中
第１停止で右リール４Ｒの「ベル」の図柄が有効ライン上に停止したことにより、入賞可能性の残る役は、「８枚小役」、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」となる。
【０５４６】
そして、左リール４Ｌの「ベル」の図柄が有効ライン上に停止した場合に入賞可能性の残る役は、「８枚小役」の１つである。「赤７」の図柄が有効ライン上に停止した場合に入賞可能性の残る役は、「１枚小役Ｑ」および「１枚小役Ｓ」の２つである。「青７」の図柄が有効ライン上に停止した場合に入賞可能性の残る役は、「１枚小役Ｒ」および「１枚小役Ｔ」の２つである。「ＢＡＲ」の図柄が有効ライン上に停止した場合に入賞可能性の残る役は、「１枚小役ＡＣ」および「１枚小役ＡＤ」の２つである。「スター１」の図柄が有効ライン上に停止した場合に入賞可能性の残る役は、「１枚小役ＡＥ」および「１枚小役ＡＦ」の２つである。「スター２」の図柄が有効ライン上に停止した場合に入賞可能性の残る役は、「１枚小役ＡＧ」および「１枚小役ＡＨ」の２つである。そして、「１枚小役Ｑ」、「１枚小役Ｒ」、「１枚小役Ｓ」、「１枚小役Ｔ」、「１枚小役ＡＣ」、「１枚小役ＡＤ」、「１枚小役ＡＥ」、「１枚小役ＡＦ」、「１枚小役ＡＧ」および「１枚小役ＡＨ」の配当数は、いずれも１枚で同じであるから、それらの間に優劣はない。
【０５４７】
よって、第２停止操作が左ストップボタン２０Ｌの操作である場合に使用されるリンクテーブルでは、組合せ優先のリール停止制御が実行されるように、第２停止操作に対して用いられる停止テーブルとして、左リール４Ｌの「赤７」、「青７」、「ＢＡＲ」、「スター１」または「スター２」のいずれかの図柄を有効ライン上に停止させるための停止テーブルＴＢＬ０７が定められている。
【０５４８】
そして、「１枚小役Ｑ」、「１枚小役ＡＤ」および「１枚小役ＡＨ」の３つにそれぞれ対応づけられた図柄の組合せでは、中リール４Ｃの図柄が「赤７」の図柄である。また、「１枚小役Ｒ」および「１枚小役ＡＦ」の２つにそれぞれ対応づけられた図柄の組合せでは、中リール４Ｃの図柄が「青７」の図柄である。「１枚小役Ｓ」、「１枚小役Ｔ」、「１枚小役ＡＣ」、「１枚小役ＡＥ」および「１枚小役ＡＧ」の５つにそれぞれ対応づけられた図柄の組合せでは、中リール４Ｃの図柄が「プラム」の図柄である。
【０５４９】
そこで、第３停止操作が中ストップボタン２０Ｃの操作である場合に使用されるリンクテーブルでは、第３停止操作に対して用いられる停止テーブルとして、中リール４Ｃの「プラム」の図柄を有効ライン上に停止させるための停止テーブルＴＢＬ１２が定められている。
【０５５０】
左ストップボタン２０Ｌが第２停止操作されると、停止テーブルＴＢＬ０７を用いたリール停止制御により、「赤７」、「青７」、「ＢＡＲ」、「スター１」または「スター２」の図柄が有効ライン上に停止する。
【０５５１】
そして、中ストップボタン２０Ｃの第３停止操作に対して、停止テーブルＴＢＬ１２を用いたリール停止制御により、中ストップボタン２０Ｃの操作のタイミングにかかわらず、「プラム」の図柄が有効ライン上に停止する。
【０５５２】
これにより、第１停止操作で右ストップボタン２０Ｒが操作され、第２停止操作で左ストップボタン２０Ｌが操作され、第３停止操作で中ストップボタン２０Ｃが操作された場合、１枚小役Ｓ」、「１枚小役Ｔ」、「１枚小役ＡＣ」、「１枚小役ＡＥ」または「１枚小役ＡＧ」に入賞する。
【０５５３】
（４−３−２）右→中→左
第２停止操作が中ストップボタン２０Ｃの操作である場合に使用されるリンクテーブルは、配当数優先のリール停止制御が実行されるように作成されているので、中リール４Ｃおよび左リール４Ｌの「ベル」の図柄が優先的に有効ライン上に引き込まれるように、そのリンクテーブルでは、中リール４Ｃのリール停止制御に用いられる停止テーブルとして、停止テーブルＴＢＬ１１が定められている。また、左リール４Ｌのリール停止制御に用いられる停止テーブルとして、停止テーブルＴＢＬ０１が定められている。
【０５５４】
中ストップボタン２０Ｃが第２停止操作されると、停止テーブルＴＢＬ１１を用いたリール停止制御により、中ストップボタン２０Ｃの操作のタイミングにかかわらず、「ベル」の図柄が有効ライン上に停止する。
【０５５５】
そして、左ストップボタン２０Ｌの第３停止操作に対して、停止テーブルＴＢＬ０１を用いたリール停止制御により、左ストップボタン２０Ｌの操作のタイミングにかかわらず、「ベル」の図柄が有効ライン上に停止する。
【０５５６】
これにより、第１停止操作で右ストップボタン２０Ｒが操作され、第２停止操作で中ストップボタン２０Ｃが操作され、第３停止操作で左ストップボタン２０Ｌが操作された場合には、３個の「ベル」の図柄が有効ライン上に停止し、配当数の最も多い「８枚小役」に入賞となる。この右ストップボタン２０Ｒの第１停止操作、中ストップボタン２０Ｃの第２停止操作および左ストップボタン２０Ｌの第３停止操作の操作順は、抽選グループ４に対して設定された正解押し順である。
【０５５７】
（５）抽選グループ５に対応するリンクテーブル
内部抽選でメイン基板３１のＣＰＵ４１により乱数生成回路４７から取得された乱数が抽選グループ５に対応づけられている場合、「１枚小役Ｕ」および「１枚小役Ｖ」が当選役として決定される。そして、抽選グループ５に対応するリンクテーブルが使用される。
【０５５８】
（５−１）左第１停止
「１枚小役Ｕ」に対応づけられた図柄の組合せでは、左リール４Ｌの図柄が「ベル」の図柄であり、「１枚小役Ｖ」に対応づけられた図柄の組合せでは、左リール４Ｌの図柄が「チェリー」の図柄である。「１枚小役Ｕ」および「１枚小役Ｖ」の配当数は、１枚で同じであるから、それらの間に優劣はない。
【０５５９】
そのため、第１停止操作が左ストップボタン２０Ｌの操作である場合に使用されるリンクテーブルでは、第１停止操作に対して用いられる停止テーブルとして、左リール４Ｌの「チェリー」の図柄を有効ライン上に優先的に停止させるための停止テーブルＴＢＬ０５が定められている。
【０５６０】
左ストップボタン２０Ｌが第１停止操作されると、停止テーブルＴＢＬ０５を用いたリール停止制御により、図柄番号「５」〜「９」の図柄が基準位置に位置するタイミングで左ストップボタン２０Ｌが操作された場合には、「チェリー」の図柄が有効ライン上に停止し、それ以外のタイミングで左ストップボタン２０Ｌが操作された場合には、「ベル」の図柄が有効ライン上に停止する。
【０５６１】
（５−１−１）左→中→右
「１枚小役Ｕ」および「１枚小役Ｖ」にそれぞれ対応づけられた図柄の組合せでは、中リール４Ｃおよび右リール４Ｒの図柄が「プラム」の図柄である。
【０５６２】
そのため、中ストップボタン２０Ｃの第２停止操作が行われる場合に使用されるリンクテーブルでは、第２停止操作に対して用いられる停止テーブルとして、中リール４Ｃの「プラム」の図柄を有効ライン上に停止させるための停止テーブルＴＢＬ１２が定められ、第３停止操作に対して用いられる停止テーブルとして、右リール４Ｒの「プラム」の図柄を有効ライン上に停止させるための停止テーブルＴＢＬ２２が定められている。
【０５６３】
中ストップボタン２０Ｃが第２停止操作されると、停止テーブルＴＢＬ１２を用いたリール停止制御により、中ストップボタン２０Ｃの操作のタイミングにかかわらず、「プラム」の図柄が有効ライン上に停止する。
【０５６４】
そして、右ストップボタン２０Ｒの第３停止操作に対して、停止テーブルＴＢＬ２２を用いたリール停止制御により、右ストップボタン２０Ｒの操作のタイミングにかかわらず、「プラム」の図柄が有効ライン上に停止する。
【０５６５】
（５−１−２）左→右→中
第２停止操作が中ストップボタン２０Ｃの操作である場合と同じ理由により、右ストップボタン２０Ｒの第２停止操作が行われる場合に使用されるリンクテーブルでは、第２停止操作に対して用いられる停止テーブルとして、右リール４Ｒの「プラム」の図柄を有効ライン上に停止させるための停止テーブルＴＢＬ２２が定められ、第３停止操作に対して用いられる停止テーブルとして、中リール４Ｃの「プラム」の図柄を有効ライン上に停止させるための停止テーブルＴＢＬ１２が定められている。
【０５６６】
右ストップボタン２０Ｒが第２停止操作されると、停止テーブルＴＢＬ２２を用いたリール停止制御により、右ストップボタン２０Ｒの操作のタイミングにかかわらず、「プラム」の図柄が有効ライン上に停止する。
【０５６７】
そして、中ストップボタン２０Ｃの第３停止操作に対して、停止テーブルＴＢＬ１２を用いたリール停止制御により、中ストップボタン２０Ｃの操作のタイミングにかかわらず、「プラム」の図柄が有効ライン上に停止する。
【０５６８】
（５−２）中第１停止
「１枚小役Ｕ」および「１枚小役Ｖ」にそれぞれ対応づけられた図柄の組合せでは、中リール４Ｃの図柄が「プラム」の図柄である。
【０５６９】
そのため、第１停止操作が中ストップボタン２０Ｃの操作である場合に使用されるリンクテーブルでは、第１停止操作に対して用いられる停止テーブルとして、中リール４Ｃの「プラム」の図柄を有効ライン上に停止させるための停止テーブルＴＢＬ１２が定められている。
【０５７０】
中ストップボタン２０Ｃが第１停止操作されると、停止テーブルＴＢＬ１２を用いたリール停止制御により、中ストップボタン２０Ｃの操作のタイミングにかかわらず、「プラム」の図柄が有効ライン上に停止する。
【０５７１】
（５−２−１）中→右→左
「１枚小役Ｕ」および「１枚小役Ｖ」にそれぞれ対応づけられた図柄の組合せでは、右リール４Ｒの図柄が「プラム」の図柄である。また、「１枚小役Ｕ」に対応づけられた図柄の組合せでは、左リール４Ｌの図柄が「ベル」の図柄であり、「１枚小役Ｖ」に対応づけられた図柄の組合せでは、左リール４Ｌの図柄が「チェリー」の図柄である。
【０５７２】
そのため、右ストップボタン２０Ｒの第２停止操作が行われる場合に使用されるリンクテーブルでは、第２停止操作に対して用いられる停止テーブルとして、右リール４Ｒの「プラム」の図柄を有効ライン上に停止させるための停止テーブルＴＢＬ２２が定められ、第３停止操作に対して用いられる停止テーブルとして、左リール４Ｌの「チェリー」の図柄を有効ライン上に優先的に停止させるための停止テーブルＴＢＬ０５が定められている。
【０５７３】
右ストップボタン２０Ｒが第２停止操作されると、停止テーブルＴＢＬ２２を用いたリール停止制御により、右ストップボタン２０Ｒの操作のタイミングにかかわらず、「プラム」の図柄が有効ライン上に停止する。
【０５７４】
そして、左ストップボタン２０Ｌの第３停止操作に対して、停止テーブルＴＢＬ０５を用いたリール停止制御により、図柄番号「５」〜「９」の図柄が基準位置に位置するタイミングで左ストップボタン２０Ｌが操作された場合には、「チェリー」の図柄が有効ライン上に停止し、それ以外のタイミングで左ストップボタン２０Ｌが操作された場合には、「ベル」の図柄が有効ライン上に停止する。
【０５７５】
（５−２−２）中→左→右
第２停止操作が右ストップボタン２０Ｒの操作である場合と同じ理由により、左ストップボタン２０Ｌの第２停止操作が行われる場合に使用されるリンクテーブルでは、第２停止操作に対して用いられる停止テーブルとして、左リール４Ｌの「チェリー」の図柄を有効ライン上に優先的に停止させるための停止テーブルＴＢＬ０５が定められ、第３停止操作に対して用いられる停止テーブルとして、右リール４Ｒの「プラム」の図柄を有効ライン上に停止させるための停止テーブルＴＢＬ２２が定められている。
【０５７６】
左ストップボタン２０Ｌが第２停止操作されると、停止テーブルＴＢＬ０５を用いたリール停止制御により、図柄番号「５」〜「９」の図柄が基準位置に位置するタイミングで左ストップボタン２０Ｌが操作された場合には、「チェリー」の図柄が有効ライン上に停止し、それ以外のタイミングで左ストップボタン２０Ｌが操作された場合には、「ベル」の図柄が有効ライン上に停止する。
【０５７７】
そして、右ストップボタン２０Ｒの第３停止操作に対して、停止テーブルＴＢＬ２２を用いたリール停止制御により、右ストップボタン２０Ｒの操作のタイミングにかかわらず、「プラム」の図柄が有効ライン上に停止する。
【０５７８】
（５−３）右第１停止
「１枚小役Ｕ」および「１枚小役Ｖ」にそれぞれ対応づけられた図柄の組合せでは、右リール４Ｒの図柄が「プラム」の図柄である。
【０５７９】
そのため、第１停止操作が右ストップボタン２０Ｒの操作である場合に使用されるリンクテーブルでは、第１停止操作に対して用いられる停止テーブルとして、右リール４Ｒの「プラム」の図柄を有効ライン上に停止させるための停止テーブルＴＢＬ２２が定められている。
【０５８０】
右ストップボタン２０Ｒが第１停止操作されると、停止テーブルＴＢＬ２２を用いたリール停止制御により、右ストップボタン２０Ｒの操作のタイミングにかかわらず、「プラム」の図柄が有効ライン上に停止する。
【０５８１】
（５−３−１）右→左→中
「１枚小役Ｕ」に対応づけられた図柄の組合せでは、左リール４Ｌの図柄が「ベル」の図柄であり、「１枚小役Ｖ」に対応づけられた図柄の組合せでは、左リール４Ｌの図柄が「チェリー」の図柄である。また、「１枚小役Ｕ」および「１枚小役Ｖ」にそれぞれ対応づけられた図柄の組合せでは、中リール４Ｃの図柄が「プラム」の図柄である。
【０５８２】
そのため、左ストップボタン２０Ｌの第２停止操作が行われる場合に使用されるリンクテーブルでは、第２停止操作に対して用いられる停止テーブルとして、左リール４Ｌの「チェリー」の図柄を有効ライン上に優先的に停止させるための停止テーブルＴＢＬ０５が定められ、第３停止操作に対して用いられる停止テーブルとして、中リール４Ｃの「プラム」の図柄を有効ライン上に停止させるための停止テーブルＴＢＬ１２が定められている。
【０５８３】
左ストップボタン２０Ｌが第２停止操作されると、停止テーブルＴＢＬ０５を用いたリール停止制御により、図柄番号「５」〜「９」の図柄が基準位置に位置するタイミングで左ストップボタン２０Ｌが操作された場合には、「チェリー」の図柄が有効ライン上に停止し、それ以外のタイミングで左ストップボタン２０Ｌが操作された場合には、「ベル」の図柄が有効ライン上に停止する。
【０５８４】
そして、中ストップボタン２０Ｃの第３停止操作に対して、停止テーブルＴＢＬ１２を用いたリール停止制御により、中ストップボタン２０Ｃの操作のタイミングにかかわらず、「プラム」の図柄が有効ライン上に停止する。
【０５８５】
（５−３−２）右→中→左
第２停止操作が左ストップボタン２０Ｌの操作である場合と同じ理由により、中ストップボタン２０Ｃの第２停止操作が行われる場合に使用されるリンクテーブルでは、第２停止操作に対して用いられる停止テーブルとして、中リール４Ｃの「プラム」の図柄を有効ライン上に停止させるための停止テーブルＴＢＬ１２が定められ、第３停止操作に対して用いられる停止テーブルとして、左リール４Ｌの「チェリー」の図柄を有効ライン上に優先的に停止させるための停止テーブルＴＢＬ０５が定められている。
【０５８６】
中ストップボタン２０Ｃが第２停止操作されると、停止テーブルＴＢＬ１２を用いたリール停止制御により、中ストップボタン２０Ｃの操作のタイミングにかかわらず、「プラム」の図柄が有効ライン上に停止する。
【０５８７】
そして、左ストップボタン２０Ｌの第３停止操作に対して、停止テーブルＴＢＬ０５を用いたリール停止制御により、図柄番号「５」〜「９」の図柄が基準位置に位置するタイミングで左ストップボタン２０Ｌが操作された場合には、「チェリー」の図柄が有効ライン上に停止し、それ以外のタイミングで左ストップボタン２０Ｌが操作された場合には、「ベル」の図柄が有効ライン上に停止する。
【０５８８】
よって、内部抽選で「１枚小役Ｕ」および「１枚小役Ｖ」が当選役として決定された場合には、左ストップボタン２０Ｌの操作タイミングによって、「１枚小役Ｕ」または「１枚小役Ｖ」に入賞する。
【０５８９】
（６）抽選グループ６に対応するリンクテーブル
内部抽選でメイン基板３１のＣＰＵ４１により乱数生成回路４７から取得された乱数が抽選グループ６に対応づけられている場合、「３枚小役」が当選役として決定される。そして、抽選グループ６に対応するリンクテーブルが使用される。
【０５９０】
（６−１）左第１停止
「３枚小役」に対応づけられた図柄の組合せでは、左リール４Ｌの図柄が「スイカ」の図柄である。
【０５９１】
そのため、第１停止操作が左ストップボタン２０Ｌの操作である場合に使用されるリンクテーブルでは、第１停止操作に対して用いられる停止テーブルとして、左リール４Ｌの「スイカ」の図柄を有効ライン上に優先的に停止させるための停止テーブルＴＢＬ０６が定められている。
【０５９２】
左ストップボタン２０Ｌが第１停止操作されると、停止テーブルＴＢＬ０６を用いたリール停止制御により、図柄番号「１」〜「６」または「９」〜「２１」の図柄が基準位置に位置するタイミングで左ストップボタン２０Ｌが操作された場合には、「スイカ」の図柄が有効ライン上に停止し、それ以外のタイミングで左ストップボタン２０Ｌが操作された場合には、「プラム」の図柄が有効ライン上に停止する。
【０５９３】
（６−１−１）左→中→右
「３枚小役」に対応づけられた図柄の組合せでは、中リール４Ｃおよび右リール４Ｒの図柄が「スイカ」の図柄である。
【０５９４】
そのため、中ストップボタン２０Ｃの第２停止操作が行われる場合に使用されるリンクテーブルでは、第２停止操作に対して用いられる停止テーブルとして、中リール４Ｃの「スイカ」の図柄を有効ライン上に優先的に停止させるための停止テーブルＴＢＬ１７が定められ、第３停止操作に対して用いられる停止テーブルとして、右リール４Ｒの「スイカ」の図柄を有効ライン上に優先的に停止させるための停止テーブルＴＢＬ２６が定められている。
【０５９５】
中ストップボタン２０Ｃが第２停止操作されると、停止テーブルＴＢＬ１７を用いたリール停止制御により、図柄番号「１」〜「９」または「２１」の図柄が基準位置に位置するタイミングで中ストップボタン２０Ｃが操作された場合には、「スイカ」の図柄が有効ライン上に停止し、それ以外のタイミングで中ストップボタン２０Ｃが操作された場合には、「プラム」の図柄が有効ライン上に停止する。
【０５９６】
そして、右ストップボタン２０Ｒの第３停止操作に対して、停止テーブルＴＢＬ２６を用いたリール停止制御により、図柄番号「１」〜「８」、「１１」〜「１４」または「２１」の図柄が基準位置に位置するタイミングで右ストップボタン２０Ｒが操作された場合には、「スイカ」の図柄が有効ライン上に停止し、それ以外のタイミングで右ストップボタン２０Ｒが操作された場合には、「ベル」の図柄が有効ライン上に停止する。
【０５９７】
（６−１−２）左→右→中
第２停止操作が中ストップボタン２０Ｃの操作である場合と同じ理由により、第２停止操作が右ストップボタン２０Ｒの操作である場合に使用されるリンクテーブルでは、第２停止操作に対して用いられる停止テーブルとして、右リール４Ｒの「スイカ」の図柄を有効ライン上に優先的に停止させるための停止テーブルＴＢＬ２６が定められ、第３停止操作に対して用いられる停止テーブルとして、中リール４Ｃの「スイカ」の図柄を有効ライン上に優先的に停止させるための停止テーブルＴＢＬ１７が定められている。
【０５９８】
右ストップボタン２０Ｒが第２停止操作されると、停止テーブルＴＢＬ２６を用いたリール停止制御により、図柄番号「１」〜「８」、「１１」〜「１４」または「２１」の図柄が基準位置に位置するタイミングで右ストップボタン２０Ｒが操作された場合には、「スイカ」の図柄が有効ライン上に停止し、それ以外のタイミングで右ストップボタン２０Ｒが操作された場合には、「ベル」の図柄が有効ライン上に停止する。
【０５９９】
そして、中ストップボタン２０Ｃの第３停止操作に対して、停止テーブルＴＢＬ１７を用いたリール停止制御により、図柄番号「１」〜「９」または「２１」の図柄が基準位置に位置するタイミングで中ストップボタン２０Ｃが操作された場合には、「スイカ」の図柄が有効ライン上に停止し、それ以外のタイミングで中ストップボタン２０Ｃが操作された場合には、「プラム」の図柄が有効ライン上に停止する。
【０６００】
（６−２）中第１停止
「３枚小役」にそれぞれ対応づけられた図柄の組合せでは、中リール４Ｃの図柄が「スイカ」の図柄である。
【０６０１】
そのため、第１停止操作が中ストップボタン２０Ｃの操作である場合に使用されるリンクテーブルでは、第１停止操作に対して用いられる停止テーブルとして、中リール４Ｃの「スイカ」の図柄を有効ライン上に優先的に停止させるための停止テーブルＴＢＬ１７が定められている。
【０６０２】
中ストップボタン２０Ｃが第１停止操作されると、停止テーブルＴＢＬ１７を用いたリール停止制御により、図柄番号「１」〜「９」または「２１」の図柄が基準位置に位置するタイミングで中ストップボタン２０Ｃが操作された場合には、「スイカ」の図柄が有効ライン上に停止し、それ以外のタイミングで中ストップボタン２０Ｃが操作された場合には、「プラム」の図柄が有効ライン上に停止する。
【０６０３】
（６−２−１）中→右→左
「３枚小役」に対応づけられた図柄の組合せでは、右リール４Ｒおよび左リール４Ｌの図柄が「スイカ」の図柄である。
【０６０４】
そのため、右ストップボタン２０Ｒの第２停止操作が行われる場合に使用されるリンクテーブルでは、第２停止操作に対して用いられる停止テーブルとして、右リール４Ｒの「スイカ」の図柄を有効ライン上に優先的に停止させるための停止テーブルＴＢＬ２６が定められ、第３停止操作に対して用いられる停止テーブルとして、左リール４Ｌの「スイカ」の図柄を有効ライン上に優先的に停止させるための停止テーブルＴＢＬ０６が定められている。
【０６０５】
右ストップボタン２０Ｒが第２停止操作されると、停止テーブルＴＢＬ２６を用いたリール停止制御により、図柄番号「１」〜「８」、「１１」〜「１４」または「２１」の図柄が基準位置に位置するタイミングで右ストップボタン２０Ｒが操作された場合には、「スイカ」の図柄が有効ライン上に停止し、それ以外のタイミングで右ストップボタン２０Ｒが操作された場合には、「ベル」の図柄が有効ライン上に停止する。
【０６０６】
そして、左ストップボタン２０Ｌの第３停止操作に対して、停止テーブルＴＢＬ０６が用いられる。左リール４Ｌのリール停止制御により、図柄番号「１」〜「６」または「９」〜「２１」の図柄が基準位置に位置するタイミングで左ストップボタン２０Ｌが操作された場合には、「スイカ」の図柄が有効ライン上に停止し、それ以外のタイミングで左ストップボタン２０Ｌが操作された場合には、「プラム」の図柄が有効ライン上に停止する。
【０６０７】
（６−２−２）中→左→右
第２停止操作が右ストップボタン２０Ｒの操作である場合と同じ理由により、左ストップボタン２０Ｌの第２停止操作に対して用いられる停止テーブルとして、左リール４Ｌの「スイカ」の図柄を有効ライン上に優先的に停止させるための停止テーブルＴＢＬ０６が定められ、第３停止操作に対して用いられる停止テーブルとして、右リール４Ｒの「スイカ」の図柄を有効ライン上に優先的に停止させるための停止テーブルＴＢＬ２６が定められている。
【０６０８】
左ストップボタン２０Ｌが第２停止操作されると、停止テーブルＴＢＬ０６を用いたリール停止制御により、図柄番号「１」〜「６」または「９」〜「２１」の図柄が基準位置に位置するタイミングで左ストップボタン２０Ｌが操作された場合には、「スイカ」の図柄が有効ライン上に停止し、それ以外のタイミングで左ストップボタン２０Ｌが操作された場合には、「プラム」の図柄が有効ライン上に停止する。
【０６０９】
そして、右ストップボタン２０Ｒの第３停止操作に対して、停止テーブルＴＢＬ２６を用いたリール停止制御により、図柄番号「１」〜「８」、「１１」〜「１４」または「２１」の図柄が基準位置に位置するタイミングで右ストップボタン２０Ｒが操作された場合には、「スイカ」の図柄が有効ライン上に停止し、それ以外のタイミングで右ストップボタン２０Ｒが操作された場合には、「ベル」の図柄が有効ライン上に停止する。
【０６１０】
（６−３）右第１停止
「３枚小役」に対応づけられた図柄の組合せでは、右リール４Ｒの図柄が「スイカ」の図柄である。
【０６１１】
そのため、第１停止操作が右ストップボタン２０Ｒの操作である場合に使用されるリンクテーブルでは、第１停止操作に対して用いられる停止テーブルとして、右リール４Ｒの「スイカ」の図柄を有効ライン上に優先的に停止させるための停止テーブルＴＢＬ２６が定められている。
【０６１２】
右ストップボタン２０Ｒが第１停止操作されると、停止テーブルＴＢＬ２６を用いたリール停止制御により、図柄番号「１」〜「８」、「１１」〜「１４」または「２１」の図柄が基準位置に位置するタイミングで右ストップボタン２０Ｒが操作された場合には、「スイカ」の図柄が有効ライン上に停止し、それ以外のタイミングで右ストップボタン２０Ｒが操作された場合には、「ベル」の図柄が有効ライン上に停止する。
【０６１３】
（６−３−１）右→左→中
「３枚小役」に対応づけられた図柄の組合せでは、左リール４Ｌおよび中リール４Ｃの図柄が「スイカ」の図柄である。
【０６１４】
そのため、左ストップボタン２０Ｌの第２停止操作が行われる場合に使用されるリンクテーブルでは、第２停止操作に対して用いられる停止テーブルとして、左リール４Ｌの「スイカ」の図柄を有効ライン上に優先的に停止させるための停止テーブルＴＢＬ０６が定められ、第３停止操作に対して用いられる停止テーブルとして、中リール４Ｃの「スイカ」の図柄を有効ライン上に優先的に停止させるための停止テーブルＴＢＬ１７が定められている。
【０６１５】
左ストップボタン２０Ｌが第２停止操作されると、停止テーブルＴＢＬ０６を用いたリール停止制御により、図柄番号「１」〜「６」または「９」〜「２１」の図柄が基準位置に位置するタイミングで左ストップボタン２０Ｌが操作された場合には、「スイカ」の図柄が有効ライン上に停止し、それ以外のタイミングで左ストップボタン２０Ｌが操作された場合には、「プラム」の図柄が有効ライン上に停止する。
【０６１６】
そして、中ストップボタン２０Ｃの第３停止操作に対して、停止テーブルＴＢＬ１７を用いたリール停止制御により、図柄番号「１」〜「９」または「２１」の図柄が基準位置に位置するタイミングで中ストップボタン２０Ｃが操作された場合には、「スイカ」の図柄が有効ライン上に停止し、それ以外のタイミングで中ストップボタン２０Ｃが操作された場合には、「プラム」の図柄が有効ライン上に停止する。
【０６１７】
（６−３−２）右→中→左
第２停止操作が左ストップボタン２０Ｌの操作である場合と同じ理由により、第２停止操作が中ストップボタン２０Ｃの操作である場合に使用されるリンクテーブルでは、第２停止操作に対して用いられる停止テーブルとして、中リール４Ｃの「スイカ」の図柄を有効ライン上に優先的に停止させるための停止テーブルＴＢＬ１７が定められ、第３停止操作に対して用いられる停止テーブルとして、左リール４Ｌの「スイカ」の図柄を有効ライン上に優先的に停止させるための停止テーブルＴＢＬ０６が定められている。
【０６１８】
中ストップボタン２０Ｃが第２停止操作されると、停止テーブルＴＢＬ１７を用いたリール停止制御により、図柄番号「１」〜「９」または「２１」の図柄が基準位置に位置するタイミングで中ストップボタン２０Ｃが操作された場合には、「スイカ」の図柄が有効ライン上に停止し、それ以外のタイミングで中ストップボタン２０Ｃが操作された場合には、「プラム」の図柄が有効ライン上に停止する。
【０６１９】
そして、左ストップボタン２０Ｌの第３停止操作に対して、停止テーブルＴＢＬ０６を用いたリール停止制御により、図柄番号「１」〜「６」または「９」〜「２１」の図柄が基準位置に位置するタイミングで左ストップボタン２０Ｌが操作された場合には、「スイカ」の図柄が有効ライン上に停止し、それ以外のタイミングで左ストップボタン２０Ｌが操作された場合には、「プラム」の図柄が有効ライン上に停止する。
【０６２０】
よって、内部抽選で「３枚小役」が当選役として決定された場合には、３個の「スイカ」の図柄が有効ライン上に停止し、「３枚小役」に入賞となるか、３個の「スイカ」の図柄が有効ライン上に停止せずに（並ばずに）、非入賞となる。
【０６２１】
（７）抽選グループ７に対応するリンクテーブル
内部抽選でメイン基板３１のＣＰＵ４１により乱数生成回路４７から取得された乱数が抽選グループ７に対応づけられている場合、「再遊技役」が当選役として決定される。そして、抽選グループ７に対応するリンクテーブルが使用される。
【０６２２】
（７−１）左第１停止
「再遊技役」に対応づけられた図柄の組合せでは、左リール４Ｌの図柄が「プラム」の図柄である。
【０６２３】
そのため、第１停止操作が左ストップボタン２０Ｌの操作である場合に使用されるリンクテーブルでは、第１停止操作に対して用いられる停止テーブルとして、左リール４Ｌの「プラム」の図柄を有効ライン上に停止させるための停止テーブルＴＢＬ０２が定められている。
【０６２４】
左ストップボタン２０Ｌが第１停止操作されると、停止テーブルＴＢＬ０２を用いたリール停止制御により、左ストップボタン２０Ｌの操作のタイミングにかかわらず、「プラム」の図柄が有効ライン上に停止する。
【０６２５】
（７−１−１）左→中→右
「再遊技」に対応づけられた図柄の組合せでは、中リール４Ｃおよび右リール４Ｒの図柄が「プラム」の図柄である。
【０６２６】
そのため、中ストップボタン２０Ｃの第２停止操作が行われる場合に使用されるリンクテーブルでは、第２停止操作に対して用いられる停止テーブルとして、中リール４Ｃの「プラム」の図柄を有効ライン上に停止させるための停止テーブルＴＢＬ１２が定められ、第３停止操作に対して用いられる停止テーブルとして、右リール４Ｒの「プラム」の図柄を有効ライン上に停止させるための停止テーブルＴＢＬ２２が定められている。
【０６２７】
中ストップボタン２０Ｃが第２停止操作されると、停止テーブルＴＢＬ１２を用いたリール停止制御により、中ストップボタン２０Ｃの操作のタイミングにかかわらず、「プラム」の図柄が有効ライン上に停止する。
【０６２８】
そして、右ストップボタン２０Ｒの第３停止操作に対して、停止テーブルＴＢＬ２２を用いたリール停止制御により、右ストップボタン２０Ｒの操作のタイミングにかかわらず、「プラム」の図柄が有効ライン上に停止する。
【０６２９】
（７−１−２）左→右→中
第２停止操作が中ストップボタン２０Ｃの操作である場合と同じ理由により、第２停止操作が右ストップボタン２０Ｒの操作である場合に使用されるリンクテーブルでは、第２停止操作に対して用いられる停止テーブルとして、右リール４Ｒの「プラム」の図柄を有効ライン上に停止させるための停止テーブルＴＢＬ２２が定められ、第３停止操作に対して用いられる停止テーブルとして、中リール４Ｃの「プラム」の図柄を有効ライン上に停止させるための停止テーブルＴＢＬ１２が定められている。
【０６３０】
右ストップボタン２０Ｒが第２停止操作されると、停止テーブルＴＢＬ２２を用いたリール停止制御により、右ストップボタン２０Ｒの操作のタイミングにかかわらず、右リール４Ｒの「プラム」の図柄が有効ライン上に停止する。
【０６３１】
そして、中ストップボタン２０Ｃの第３停止操作に対して、停止テーブルＴＢＬ１２を用いたリール停止制御により、中ストップボタン２０Ｃの操作のタイミングにかかわらず、中リール４Ｃの「プラム」の図柄が有効ライン上に停止する。
【０６３２】
（７−２）中第１停止
「再遊技」に対応づけられた図柄の組合せでは、中リール４Ｃの図柄が「スイカ」の図柄である。
【０６３３】
そのため、第１停止操作が中ストップボタン２０Ｃの操作である場合に使用されるリンクテーブルでは、第１停止操作に対して用いられる停止テーブルとして、中リール４Ｃの「プラム」の図柄を有効ライン上に停止させるための停止テーブルＴＢＬ１２が定められている。
【０６３４】
中ストップボタン２０Ｃが第１停止操作されると、停止テーブルＴＢＬ１２を用いたリール停止制御により、中ストップボタン２０Ｃの操作のタイミングにかかわらず、中リール４Ｃの「プラム」の図柄が有効ライン上に停止する。
【０６３５】
（７−２−１）中→右→左
「再遊技」に対応づけられた図柄の組合せでは、右リール４Ｒおよび左リール４Ｌの図柄が「プラム」の図柄である。
【０６３６】
そのため、右ストップボタン２０Ｒの第２停止操作が行われる場合に使用されるリンクテーブルでは、第２停止操作に対して用いられる停止テーブルとして、右リール４Ｒの「プラム」の図柄を有効ライン上に停止させるための停止テーブルＴＢＬ２２が定められ、第３停止操作に対して用いられる停止テーブルとして、左リール４Ｌの「プラム」の図柄を有効ライン上に停止させるための停止テーブルＴＢＬ０２が定められている。
【０６３７】
右ストップボタン２０Ｒが第２停止操作されると、停止テーブルＴＢＬ２２を用いたリール停止制御により、右ストップボタン２０Ｒの操作のタイミングにかかわらず、「プラム」の図柄が有効ライン上に停止する。
【０６３８】
そして、左ストップボタン２０Ｌの第３停止操作に対して、停止テーブルＴＢＬ０２を用いたリール停止制御により、左ストップボタン２０Ｌの操作のタイミングにかかわらず、「プラム」の図柄が有効ライン上に停止する。
【０６３９】
（７−２−２）中→左→右
第２停止操作が右ストップボタン２０Ｒの操作である場合と同じ理由により、右ストップボタン２０Ｒの第２停止操作が行われる場合に使用されるリンクテーブルでは、第２停止操作に対して用いられる停止テーブルとして、左リール４Ｌの「プラム」の図柄を有効ライン上に停止させるための停止テーブルＴＢＬ０２が定められ、第３停止操作に対して用いられる停止テーブルとして、右リール４Ｒの「プラム」の図柄を有効ライン上に停止させるための停止テーブルＴＢＬ２２が定められている。
【０６４０】
左ストップボタン２０Ｌが第２停止操作されると、停止テーブルＴＢＬ０２を用いたリール停止制御により、左ストップボタン２０Ｌの操作のタイミングにかかわらず、「プラム」の図柄が有効ライン上に停止する。
【０６４１】
そして、右ストップボタン２０Ｒの第３停止操作に対して、停止テーブルＴＢＬ２２を用いたリール停止制御により、右ストップボタン２０Ｒの操作のタイミングにかかわらず、「プラム」の図柄が有効ライン上に停止する。
【０６４２】
（７−３）右第１停止
「再遊技」に対応づけられた図柄の組合せでは、右リール４Ｒの図柄が「プラム」の図柄である。
【０６４３】
そのため、第１停止操作が右ストップボタン２０Ｒの操作である場合に使用されるリンクテーブルでは、第１停止操作に対して用いられる停止テーブルとして、右リール４Ｒの「プラム」の図柄を有効ライン上に停止させるための停止テーブルＴＢＬ２２が設定されている。
【０６４４】
右ストップボタン２０Ｒが第１停止操作されると、停止テーブルＴＢＬ２２を用いたリール停止制御により、右ストップボタン２０Ｒの操作のタイミングにかかわらず、右リール４Ｒの「プラム」の図柄が有効ライン上に停止する。
【０６４５】
（７−３−１）右→左→中
「再遊技」に対応づけられた図柄の組合せでは、左リール４Ｌおよび中リール４Ｃの図柄が「プラム」の図柄である。
【０６４６】
そのため、左ストップボタン２０Ｌの第２停止操作が行われる場合に使用されるリンクテーブルでは、第２停止操作に対して用いられる停止テーブルとして、左リール４Ｌの「プラム」の図柄を有効ライン上に停止させるための停止テーブルＴＢＬ０２が定められ、第３停止操作に対して用いられる停止テーブルとして、中リール４Ｃの「プラム」の図柄を有効ライン上に停止させるための停止テーブルＴＢＬ１２が定められている。
【０６４７】
左ストップボタン２０Ｌが第２停止操作されると、停止テーブルＴＢＬ０２を用いたリール停止制御により、左ストップボタン２０Ｌの操作のタイミングにかかわらず、「プラム」の図柄が有効ライン上に停止する。
【０６４８】
そして、中ストップボタン２０Ｃの第３停止操作に対して、停止テーブルＴＢＬ１２を用いたリール停止制御により、中ストップボタン２０Ｃの操作のタイミングにかかわらず、「プラム」の図柄が有効ライン上に停止する。
【０６４９】
（７−３−２）右→中→左
第２停止操作が左ストップボタン２０Ｌの操作である場合と同じ理由により、第２停止操作が中ストップボタン２０Ｃの操作である場合に使用されるリンクテーブルでは、第２停止操作に対して用いられる停止テーブルとして、中リール４Ｃの「プラム」の図柄を有効ライン上に停止させるための停止テーブルＴＢＬ１２が定められ、第３停止操作に対して用いられる停止テーブルとして、左リール４Ｌの「プラム」の図柄を有効ライン上に停止させるための停止テーブルＴＢＬ０２が定められている。
【０６５０】
中ストップボタン２０Ｃが第２停止操作されると、停止テーブルＴＢＬ１２を用いたリール停止制御により、中ストップボタン２０Ｃの操作のタイミングにかかわらず、「プラム」の図柄が有効ライン上に停止する。
【０６５１】
そして、左ストップボタン２０Ｌの第３停止操作に対して、停止テーブルＴＢＬ０２を用いたリール停止制御により、左ストップボタン２０Ｌの操作のタイミングにかかわらず、「プラム」の図柄が有効ライン上に停止する。
【０６５２】
よって、内部抽選で「再遊技役」が当選役として決定された場合には、３個の「プラム」の図柄が有効ライン上に停止し、「再遊技役」に必ず入賞する。
【０６５３】
（８）抽選グループ８に対応するリンクテーブル
内部抽選でメイン基板３１のＣＰＵ４１により乱数生成回路４７から取得された乱数が抽選グループ８に対応づけられている場合、「一種ＢＢ開始役」が当選役として決定される。そして、抽選グループ８に対応するリンクテーブルが使用される。
【０６５４】
（８−１）左第１停止
「一種ＢＢ開始役」に対応づけられた図柄の組合せでは、左リール４Ｌの図柄が「赤７」の図柄である。
【０６５５】
そのため、第１停止操作が左ストップボタン２０Ｌの操作である場合に使用されるリンクテーブルでは、第１停止操作に対して用いられる停止テーブルとして、左リール４Ｌの「赤７」の図柄を有効ライン上に優先的に停止させるための停止テーブルＴＢＬ０３が定められている。
【０６５６】
左ストップボタン２０Ｌが第１停止操作されると、停止テーブルＴＢＬ０３を用いたリール停止制御により、図柄番号「１５」〜「１９」の図柄が基準位置に位置するタイミングで左ストップボタン２０Ｌが操作された場合には、「赤７」の図柄が有効ライン上に停止し、それ以外のタイミングで左ストップボタン２０Ｌが操作された場合には、「プラム」の図柄が有効ライン上に停止する。
【０６５７】
（８−１−１）左→中→右
「一種ＢＢ開始役」に対応づけられた図柄の組合せでは、中リール４Ｃおよび右リール４Ｒの図柄が「ＢＡＲ」の図柄である。
【０６５８】
そのため、中ストップボタン２０Ｃの第２停止操作が行われる場合に使用されるリンクテーブルでは、第２停止操作に対して用いられる停止テーブルとして、中リール４Ｃの「ＢＡＲ」の図柄を有効ライン上に優先的に停止させるための停止テーブルＴＢＬ１５が定められ、第３停止操作に対して用いられる停止テーブルとして、右リール４Ｒの「ＢＡＲ」の図柄を有効ライン上に優先的に停止させるための停止テーブルＴＢＬ２７が定められている。
【０６５９】
中ストップボタン２０Ｃが第２停止操作されると、停止テーブルＴＢＬ１５を用いたリール停止制御により、図柄番号「１」〜「５」の図柄が基準位置に位置するタイミングで中ストップボタン２０Ｃが操作された場合には、「ＢＡＲ」の図柄が有効ライン上に停止し、それ以外のタイミングで中ストップボタン２０Ｃが操作された場合には、「プラム」の図柄が有効ライン上に停止する。
【０６６０】
そして、右ストップボタン２０Ｒの第３停止操作に対して、停止テーブルＴＢＬ２７を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「ベル」の図柄が有効ライン上に停止する。
【０６６１】
（８−１−２）左→右→中
第２停止操作が中ストップボタン２０Ｃの操作である場合と同じ理由により、第２停止操作が右ストップボタン２０Ｒの操作である場合に使用されるリンクテーブルでは、第２停止操作に対して用いられる停止テーブルとして、右リール４Ｒの「ＢＡＲ」の図柄を有効ライン上に優先的に停止させるための停止テーブルＴＢＬ２７が定められ、第３停止操作に対して用いられる停止テーブルとして、中リール４Ｃの「ＢＡＲ」の図柄を有効ライン上に優先的に停止させるための停止テーブルＴＢＬ１５が定められている。
【０６６２】
右ストップボタン２０Ｒが第２停止操作されると、停止テーブルＴＢＬ２７を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「ベル」の図柄が有効ライン上に停止する。
【０６６３】
そして、中ストップボタン２０Ｃの第３停止操作に対して、停止テーブルＴＢＬ１５を用いたリール停止制御により、図柄番号「１」〜「５」の図柄が基準位置に位置するタイミングで中ストップボタン２０Ｃが操作された場合には、「ＢＡＲ」の図柄が有効ライン上に停止し、それ以外のタイミングで中ストップボタン２０Ｃが操作された場合には、「プラム」の図柄が有効ライン上に停止する。
【０６６４】
（８−２）中第１停止
「一種ＢＢ開始役」に対応づけられた図柄の組合せでは、中リール４Ｃの図柄が「ＢＡＲ」の図柄である。
【０６６５】
そのため、第１停止操作が中ストップボタン２０Ｃの操作である場合に使用されるリンクテーブルでは、第１停止操作に対して用いられる停止テーブルとして、中リール４Ｃの「ＢＡＲ」の図柄を有効ライン上に優先的に停止させるための停止テーブルＴＢＬ１５が定められている。
【０６６６】
中ストップボタン２０Ｃが第１停止操作されると、停止テーブルＴＢＬ１５を用いたリール停止制御により、図柄番号「１」〜「５」の図柄が基準位置に位置するタイミングで中ストップボタン２０Ｃが操作された場合には、「ＢＡＲ」の図柄が有効ライン上に停止し、それ以外のタイミングで中ストップボタン２０Ｃが操作された場合には、「プラム」の図柄が有効ライン上に停止する。
【０６６７】
（８−２−１）中→右→左
「一種ＢＢ開始役」に対応づけられた図柄の組合せでは、右リール４Ｒの図柄が「ＢＡＲ」の図柄であり、左リール４Ｌの図柄が「赤７」の図柄である。
【０６６８】
そのため合、右ストップボタン２０Ｒの第２停止操作が行われる場合に使用されるリンクテーブルでは、第２停止操作に対して用いられる停止テーブルとして、右リール４Ｒの「ＢＡＲ」の図柄を有効ライン上に優先的に停止させるための停止テーブルＴＢＬ２７が定められ、第３停止操作に対して用いられる停止テーブルとして、左リール４Ｌの「赤７」の図柄を有効ライン上に優先的に停止させるための停止テーブルＴＢＬ０３が定められている。
【０６６９】
右ストップボタン２０Ｒが第２停止操作されると、停止テーブルＴＢＬ２７を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「ベル」の図柄が有効ライン上に停止する。
【０６７０】
そして、左ストップボタン２０Ｌの第３停止操作に対して、停止テーブルＴＢＬ０３を用いたリール停止制御により、図柄番号「１５」〜「１９」の図柄が基準位置に位置するタイミングで左ストップボタン２０Ｌが操作された場合には、「赤７」の図柄が有効ライン上に停止し、それ以外のタイミングで左ストップボタン２０Ｌが操作された場合には、「プラム」の図柄が有効ライン上に停止する。
【０６７１】
（８−２−２）中→左→右
第２停止操作が中ストップボタン２０Ｃの操作である場合と同じ理由により、左ストップボタン２０Ｌの第２停止操作が行われる場合に使用されるリンクテーブルでは、第２停止操作に対して用いられる停止テーブルとして、左リール４Ｌの「赤７」の図柄を有効ライン上に優先的に停止させるための停止テーブルＴＢＬ０３が定められ、第３停止操作に対して用いられる停止テーブルとして、右リール４Ｒの「ＢＡＲ」の図柄を有効ライン上に優先的に停止させるための停止テーブルＴＢＬ２７が定められている。
【０６７２】
左ストップボタン２０Ｌが第２停止操作されると、停止テーブルＴＢＬ０３を用いたリール停止制御により、図柄番号「１５」〜「１９」の図柄が基準位置に位置するタイミングで左ストップボタン２０Ｌが操作された場合には、「赤７」の図柄が有効ライン上に停止し、それ以外のタイミングで左ストップボタン２０Ｌが操作された場合には、「プラム」の図柄が有効ライン上に停止する。
【０６７３】
そして、右ストップボタン２０Ｒの第３停止操作に対して、停止テーブルＴＢＬ２７を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「ベル」の図柄が有効ライン上に停止する。
【０６７４】
（８−３）右第１停止
「一種ＢＢ開始役」に対応づけられた図柄の組合せでは、右リール４Ｒの図柄が「ＢＡＲ」の図柄である。
【０６７５】
そのため、第１停止操作が右ストップボタン２０Ｒの操作である場合に使用されるリンクテーブルでは、第１停止操作に対して用いられる停止テーブルとして、右リール４Ｒの「ＢＡＲ」の図柄を有効ライン上に優先的に停止させるための停止テーブルＴＢＬ２７が定められている。
【０６７６】
右ストップボタン２０Ｒが第１停止操作されると、停止テーブルＴＢＬ２７を用いたリール停止制御により、図柄番号「１」〜「５」の図柄が基準位置に位置するタイミングで右ストップボタン２０Ｒが操作された場合には、「ＢＡＲ」の図柄が有効ライン上に停止し、それ以外のタイミングで右ストップボタン２０Ｒが操作された場合には、「ベル」の図柄が有効ライン上に停止する。
【０６７７】
（８−３−１）右→左→中
「一種ＢＢ開始役」に対応づけられた図柄の組合せでは、左リール４Ｌの図柄が「赤７」の図柄であり、中リール４Ｃの図柄が「ＢＡＲ」の図柄である。
【０６７８】
そのため、左ストップボタン２０Ｌの第２停止操作が行われる場合に使用されるリンクテーブルでは、第２停止操作に対して用いられる停止テーブルとして、左リール４Ｌの「赤７」の図柄を有効ライン上に優先的に停止させるための停止テーブルＴＢＬ０３が定められ、第３停止操作に対して用いられる停止テーブルとして、中リール４Ｃの「ＢＡＲ」の図柄を有効ライン上に優先的に停止させるための停止テーブルＴＢＬ１５が定められている。
【０６７９】
左ストップボタン２０Ｌが第２停止操作されると、停止テーブルＴＢＬ０３を用いたリール停止制御により、図柄番号「１５」〜「１９」の図柄が基準位置に位置するタイミングで左ストップボタン２０Ｌが操作された場合には、「赤７」の図柄が有効ライン上に停止し、それ以外のタイミングで左ストップボタン２０Ｌが操作された場合には、「プラム」の図柄が有効ライン上に停止する。
【０６８０】
そして、中ストップボタン２０Ｃの第３停止操作に対して、停止テーブルＴＢＬ１５を用いたリール停止制御により、図柄番号「１」〜「５」の図柄が基準位置に位置するタイミングで中ストップボタン２０Ｃが操作された場合には、「ＢＡＲ」の図柄が有効ライン上に停止し、それ以外のタイミングで中ストップボタン２０Ｃが操作された場合には、「プラム」の図柄が有効ライン上に停止する。
【０６８１】
（８−３−２）右→中→左
第２停止操作が左ストップボタン２０Ｌの操作である場合と同じ理由により、中ストップボタン２０Ｃの第２停止操作が行われる場合に使用されるリンクテーブルでは、第２停止操作に対して用いられる停止テーブルとして、中リール４Ｃの「ＢＡＲ」の図柄を有効ライン上に優先的に停止させるための停止テーブルＴＢＬ１５が定められ、第３停止操作に対して用いられる停止テーブルとして、左リール４Ｌの「赤７」の図柄を有効ライン上に優先的に停止させるための停止テーブルＴＢＬ０３が定められている。
【０６８２】
中ストップボタン２０Ｃが第２停止操作されると、停止テーブルＴＢＬ１５を用いたリール停止制御により、図柄番号「１」〜「５」の図柄が基準位置に位置するタイミングで中ストップボタン２０Ｃが操作された場合には、「ＢＡＲ」の図柄が有効ライン上に停止し、それ以外のタイミングで中ストップボタン２０Ｃが操作された場合には、「プラム」の図柄が有効ライン上に停止する。
【０６８３】
そして、左ストップボタン２０Ｌの第３停止操作に対して、停止テーブルＴＢＬ０３を用いたリール停止制御により、左ストップボタン２０Ｌの操作のタイミングにかかわらず、「プラム」の図柄が有効ライン上に停止する。
【０６８４】
よって、通常ゲームにおける内部抽選で「一種ＢＢ開始役」が当選役として決定された場合には、当該ゲームにおいて、「赤７」−「ＢＡＲ」−「ＢＡＲ」の図柄が左からこの順で有効ライン上に停止して、「一種ＢＢ開始役」に入賞となるか、「プラム」−「ＢＡＲ／プラム」−「ＢＡＲ／プラム」の図柄が左からこの順で有効ライン上に停止して、「一種ＢＢ開始役」に非入賞となる。「／」は、「または」を意味する。
【０６８５】
その後のゲームでは、内部抽選の結果が不当選（純ハズレ）であった場合にのみ、「赤７」−「ＢＡＲ」−「ＢＡＲ」の図柄が左からこの順で有効ライン上に停止する可能性がある。一種ＢＢ内部中抽選テーブルは、図７Ａおよび図７Ｂに示されるように、内部抽選で「再遊技」、「８枚小役」、「１枚小役Ａ〜Ｚ」、「１枚小役ＡＡ〜ＡＨ」および「３枚小役」のうちの少なくとも１つの役に必ず当選するように作成されているので、「一種ＢＢ内部中」状態において、「一種ＢＢ開始役」に入賞することはない。また、通常中抽選テーブルは、１個の乱数のみが抽選グループ１〜８のいずれにも対応づけられないように作成されているので、「通常中」状態において、内部抽選の結果が不当選となる確率は、１／６５５３６であり、「一種ＢＢ開始役」に入賞することは極めて希である。
【０６８６】
（９）「不当選」に対応するリンクテーブル
内部抽選の結果が「不当選」であった場合、内部抽選の「不当選」の結果に対応するリンクテーブルが使用される。
【０６８７】
内部抽選の「不当選」の結果に対応するリンクテーブルでは、第３停止後にいずれの役にも対応づけられていない「プラム」−「ベル」−「プラム」の図柄の組合せが左からこの順で有効ライン上に停止するように、左リール４Ｌ、中リール４Ｃおよび右リール４Ｒのリール停止制御のそれぞれに用いる停止テーブルが定められている。
【０６８８】
（９−１）左第１停止
第１停止操作が左ストップボタン２０Ｌの操作である場合に使用されるリンクテーブルでは、第１停止操作に対して用いられる停止テーブルとして、左リール４Ｌの「プラム」の図柄を有効ライン上に停止させるための停止テーブルＴＢＬ０２が定められている。
【０６８９】
左ストップボタン２０Ｌが第１停止操作されると、停止テーブルＴＢＬ０２を用いたリール停止制御により、左ストップボタン２０Ｌの操作のタイミングにかかわらず、「プラム」の図柄が有効ライン上に停止する。
【０６９０】
（９−１−１）左→中→右
中ストップボタン２０Ｃの第２停止操作が行われる場合に使用されるリンクテーブルでは、第２停止操作に対して用いられる停止テーブルとして、中リール４Ｃの「ベル」の図柄を有効ライン上に停止させるための停止テーブルＴＢＬ１１が定められ、第３停止操作に対して用いられる停止テーブルとして、右リール４Ｒの「プラム」の図柄を有効ライン上に停止させるための停止テーブルＴＢＬ２２が定められている。
【０６９１】
中ストップボタン２０Ｃが第２停止操作されると、停止テーブルＴＢＬ１１を用いたリール停止制御により、中ストップボタン２０Ｃの操作のタイミングにかかわらず、「ベル」の図柄が有効ライン上に停止する。
【０６９２】
そして、右ストップボタン２０Ｒの第３停止操作に対して、停止テーブルＴＢＬ２２を用いたリール停止制御により、右ストップボタン２０Ｒの操作のタイミングにかかわらず、「プラム」の図柄が有効ライン上に停止する。
【０６９３】
（９−１−２）左→右→中
第２停止操作が右ストップボタン２０Ｒの操作である場合に使用されるリンクテーブルでは、第２停止操作に対して用いられる停止テーブルとして、右リール４Ｒの「プラム」の図柄を有効ライン上に停止させるための停止テーブルＴＢＬ２２が定められ、第３停止操作に対して用いられる停止テーブルとして、中リール４Ｃの「ベル」の図柄を有効ライン上に停止させるための停止テーブルＴＢＬ１１が定められている。
【０６９４】
右ストップボタン２０Ｒが第２停止操作されると、停止テーブルＴＢＬ２２を用いたリール停止制御により、右ストップボタン２０Ｒの操作のタイミングにかかわらず、「プラム」の図柄が有効ライン上に停止する。
【０６９５】
そして、中ストップボタン２０Ｃの第３停止操作に対して、停止テーブルＴＢＬ１１を用いたリール停止制御により、中ストップボタン２０Ｃの操作のタイミングにかかわらず、「ベル」の図柄が有効ライン上に停止する。
【０６９６】
（９−２）中第１停止
第１停止操作が中ストップボタン２０Ｃの操作である場合に使用されるリンクテーブルでは、第１停止操作に対して用いられる停止テーブルとして、中リール４Ｃの「ベル」の図柄を有効ライン上に停止させるための停止テーブルＴＢＬ１１が定められている。
【０６９７】
中ストップボタン２０Ｃが第１停止操作されると、停止テーブルＴＢＬ１１を用いたリール停止制御により、中ストップボタン２０Ｃの操作のタイミングにかかわらず、「ベル」の図柄が有効ライン上に停止する。
【０６９８】
（９−２−１）中→右→左
右ストップボタン２０Ｒの第２停止操作が行われる場合に使用されるリンクテーブルでは、第２停止操作に対して用いられる停止テーブルとして、右リール４Ｒの「プラム」の図柄を有効ライン上に停止させるための停止テーブルＴＢＬ２２が定められ、第３停止操作に対して用いられる停止テーブルとして、左リール４Ｌの「プラム」の図柄を有効ライン上に停止させるための停止テーブルＴＢＬ０２が定められている。
【０６９９】
右ストップボタン２０Ｒが第２停止操作されると、停止テーブルＴＢＬ２２を用いたリール停止制御により、右ストップボタン２０Ｒの操作のタイミングにかかわらず、「プラム」の図柄が有効ライン上に停止する。
【０７００】
そして、左ストップボタン２０Ｌの第３停止操作に対して、停止テーブルＴＢＬ０２を用いたリール停止制御により、左ストップボタン２０Ｌの操作のタイミングにかかわらず、「プラム」の図柄が有効ライン上に停止する。
【０７０１】
（９−２−２）中→左→右
第２停止操作が左ストップボタン２０Ｌの操作である場合に使用されるリンクテーブルでは、第２停止操作に対して用いられる停止テーブルとして、左リール４Ｌの「プラム」の図柄を有効ライン上に停止させるための停止テーブルＴＢＬ０２が定められ、第３停止操作に対して用いられる停止テーブルとして、右リール４Ｒの「プラム」の図柄を有効ライン上に停止させるための停止テーブルＴＢＬ２２が定められている。
【０７０２】
左ストップボタン２０Ｌが第２停止操作されると、停止テーブルＴＢＬ０２を用いたリール停止制御により、左ストップボタン２０Ｌの操作のタイミングにかかわらず、「プラム」の図柄が有効ライン上に停止する。
【０７０３】
そして、右ストップボタン２０Ｒの第３停止操作に対して、停止テーブルＴＢＬ２２を用いたリール停止制御により、右ストップボタン２０Ｒの操作のタイミングにかかわらず、「プラム」の図柄が有効ライン上に停止する。
【０７０４】
（９−３）右第１停止
第１停止操作が右ストップボタン２０Ｒの操作である場合に使用されるリンクテーブルでは、第１停止操作に対して用いられる停止テーブルとして、右リール４Ｒの「プラム」の図柄を有効ライン上に停止させるための停止テーブルＴＢＬ２２が定められている。
【０７０５】
右ストップボタン２０Ｒが第１停止操作されると、停止テーブルＴＢＬ２２を用いたリール停止制御により、右ストップボタン２０Ｒの操作のタイミングにかかわらず、「プラム」の図柄が有効ライン上に停止する。
【０７０６】
（９−３−１）右→左→中
左ストップボタン２０Ｌの第２停止操作が行われる場合に使用されるリンクテーブルでは、第２停止操作に対して用いられる停止テーブルとして、左リール４Ｌの「プラム」の図柄を有効ライン上に停止させるための停止テーブルＴＢＬ０２が定められ、第３停止操作に対して用いられる停止テーブルとして、中リール４Ｃの「ベル」の図柄を有効ライン上に停止させるための停止テーブルＴＢＬ１１が定められている。
【０７０７】
左ストップボタン２０Ｌが第２停止操作されると、停止テーブルＴＢＬ０２を用いたリール停止制御により、左ストップボタン２０Ｌの操作のタイミングにかかわらず、「プラム」の図柄が有効ライン上に停止する。
【０７０８】
そして、中ストップボタン２０Ｃの第３停止操作に対して、停止テーブルＴＢＬ１１を用いたリール停止制御により、中ストップボタン２０Ｃの操作のタイミングにかかわらず、「ベル」の図柄が有効ライン上に停止する。
【０７０９】
（９−３−２）右→中→左
第２停止操作が中ストップボタン２０Ｃの操作である場合に使用されるリンクテーブルでは、第２停止操作に対して用いられる停止テーブルとして、中リール４Ｃの「ベル」の図柄を有効ライン上に停止させるための停止テーブルＴＢＬ１１が定められ、第３停止操作に対して用いられる停止テーブルとして、左リール４Ｌの「プラム」の図柄を有効ライン上に停止させるための停止テーブルＴＢＬ０２が定められている。
【０７１０】
中ストップボタン２０Ｃが第２停止操作されると、停止テーブルＴＢＬ１１を用いたリール停止制御により、中ストップボタン２０Ｃの操作のタイミングにかかわらず、中リール４Ｃの「ベル」の図柄が有効ライン上に停止する。
【０７１１】
そして、左ストップボタン２０Ｌの第３停止操作に対して、停止テーブルＴＢＬ０２を用いたリール停止制御により、左ストップボタン２０Ｌの操作のタイミングにかかわらず、「プラム」の図柄が有効ライン上に停止する。
【０７１２】
よって、内部抽選の結果が不当選であった場合には、「プラム」−「ベル」−「プラム」の図柄が左からこの順で有効ライン上に停止する。
【０７１３】
＜ＡＴ機能＞
【０７１４】
そして、スロットマシン１には、ＡＴ（アシストタイム）機能が搭載されている。「一種ＢＢ内部中」の遊技状態において、所定の条件が成立すると、ＡＴ機能が作動する。所定の条件は、ＡＴ機能が非作動の状態で所定のゲーム数が消化されるという条件であってもよいし、サブ基板３２で実行されるＡＴ抽選に当選するという条件であってもよい。「通常中」の遊技状態および「一種ＢＢ中」の遊技状態では、ＡＴ機能が作動することはない。ＡＴ機能のためのプログラムは、サブ基板３２のＲＯＭ７３に格納されている。
【０７１５】
ＡＴ機能が作動している状態（ＡＴ中）では、内部抽選で乱数生成回路４７から取得された乱数が抽選グループ１〜４のいずれかに属する場合、液晶表示装置２４における表示および／またはスピーカ２５Ｌ，２５Ｒ，２６Ｌ，２６Ｒからの効果音や音声の出力により、配当が最も多い「８枚小役」を入賞させるための正解押し順が報知される。この報知に従って、遊技者により、左ストップボタン２０Ｌ、中ストップボタン２０Ｃおよび右ストップボタン２０Ｒが正解押し順で操作されると、リール停止制御により、左ストップボタン２０Ｌ、中ストップボタン２０Ｃおよび右ストップボタン２０Ｒの操作タイミングにかかわらず、３個の「ベル」が有効ライン上に停止して、「８枚小役」に入賞となる。
【０７１６】
一方、ＡＴ機能が作動していない状態（非ＡＴ中）では、内部抽選で乱数生成回路４７から取得された乱数が抽選グループ１〜４のいずれかに属しても、「８枚小役」を入賞させるための正解押し順が報知されない。そのため、ＡＴ機能が作動していない状態では、内部抽選で「８枚小役」が当選役として決定されても、その「８枚小役」をほぼ取りこぼす。
【０７１７】
＜出玉率＞
【０７１８】
「８枚小役」を入賞させるための正解押し順が中ストップボタン２０Ｃまたは右ストップボタン２０Ｒの操作が第１停止操作となる操作順であることは、遊技者により容易に推測されるので、ＡＴ機能が作動していない非ＡＴ中では、内部抽選で乱数生成回路４７から取得された乱数が抽選グループ１〜４のいずれかに属する場合に、「８枚小役」に入賞する確率を１／４と仮定する。
【０７１９】
「通常中」状態では、ＡＴ機能が作動せず、正解押し順が報知されない。また、規定数が「３」に設定されている。したがって、図７に示される抽選テーブルが使用される場合、「通常中」状態における出玉率は、次のように求められる。
【０７２０】
出玉率＝［４×｛１２４７５／（６５５３６−８９７８）｝×（１／４）×７＋４×｛１２４７５／（６５５３６−８９７８）｝×（３／４）×１＋｛１８２９／（６５５３６−８９７８）｝×１＋｛６５５／（６５５３６−８９７８）｝×３］／３
≒０．７５７６（７５．７６％）
【０７２１】
「一種ＢＢ内部中」状態かつ非ＡＴ中は、正解押し順が報知されない。また、規定数が「３」に設定されている。したがって、図７に示される抽選テーブルが使用される場合、「一種ＢＢ内部中」状態かつ非ＡＴ中における出玉率は、次のように求められる。
【０７２２】
出玉率＝［４×｛１２４７５／（６５５３６−１３１５２）｝×（１／４）×７＋４×｛１２４７５／（６５５３６−１３１５２）｝×（３／４）×１＋｛１８２９／（６５５３６−１３１５２）｝×１＋｛６５５／（６５５３６−１３１５２）｝×３］／３
≒０．８１８０（８１．８０％）
【０７２３】
「一種ＢＢ中」状態では、ＡＴ機能が作動せず、正解押し順が報知されない。また、「一種ＢＢ中」状態では、規定数が「２」に設定され、１回のゲームでの最大払出枚数が２枚に設定されている。したがって、図７に示される抽選テーブルが使用される場合、「一種ＢＢ中」状態における出玉率は、次のように求められる。
【０７２４】
出玉率＝［４×（１２４７５／６５５３６）×（１／４）×２＋４×（１２４７５／６５５３６）×（３／４）×１＋（１８２９／６５５３６）×１＋（２８００／６５５３６）×２］／２
≒０．５３２６（５３．２６％）
【０７２５】
一方、ＡＴ機能が作動するＡＴ中は、正解押し順が報知されるので、内部抽選で乱数生成回路４７から取得された乱数が抽選グループ１〜４のいずれかに属する場合に、「８枚小役」にほぼ１００％入賞すると仮定する。
【０７２６】
「一種ＢＢ内部中」状態かつＡＴ中は、正解押し順が報知される。また、規定数が「３」に設定されている。したがって、図７に示される抽選テーブルが使用される場合、「一種ＢＢ内部中」状態かつＡＴ中における出玉率は、次のように求められる。
【０７２７】
出玉率＝［４×｛１２４７５／（６５５３６−１３１５２）｝×（４／４）×７＋｛１８２９／（６５５３６−１３１５２）｝×１＋｛６５５／（６５５３６−１３１５２）｝×３］／３
≒２．２４７（２２４．７％）
【０７２８】
＜作用効果＞
【０７２９】
以上のように、「通常中」状態および「一種ＢＢ内部中」状態（以下、これらを総称する場合「通常遊技状態」という。）と「一種ＢＢ中」状態とでは、１回のゲームに必要とされるメダルの規定数が異なる。また、通常遊技状態と「一種ＢＢ中」状態とでは、１回のゲームで払い出されるメダルの最大払出枚数が異なり、「一種ＢＢ中」状態での最大払出枚数は、通常遊技状態での最大払出枚数よりも小さい。そのため、「一種ＢＢ中」状態での小役の個々の当選確率がそれぞれ通常遊技状態での当該小役の当選確率以上に設定されていても、最大払出枚数の設定により、「一種ＢＢ中」状態における出玉率を低く抑えることができる。その結果、射幸性を抑えるため、通常遊技状態および「一種ＢＢ中」状態を合わせた全体での出玉率を一定以下に抑えながら、通常遊技状態における出玉率を上げることができ、通常遊技状態におけるゲームの興趣を増すことができる。
【０７３０】
スロットマシン１では、「一種ＢＢ中」状態における最大払出枚数が１回のゲームに必要とされるメダルの規定数よりも小さく設定され、「一種ＢＢ中」状態における出玉率が１００％よりも低く設定されている。これにより、スロットマシン１では、「一種ＢＢ中」状態における出玉率が１００％よりも大きい現行機種と大きく異なるゲーム性を実現することができる。
【０７３１】
また、「一種ＢＢ内部中」状態では、ＡＴの実行／非実行により、出玉率が最も高い状態とそれよりも低い状態とを発生させることができる。これに加えて、「一種ＢＢ中」状態における出玉率が１００％よりも低いので、スロットマシン１では、「一種ＢＢ内部中」状態かつＡＴ中に、遊技者が所有するメダルの数が増大し、「一種ＢＢ中」状態では、遊技者が所有するメダルの数が減少するゲーム性を実現することができる。
【０７３２】
＜変形例＞
【０７３３】
以上、本発明の一実施形態について説明したが、本発明は、他の形態で実施することもできる。
【０７３４】
図１０は、リンクテーブルの他の構成例を示す図である。図１１は、図１０に示されるリンクテーブルに用いられている「タイプ１」および「タイプ２」について説明するための図である。
【０７３５】
図１０に示されるリンクテーブルは、図９Ａおよび図９Ｂに示されるリンクテーブルに代えて使用することができる。そして、図１０に示されるリンクテーブルを使用した場合にも、図９Ａおよび図９Ｂに示されるリンクテーブルを使用した場合と同様のリール停止制御を実現することができる。
【０７３６】
抽選グループ１に対応するリンクテーブルには、タイプ１と対応づけて、左リール４Ｌの停止テーブルＴＢＬ０２、中リール４Ｃの停止テーブルＴＢＬ１３および右リールの停止テーブルＴＢＬ２３へのリンクデータがこの順に並べて格納されている。また、タイプ２と対応づけて、中リール４Ｃの停止テーブルＴＢＬ１１、右リール４Ｒの停止テーブルＴＢＬ２１、左リール４Ｌの停止テーブルＴＢＬ０７、左リール４Ｌの停止テーブルＴＢＬ０１および右リール４Ｒの停止テーブルＴＢＬ２２へのリンクデータがこの順に並べて格納されている。さらに、タイプ１と対応づけて、右リール４Ｒの停止テーブルＴＢＬ２２、左リール４Ｌの停止テーブルＴＢＬ０７および中リール４Ｃの停止テーブルＴＢＬ１１へのリンクデータがこの順に並べて格納されている。
【０７３７】
抽選グループ２に対応するリンクテーブルには、タイプ１と対応づけて、左リール４Ｌの停止テーブルＴＢＬ０２、中リール４Ｃの停止テーブルＴＢＬ１３および右リールの停止テーブルＴＢＬ２４へのリンクデータがこの順に並べて格納されている。また、タイプ２と対応づけて、中リール４Ｃの停止テーブルＴＢＬ１１、右リール４Ｒの停止テーブルＴＢＬ２２、左リール４Ｌの停止テーブルＴＢＬ０１、左リール４Ｌの停止テーブルＴＢＬ０４および右リール４Ｒの停止テーブルＴＢＬ２１へのリンクデータがこの順に並べて格納されている。さらに、タイプ１と対応づけて、右リール４Ｒの停止テーブルＴＢＬ２２、左リール４Ｌの停止テーブルＴＢＬ０７および中リール４Ｃの停止テーブルＴＢＬ１１へのリンクデータがこの順に並べて格納されている。
【０７３８】
抽選グループ３に対応するリンクテーブルには、タイプ１と対応づけて、左リール４Ｌの停止テーブルＴＢＬ０２、中リール４Ｃの停止テーブルＴＢＬ１４および右リールの停止テーブルＴＢＬ２３へのリンクデータがこの順に並べて格納されている。また、タイプ１と対応づけて、中リール４Ｃの停止テーブルＴＢＬ１２、右リール４Ｒの停止テーブルＴＢＬ２１および左リール４Ｌの停止テーブルＴＢＬ０７へのリンクデータがこの順に並べて格納されている。さらに、タイプ２と対応づけて、右リール４Ｒの停止テーブルＴＢＬ２１、左リール４Ｌの停止テーブルＴＢＬ０１、中リール４Ｃの停止テーブルＴＢＬ１２、中リール４Ｃの停止テーブルＴＢＬ１１および左リール４Ｌの停止テーブルＴＢＬ０４へのリンクデータがこの順に並べて格納されている。
【０７３９】
抽選グループ４に対応するリンクテーブルには、タイプ１と対応づけて、左リール４Ｌの停止テーブルＴＢＬ０２、中リール４Ｃの停止テーブルＴＢＬ１４および右リールの停止テーブルＴＢＬ２４へのリンクデータがこの順に並べて格納されている。また、タイプ１と対応づけて、中リール４Ｃの停止テーブルＴＢＬ１２、右リール４Ｒの停止テーブルＴＢＬ２１および左リール４Ｌの停止テーブルＴＢＬ０７へのリンクデータがこの順に並べて格納されている。さらに、タイプ２と対応づけて、右リール４Ｒの停止テーブルＴＢＬ２１、左リール４Ｌの停止テーブルＴＢＬ０７、中リール４Ｃの停止テーブルＴＢＬ１１、中リール４Ｃの停止テーブルＴＢＬ１２および左リール４Ｌの停止テーブルＴＢＬ０１へのリンクデータがこの順に並べて格納されている。
【０７４０】
抽選グループ５に対応するリンクテーブルには、タイプ１と対応づけて、左リール４Ｌの停止テーブルＴＢＬ０５、中リール４Ｃの停止テーブルＴＢＬ１２および右リールの停止テーブルＴＢＬ２２へのリンクデータがこの順に並べて格納されている。また、タイプ１と対応づけて、中リール４Ｃの停止テーブルＴＢＬ１２、右リール４Ｒの停止テーブルＴＢＬ２２および左リール４Ｌの停止テーブルＴＢＬ０５へのリンクデータがこの順に並べて格納されている。さらに、タイプ１と対応づけて、右リール４Ｒの停止テーブルＴＢＬ２２、左リール４Ｌの停止テーブルＴＢＬ０５および中リール４Ｃの停止テーブルＴＢＬ１２へのリンクデータがこの順に並べて格納されている。
【０７４１】
抽選グループ６に対応するリンクテーブルには、タイプ１と対応づけて、左リール４Ｌの停止テーブルＴＢＬ０６、中リール４Ｃの停止テーブルＴＢＬ１７および右リールの停止テーブルＴＢＬ２６へのリンクデータがこの順に並べて格納されている。また、タイプ１と対応づけて、中リール４Ｃの停止テーブルＴＢＬ１７、右リール４Ｒの停止テーブルＴＢＬ２６および左リール４Ｌの停止テーブルＴＢＬ０６へのリンクデータがこの順に並べて格納されている。さらに、タイプ１と対応づけて、右リール４Ｒの停止テーブルＴＢＬ２２、左リール４Ｌの停止テーブルＴＢＬ０６および中リール４Ｃの停止テーブルＴＢＬ１７へのリンクデータがこの順に並べて格納されている。
【０７４２】
抽選グループ７に対応するリンクテーブルには、タイプ１と対応づけて、左リール４Ｌの停止テーブルＴＢＬ０２、中リール４Ｃの停止テーブルＴＢＬ１２および右リールの停止テーブルＴＢＬ２２へのリンクデータがこの順に並べて格納されている。また、タイプ１と対応づけて、中リール４Ｃの停止テーブルＴＢＬ１２、右リール４Ｒの停止テーブルＴＢＬ２２および左リール４Ｌの停止テーブルＴＢＬ０２へのリンクデータがこの順に並べて格納されている。さらに、タイプ１と対応づけて、右リール４Ｒの停止テーブルＴＢＬ２２、左リール４Ｌの停止テーブルＴＢＬ０２および中リール４Ｃの停止テーブルＴＢＬ１２へのリンクデータがこの順に並べて格納されている。
【０７４３】
抽選グループ８に対応するリンクテーブルには、タイプ１と対応づけて、左リール４Ｌの停止テーブルＴＢＬ０３、中リール４Ｃの停止テーブルＴＢＬ１５および右リールの停止テーブルＴＢＬ２７へのリンクデータがこの順に並べて格納されている。また、タイプ１と対応づけて、中リール４Ｃの停止テーブルＴＢＬ１５、右リール４Ｒの停止テーブルＴＢＬ２７および左リール４Ｌの停止テーブルＴＢＬ０３へのリンクデータがこの順に並べて格納されている。さらに、タイプ１と対応づけて、右リール４Ｒの停止テーブルＴＢＬ２７、左リール４Ｌの停止テーブルＴＢＬ０３および中リール４Ｃの停止テーブルＴＢＬ１５へのリンクデータがこの順に並べて格納されている。
【０７４４】
内部抽選の「不当選」の結果に対応するリンクテーブルでは、タイプ１と対応づけて、左リール４Ｌの停止テーブルＴＢＬ０２、中リール４Ｃの停止テーブルＴＢＬ１１および右リールの停止テーブルＴＢＬ２２へのリンクデータがこの順に並べて格納されている。また、タイプ１と対応づけて、中リール４Ｃの停止テーブルＴＢＬ１１、右リール４Ｒの停止テーブルＴＢＬ２２および左リール４Ｌの停止テーブルＴＢＬ０２へのリンクデータがこの順に並べて格納されている。さらに、タイプ１と対応づけて、右リール４Ｒの停止テーブルＴＢＬ２２、左リール４Ｌの停止テーブルＴＢＬ０２および中リール４Ｃの停止テーブルＴＢＬ１１へのリンクデータがこの順に並べて格納されている。
【０７４５】
図１１に示される「タイプ１」および「タイプ２」は、図１０に示されるリンクテーブルにリンクデータを保存する際の規則を表す。
【０７４６】
ここで、左ストップボタン２０Ｌ、中ストップボタン２０Ｃおよび右ストップボタン２０Ｒが左ストップボタン２０Ｌ→中ストップボタン２０Ｃ→右ストップボタン２０Ｒ→左ストップボタン２０Ｌ→・・・の順序に従って操作される場合、この操作順の方向を「順方向」と規定する。また、左ストップボタン２０Ｌ、中ストップボタン２０Ｃおよび右ストップボタン２０Ｒが右ストップボタン２０Ｒ→中ストップボタン２０Ｃ→左ストップボタン２０Ｌ→右ストップボタン２０Ｒ→・・・の順序に従って操作される場合、この操作順の方向を「順方向」と規定する。
【０７４７】
「タイプ１」は、第１停止操作に応答して読み出されるべきリンクデータ、順方向の操作による第２停止操作または逆方向の操作による第３停止操作に応答して読み出されるべきリンクデータ、逆方向の操作による第２停止操作または順方向の操作による第３停止操作に応答して読み出されるべきリンクデータがこの順に保存されていることを表す。
【０７４８】
「タイプ２」は、第１停止操作に応答して読み出されるべきリンクデータ、順方向の操作による第２停止操作に応答して読み出されるべきリンクデータ、逆方向の操作による第２停止操作に応答して読み出されるべきリンクデータ、順方向の操作による第３停止操作に応答して読み出されるべきリンクデータおよび逆方向の操作による第３停止操作に応答して読み出されるべきリンクデータがこの順に保存されていることを表す。
【０７４９】
抽選グループ１に対応するリンクテーブルが使用される場合を例にとって、リール停止制御に用いられる停止テーブルの決定手法を説明する。抽選グループ２〜８に対応するリンクテーブルまたは内部抽選の「不当選」の結果に対応するリンクテーブルが使用される場合についての停止テーブルの決定手法は、抽選グループ１に対応するリンクテーブルが使用される場合と同様であるから、その説明を省略する。
【０７５０】
第１停止操作が左ストップボタン２０Ｌの操作である場合、左リール４Ｌの停止テーブルＴＢＬ０２へのリンクデータが読み出され、左リール４Ｌの停止制御に停止テーブルＴＢＬ０２が用いられる。停止テーブルＴＢＬ０２は、「タイプ１」と対応づけられているので、順方向の操作により、第２停止操作で中ストップボタン２０Ｃが操作された場合、中リール４Ｃの停止テーブルＴＢＬ１３のリンクデータが読み出され、中リール４Ｃの停止制御に停止テーブルＴＢＬ１３が用いられる。そして、第３停止操作で右ストップボタン２０Ｒが操作されると、右リール４Ｒの停止テーブルＴＢＬ２３のリンクデータが読み出され、右リール４Ｒの停止制御に停止テーブルＴＢＬ２３が用いられる。一方、逆方向の操作により、第２停止操作で右ストップボタン２０Ｒが操作された場合、右リール４Ｒの停止テーブルＴＢＬ２３のリンクデータが読み出され、右リール４Ｒの停止制御に停止テーブルＴＢＬ２３が用いられる。そして、第３停止操作で中ストップボタン２０Ｃが操作されると、中リール４Ｃの停止テーブルＴＢＬ１３のリンクデータが読み出され、中リール４Ｃの停止制御に停止テーブルＴＢＬ１３が用いられる。
【０７５１】
第１停止操作が中ストップボタン２０Ｃの操作である場合、中リール４Ｃの停止テーブルＴＢＬ１１へのリンクデータが読み出され、中リール４Ｃの停止制御に停止テーブルＴＢＬ１１が用いられる。停止テーブルＴＢＬ１１は、「タイプ２」と対応づけられているので、順方向の操作により、第２停止操作で右ストップボタン２０Ｒが操作された場合、右リール４Ｒの停止テーブルＴＢＬ２１のリンクデータが読み出され、右リール４Ｒの停止制御に停止テーブルＴＢＬ２１が用いられる。そして、第３停止操作で左ストップボタン２０Ｌが操作されると、左リール４Ｌの停止テーブルＴＢＬ０１のリンクデータが読み出され、左リール４Ｌの停止制御に停止テーブルＴＢＬ０１が用いられる。一方、逆方向の操作により、第２停止操作で左ストップボタン２０Ｌが操作された場合、左リール４Ｌの停止テーブルＴＢＬ０７のリンクデータが読み出され、左リール４Ｌの停止制御に停止テーブルＴＢＬ０７が用いられる。そして、第３停止操作で右ストップボタン２０Ｒが操作されると、右リール４Ｒの停止テーブルＴＢＬ２２のリンクデータが読み出され、右リール４Ｒの停止制御に停止テーブルＴＢＬ２２が用いられる。
【０７５２】
第１停止操作が右ストップボタン２０Ｒの操作である場合、右リール４Ｒの停止テーブルＴＢＬ２２へのリンクデータが読み出され、右リール４Ｒの停止制御に停止テーブルＴＢＬ２２が用いられる。停止テーブルＴＢＬ２２は、「タイプ１」と対応づけられているので、順方向の操作により、第２停止操作で左ストップボタン２０Ｌが操作された場合、左リール４Ｌの停止テーブルＴＢＬ０７のリンクデータが読み出され、左リール４Ｌの停止制御に停止テーブルＴＢＬ０７が用いられる。そして、第３停止操作で中ストップボタン２０Ｃが操作されると、中リール４Ｃの停止テーブルＴＢＬ１１のリンクデータが読み出され、中リール４Ｃの停止制御に停止テーブルＴＢＬ１１が用いられる。一方、逆方向の操作により、第２停止操作で中ストップボタン２０Ｃが操作された場合、中リール４Ｃの停止テーブルＴＢＬ１１のリンクデータが読み出され、中リール４Ｃの停止制御に停止テーブルＴＢＬ１１が用いられる。そして、第３停止操作で左ストップボタン２０Ｌが操作されると、左リール４Ｌの停止テーブルＴＢＬ０７のリンクデータが読み出され、左リール４Ｌの停止制御に停止テーブルＴＢＬ０７が用いられる。
【０７５３】
図１０に示される構成では、図９Ａおよび図９Ｂに示される構成と比較して、リンクテーブルの容量を小さくすることができる。
【０７５４】
また、前述の実施形態では、規定数が「２」である場合の「８枚小役」の配当数が「８（８枚）」に設定され、規定数が「２」である場合の「３枚小役」の配当数が「３（３枚）」に設定されているとした。しかしながら、規定数「２」である場合に、１回のゲームでの最大払出枚数が２枚に設定されるのであれば、図１２に示されるように、規定数が「２」である場合の「８枚小役」の配当数が「２（２枚）」に設定され、規定数が「２」である場合の「３枚小役」の配当数が「２（２枚）」に設定されてもよい。この場合、配当数で最大払出枚数が制限されるので、入賞にかかる配当数と最大払出枚数との大小を比較する必要をなくすことができ、メダルの払い出しに関する処理を簡素化することができる。
【０７５５】
なお、内部抽選で複数の小役に同時当選し、複数の小役に同時入賞（重複入賞）した場合には、各入賞に対する配当数の合計が算出されて、その算出された合計以下、かつ、最大払出以下の範囲で、メダルが払い出されるとよい。
【０７５６】
その他、前述の構成には、特許請求の範囲に記載された事項の範囲で種々の設計変更を施すことが可能である。
【符号の説明】
【０７５７】
１      スロットマシン（遊技機）
４Ｌ    左リール（図柄表示列）
４Ｃ    中リール（図柄表示列）
４Ｒ    右リール（図柄表示列）
１９    スタートレバー（始動操作手段）
２０Ｌ  左ストップボタン（停止操作手段）
２０Ｃ  中ストップボタン（停止操作手段）
２０Ｒ  右ストップボタン（停止操作手段）
３１    メイン基板（状態移行手段、抽選手段、入賞判定手段、規定数設定手段、最大払出枚数設定手段、遊技媒体払出手段）
【図１】
0006435452.tif 000002
【図２】
0006435452.tif 000003
【図３】
0006435452.tif 000004
【図４】
0006435452.tif 000005
【図５】
0006435452.tif 000006
【図６】
0006435452.tif 000007
【図７Ａ】
0006435452.tif 000008
【図７Ｂ】
0006435452.tif 000009
【図８】
0006435452.tif 000010
【図９Ａ】
0006435452.tif 000011
【図９Ｂ】
0006435452.tif 000012
【図１０】
0006435452.tif 000013
【図１１】
0006435452.tif 000014
【図１２】
0006435452.tif 000015